(57)【要約】【課題】球タンクと前後に重なる遊技盤の上部位置を効果的に照明可能な遊技機を提供する。【解決手段】遊技盤３０を構成する裏ユニット５０に対して、球タンク２６の下方に位置して前方に開放する箱状本体５１と、箱状本体５１の上画壁部５３ａから上方へ延出するよう形成されて球タンク２６の前側に位置する固定部５４と、箱状本体５１の上画壁部５３ａから固定部５４に亘って連続して形成された照明用窓部８４と、固定部５４の前側に設けられ、該固定部５４に形成された照明用窓部８４を被覆する装飾カバーと、箱状本体５１の対向面部５２に配設され、照明用窓部８４を介して装飾カバー９３,１０８に光を照射可能なＬＥＤとを設けて、照明用窓部８４を介してＬＥＤの光が装飾カバーに照射されることで、球タンク２６の前側に位置する装飾カバーを明輝するようにした。【選択図】図６
2010162230.tif 000002
【特許請求の範囲】
【請求項１】
外郭をなす外枠に開閉可能に組付けられる中枠と、前記中枠に前後に開口するよう形成された遊技盤保持部に着脱可能に配設された遊技盤と、前記中枠の裏側上部に設けられて前記遊技盤の上部と前後に重なるよう位置し、遊技球を貯留する球タンクと、前記遊技盤の裏側に配設され、該遊技盤に形成した可視表示部を介して遊技盤の前側から視認可能な図柄表示装置とを備え、前記遊技盤は、前面側に遊技球が流下可能な遊技領域が形成された透明板の裏側に、該透明板の裏面を覆う裏ユニットを配設するよう構成された遊技機において、
前記裏ユニットは、
前記球タンクの下方に位置し、前記透明板に対向する対向面部および該対向面部の周縁部から透明板側に延出する画壁部から前方に開放するよう形成された箱状本体と、
前記箱状本体の上画壁部から上方へ延出するよう形成されて前記球タンクの前側に位置し、前記透明板の裏面に当接する固定部と、
前記箱状本体の上画壁部から前記固定部に亘って連続して形成され、該上画壁部の上下方向および該固定部の前後方向に開口する照明用窓部と、
前記固定部の前側に設けられ、該固定部に形成された照明用窓部を被覆する装飾カバーと、
前記箱状本体の対向面部に配設され、前記照明用窓部を介して前記装飾カバーに光を照射可能な発光体とを備え、
前記照明用窓部を介して前記発光体の光が前記装飾カバーに照射されることで、前記球タンクの前側に位置する装飾カバーを明輝するよう構成した
ことを特徴とする遊技機。
【請求項２】
前記装飾カバーは、前記箱状本体の対向面部に取り付けられ、透明な合成樹脂材により形成された取付台と、該取付台の前側に取り付けられて前記固定部の照明用窓部を被覆する装飾板部とを備え、
前記箱状本体の対向面部に前記取付台を取り付けた状態で、該取付台の前面と、箱状本体の上画壁部に形成した照明用窓部の開口後端縁とが、略同一鉛直面上に位置するよう構成した請求項１記載の遊技機。
【請求項３】
前記装飾板部の裏側には、ネジ孔が形成された取付ボスおよび位置決め突部が後方に突出するよう夫々形成されて、前記取付台の前面には、前記位置決め突部に対応する位置に位置決め孔が形成されると共にネジ孔に対応する位置に通孔が形成され、
前記取付台の位置決め孔に前記装飾板部に形成した位置決め突部を挿通すると共に、該取付台の通孔に挿通したネジを装飾板部に形成した取付ボスのネジ孔に螺挿することで、装飾板部が取付台の前側に所定間隔離間する位置に固定される請求項２記載の遊技機。
【請求項４】
前記透明板には、略円形状のレールが配設されて該レールの内側に前記遊技領域が画成されて、前記固定部に形成された照明用窓部の開口上端縁は、前記レールに沿った円弧状に形成される請求項１〜３の何れか一項に記載の遊技機。
【発明の詳細な説明】
【技術分野】
【０００１】
本発明は、前面側に遊技球が流下可能な遊技領域が形成された透明板の裏側に、該透明板の裏面を覆う裏ユニットを配設して遊技盤が構成された遊技機に関する。
【背景技術】
【０００２】
例えば遊技機の代表例の一つであるパチンコ機は、外郭をなす外枠に対して開閉可能に支持された中枠に遊技盤を着脱可能に配設するよう構成されている。この遊技盤の盤面には、パチンコ球が打ち出される遊技領域が画成されると共に、該遊技盤の裏側に、各種図柄を変動表示して図柄変動演出を行なう液晶パネルが用いられた図柄表示装置が配設され、該遊技盤に形成した開口部等を介して図柄表示装置の表示面を前側から視認し得るよう構成される。そして、この種のパチンコ機では、前記遊技盤の前面側に、前記遊技領域に打ち出されたパチンコ球が入賞可能な入賞装置が配設され、該入賞装置へのパチンコ球の入賞により図柄表示装置での図柄変動演出が開始されるよう構成されており、図柄変動演出の結果として図柄表示装置に所定の組合わせ(例えば同一図柄の三つ揃い等)で図柄が停止すると、遊技者に有利な所謂大当りが発生するよう構成されている。
【０００３】
また近年は、前記遊技盤を大型化すると共に、該遊技盤を、透明な合成樹脂製の透明板と、この透明板の裏側に取り付けた裏ユニットとから構成して、該裏ユニットに大型の遊技部品(例えば図柄表示装置等)を配設することにより、遊技演出の多様化やインパクト、迫力の向上を図り、遊技の面白みを増大させるよう構成されたパチンコ機も提案されている(例えば、特許文献１,２参照)。
【先行技術文献】
【特許文献】
【０００４】
【特許文献１】特開２００６−６８１６４号公報
【特許文献２】特開２００４−３５１１４３号公報
【発明の概要】
【発明が解決しようとする課題】
【０００５】
ところで、遊技盤を大型化する場合には、前記中枠において遊技盤が占有する領域が増大することになる。ここで、パチンコ機に設けられる球皿等との位置関係上、遊技盤を設置する遊技盤保持部を中枠の下方に拡げるには限界があり、遊技盤保持部を中枠の上方位置へ拡げるよう構成することが求められる。この場合に、中枠の裏側上部に位置する球タンクと遊技盤とが前後に重なる関係で位置することになるため、遊技盤(特に遊技領域)の上部位置を照明する照明装置を設置することが困難で、遊技盤(遊技領域)の上部位置の装飾性が低下することに繋がっていた。
そこで、本発明は、球タンクと前後に重なる遊技盤の上部位置を効果的に照明可能な遊技機を提供することを目的とする。
【課題を解決するための手段】
【０００６】
前記課題を克服し、所期の目的を達成するため、本願の請求項１に係る遊技機は、
外郭をなす外枠(11)に開閉可能に組付けられる中枠(12)と、前記中枠(12)に前後に開口するよう形成された遊技盤保持部(24)に着脱可能に配設された遊技盤(30)と、前記中枠(12)の裏側上部に設けられて前記遊技盤(30)の上部と前後に重なるよう位置し、遊技球を貯留する球タンク(26)と、前記遊技盤(30)の裏側に配設され、該遊技盤(30)に形成した可視表示部を介して遊技盤(30)の前側から視認可能な図柄表示装置(19)とを備え、前記遊技盤(30)は、前面側に遊技球が流下可能な遊技領域(32)が形成された透明板(31)の裏側に、該透明板(31)の裏面を覆う裏ユニット(50)を配設するよう構成された遊技機において、
前記裏ユニット(50)は、
前記球タンク(26)の下方に位置し、前記透明板(31)に対向する対向面部(52)および該対向面部(52)の周縁部から透明板(31)側に延出する画壁部(53a,53b,53c,53d)から前方に開放するよう形成された箱状本体(51)と、
前記箱状本体(51)の上画壁部(53a)から上方へ延出するよう形成されて前記球タンク(26)の前側に位置し、前記透明板(31)の裏面に当接する固定部(54)と、
前記箱状本体(51)の上画壁部(53a)から前記固定部(54)に亘って連続して形成され、該上画壁部(53a)の上下方向および該固定部(54)の前後方向に開口する照明用窓部(84)と、
前記固定部(54)の前側に設けられ、該固定部(54)に形成された照明用窓部(84)を被覆する装飾カバー(93,108)と、
前記箱状本体(51)の対向面部(52)に配設され、前記照明用窓部(84)を介して前記装飾カバー(93,108)に光を照射可能な発光体(89)とを備え、
前記照明用窓部(84)を介して前記発光体(89)の光が前記装飾カバー(93,108)に照射されることで、前記球タンク(26)の前側に位置する装飾カバー(93,108)を明輝するよう構成したことを要旨とする。
このように、裏ユニットにおける箱状本体の上画壁部から固定部に亘って連続した照明用窓部を形成することで、箱状本体に配設された発光体の発光により、照明用窓部を介して球タンクの前側に位置する装飾カバーを照明することができ、遊技盤上部の光による装飾性の向上が図られる。
【０００７】
請求項２に係る遊技機は、前記装飾カバー(93,108)は、前記箱状本体(51)の対向面部(52)に取り付けられ、透明な合成樹脂材により形成された取付台(94,109)と、該取付台(94,109)の前側に取り付けられて前記固定部(54)の照明用窓部(84)を被覆する装飾板部(99,115)とを備え、
前記箱状本体(51)の対向面部(52)に前記取付台(94,109)を取り付けた状態で、該取付台(94,109)の前面と、箱状本体(51)の上画壁部(53a)に形成した照明用窓部(84)の開口後端縁とが、略同一鉛直面上に位置するよう構成したことを要旨とする。
このように、装飾カバーを透明な取付台と照明用窓部を被覆する装飾板部とから構成して、取付台の前面を、箱状本体の上画壁部に形成した照明用窓部の開口後端縁と略同一鉛直面上に位置させることで、発光手段の光を確実に照明用窓部を透過させて装飾板部に照射することができる。
【０００８】
請求項３に係る遊技機は、前記装飾板部(99,115)の裏側には、ネジ孔(101a,117a)が形成された取付ボス(101,117)および位置決め突部(102,118)が後方に突出するよう夫々形成されて、前記取付台(94,109)の前面には、前記位置決め突部(102,118)に対応する位置に位置決め孔(95a,110a)が形成されると共にネジ孔(101a,117a)に対応する位置に通孔(95b,110b)が形成され、
前記取付台(94,109)の位置決め孔(95a,110a)に前記装飾板部(99,115)に形成した位置決め突部(102,118)を挿通すると共に、該取付台(94,109)の通孔に挿通したネジを装飾板部(99,115)に形成した取付ボス(101,117)のネジ孔(101a,117a)に螺挿することで、装飾板部(99,115)が取付台(94,109)の前側に所定間隔離間する位置に固定されることを要旨とする。
このように、取付台と装飾板部とを離間させることで、発光手段の光を確実に照明用窓部を透過させて装飾板部に照射することができる。また、取付台の位置決め孔に装飾板部に形成した位置決め突部を挿通して位置決めした状態で、該取付台の通孔に挿通したネジを装飾板部に形成したネジ固定ボスのネジ孔に螺挿することでネジ止めでき、取付台と装飾板部との位置決め固定を容易に行なうことができる。
請求項４に係る遊技機は、前記透明板(31)には、略円形状のレール(35)が配設されて該レール(35)の内側に前記遊技領域(32)が画成されて、前記固定部(54)に形成された照明用窓部(84)の開口上端縁は、前記レール(35)に沿った円弧状に形成されることを要旨とする。
このように、固定部に形成された照明用窓部の開口上端縁を、透明板に設けられたレールに沿った円弧状に形成することで、遊技領域の上部位置の光による装飾性が向上する。
【発明の効果】
【０００９】
本発明に係る遊技機によれば、球タンクと前後に重なる遊技盤の上部位置を照明でき、遊技盤の装飾性を向上し得る。
【図面の簡単な説明】
【００１０】
【図１】実施例に係るパチンコ機の正面図である。
【図２】実施例に係る遊技盤の正面図である。
【図３】実施例に係るパチンコ機を、中枠から遊技盤を取外した状態で示す正面図である。
【図４】実施例に係る遊技盤を、裏ユニットと透明板とを分解した状態で前側から見た斜視図である。
【図５】実施例に係る遊技盤を、裏ユニットと透明板とを分解した状態で後側から見た斜視図である。
【図６】実施例に係る遊技盤を、裏ユニットと透明板とを分解した状態で示す縦断側面図であって、遊技盤と球タンクとの関係を示す。
【図７】実施例に係る透明板からレールを分解した状態で前側から見た斜視図である。
【図８】(ａ)は、実施例に係る始動入賞装置および特別入賞装置を前側から見た斜視図であり、(ｂ)は、実施例に係る始動入賞装置および特別入賞装置を後側から見た斜視図である。
【図９】実施例に係る裏ユニットから左右の透明パネルを分解した状態で前側から見た斜視図である。
【図１０】実施例に係る裏ユニットの正面図である。
【図１１】実施例に係る裏ユニットに、シャッター装置や発光装飾装置のＬＥＤ基板を取り付けた状態を示す正面図である。
【図１２】実施例に係る遊技盤の背面図である。
【図１３】実施例に係るパチンコ機の配線接続関係を示す説明図である。
【図１４】実施例に係る枠状装飾体を前側から見た斜視図である。
【図１５】実施例に係る枠状装飾体を前側から見た分解斜視図である。
【図１６】実施例に係る後枠部材の正面図である。
【図１７】実施例に係る枠状装飾体を下側から見た要部拡大図である。
【図１８】実施例に係る後枠部材の背面図である。
【図１９】実施例に係る枠状装飾体の要部背面図である。
【図２０】実施例に係る後枠部材を示す側面図である。
【図２１】実施例に係る取付ベースを後枠部材に組付ける様子を示す分解斜視図である。
【図２２】(ａ)は、実施例に係る前枠部材の正面図であり、(ｂ)は、実施例に係る前枠部材の背面図である。
【図２３】実施例に係る枠状装飾体の背面図である。
【図２４】実施例に係る枠状装飾体の平面図である。
【図２５】実施例に係る下枠体を後側から見た分解斜視図である。
【図２６】実施例に係る下枠装飾カバーの背面図である。
【図２７】(ａ)は、実施例に係る下枠ベース部材の正面図であり、(ｂ)は、実施例に係る下枠ベース部材の背面図である。
【図２８】実施例に係る枠状装飾体の縦断側面図である。
【図２９】(ａ)は、後枠部材の下枠取付面に固定片を臨ませた状態で示す要部拡大図であり、(ｂ)は、球通路部の通路取付片を固定片の固定凹状部に臨ませた状態で示す要部拡大図である。
【図３０】実施例に係る枠状装飾体を前側から見た要部分解斜視図である。
【図３１】(ａ)は、実施例に係るステージ形成部材の正面図であり、(ｂ)は、実施例に係るステージ形成部材の背面図であり、(ｃ)は、実施例に係るステージ形成部材の平面図である。
【図３２】実施例に係る前枠ベース部材にステージ形成部材を組付けた状態を示す底面図である。
【図３３】(ａ)は、実施例に係る壁部材の正面図であり、(ｂ)は、実施例に係る壁部材の平面図である。
【図３４】(ａ)は、実施例に係る球通路部を前側から見た分解斜視図であり、(ｂ)は、実施例に係る球通路部を後側から見た分解斜視図であり、(ｃ)は、実施例に係る球通路部の正面図である。
【図３５】実施例に係る演出ユニットを前側から見た分解斜視図である。
【図３６】実施例に係る演出ユニットの平面図である。
【図３７】実施例に係る演出ユニットを後側から見た分解斜視図である。
【図３８】実施例に係る演出ユニットの背面図である。
【図３９】実施例に係る上部発光演出装置を前側から見た分解斜視図である。
【図４０】実施例に係る上部発光演出装置を後側から見た分解斜視図である。
【図４１】実施例に係る演出ユニットの縦断側面図である。
【図４２】実施例に係る円盤状ベース部材を後側から見た斜視図である。
【図４３】実施例に係る壁上部発光演出装置の背面図である。
【図４４】(ａ)は、実施例に係る光通過部材を前側から見た斜視図であり、(ｂ)は、実施例に係る光通過部材を後側から見た斜視図である。
【図４５】実施例に係る光通過部材の正面図である。
【図４６】実施例に係る光通過部材に演出カバー部材を組付けた状態を示す一部縦断側面図である。
【図４７】実施例に係る上部発光演出装置の正面図である。
【図４８】(ａ)は、実施例に係る可動演出装置を前側から見た分解斜視図であり、(ｂ)は、実施例に係る可動演出装置の縦断側面図である。
【図４９】実施例に係るシャッター装置および上部発光演出装置を示す正面図である。
【図５０】実施例に係るシャッター装置を透明保護板を外した状態で示す正面図である。
【図５１】実施例に係るシャッター装置の背面図である。
【図５２】実施例に係るシャッター装置において左シャッター部材のみを開放位置に移動した状態で示す背面図である。
【図５３】実施例に係るシャッター装置において左右のシャッター部材を開放位置に移動した状態で示す背面図である。
【図５４】実施例に係るシャッター装置を前側から見た分解斜視図である。
【図５５】実施例に係るシャッター装置を後側から見た分解斜視図である。
【図５６】実施例に係るシャッター装置の下レール部材を後側から見た斜視図である。
【図５７】実施例に係るシャッター装置の下レール部材およびシャッター部材を後側から見た斜視図である。
【図５８】実施例に係るシャッター装置の作動手段を前側から見た分解斜視図である。
【図５９】実施例に係るシャッター装置の作動手段を後側から見た分解斜視図である。
【図６０】実施例に係るシャッター装置の縦断側面図である。
【図６１】実施例に係るシャッター装置と上部発光演出装置との関係を示す要部縦断側面図である。
【図６２】実施例に係るシャッター装置の作動部材と遮蔽板との連繋部を示す要部縦断側面図である。
【図６３】実施例に係るシャッター装置の下レール部材と飾り部材との関係を示す要部縦断側面図である。
【図６４】実施例に係るシャッター装置の横断平面図である。
【図６５】実施例に係るシャッター装置を、左シャッター部材を遮蔽位置に臨ませた状態で示す要部横断平面図である。
【図６６】実施例に係るシャッター装置を、左シャッター部材を開放位置に臨ませた状態で示す要部横断平面図である。
【図６７】実施例に係る上下の弧状装飾体と飾り部材を前側から見た分解斜視図である。
【図６８】実施例に係る上下の弧状装飾体と飾り部材を後側から見た分解斜視図である。
【図６９】実施例に係る裏ユニットと左上部発光装飾装置のＬＥＤ基板との関係を示す正面図である。
【図７０】実施例に係る裏ユニットと右上部発光装飾装置のＬＥＤ基板との関係を示す正面図である。
【図７１】実施例に係る裏ユニットと左側部発光装飾装置のＬＥＤ基板との関係を示す正面図である。
【図７２】実施例に係る裏ユニットと右側部発光装飾装置のＬＥＤ基板との関係を示す正面図である。
【図７３】実施例に係る裏ユニットの上部縦断側面図である。
【図７４】実施例に係る裏ユニットの上部縦断側面図であって、左右上部の発光装飾装置と装飾用窓部との関係を概略で示す。
【図７５】(ａ)は、実施例に係る左上部発光装飾装置を前側から見た分解斜視図であり、(ｂ)は、実施例に係る左上部発光装飾装置を後側から見た分解斜視図である。
【図７６】(ａ)は、実施例に係る右上部発光装飾装置を前側から見た分解斜視図であり、(ｂ)は、実施例に係る右上部発光装飾装置を後側から見た分解斜視図である。
【図７７】実施例に係る左側部発光装飾装置を前側から見た分解斜視図である。
【図７８】実施例に係る左側部発光装飾装置を後側から見た分解斜視図である。
【図７９】実施例に係る右側部発光装飾装置を前側から見た分解斜視図である。
【図８０】実施例に係る右側部発光装飾装置を後側から見た分解斜視図である。
【図８１】実施例に係る遊技盤における左側部の要部縦断平面図である。
【図８２】実施例に係る遊技盤における右側部の要部縦断平面図である。
【図８３】実施例に係る左側部発光演出装置を前側から見た分解斜視図である。
【図８４】実施例に係る左側照明手段を後側から見た分解斜視図である。
【図８５】実施例に係る右側部発光演出装置を前側から見た分解斜視図である。
【図８６】実施例に係る右側照明手段を後側から見た分解斜視図である。
【発明を実施するための形態】
【００１１】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１２】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤３０(図２参照)を着脱可能に保持された本体枠としての中枠１２が開閉および着脱可能に組付けられて、該遊技盤３０の裏側に対して、各種図柄を変動表示可能な図柄表示装置１９が着脱し得るよう配設されている。また、前記中枠１２の前面側には、前記遊技盤３０を透視保護するガラス板を備えた装飾枠としての前枠１３が開閉可能に組付けられると共に、該前枠１３の下方にパチンコ球を貯留する下球受け皿１５が開閉可能に組付けられる。なお、実施例では、前記前枠１３の下部位置に、パチンコ球を貯留する上球受け皿１４が一体的に組付けられており、前枠１３の開閉に合わせて上球受け皿１４も一体的に開閉するよう構成される。
【００１３】
(中枠について)
図３に示すように、前記中枠１２は、上縁をなす合成樹脂製の上枠部材２０と、下縁をなし、スピーカ１６や打球発射装置１７、操作ハンドル１８等が設置された合成樹脂製の下枠部材２１と、左側縁をなす金属製の左枠部材２２と、右側縁をなす金属製の右枠部材２３とから構成されて、これら上下左右の枠部材２０,２１,２２,２３を組付けた際に、全体が前記外枠１１の開口に整合する矩形枠状に形成される。そして、前記上下左右の枠部材を組付けた際に前後に開口する開口部分が、前記遊技盤３０を設置する遊技盤保持部２４として機能する。ここで、前記中枠１２は、前記外枠１１の左上端部および左下端部に設けられた支軸(図示せず)を介して枢支され、左側端部を中心として中枠１２を回転させることで、該外枠１１に対して中枠１２を開閉し得るようになっている。
【００１４】
また、図３に示すように、前記左枠部材２２の開口内側(遊技盤保持部２４側)には、上下に離間する位置に、前記遊技盤３０の左側端部を回転および着脱可能に保持する回転保持具２５ａ,２５ａが複数(実施例では２個であるが、１個或いは３個以上であってもよい)設けられると共に、上下の枠部材における右端部(右枠部材２３側)に、固定位置および固定解除位置に回転可能な固定具２５ｂ,２５ｂが夫々設けられており、該固定具２５ｂ,２５ｂにより遊技盤３０の右側上下端部を中枠１２に固定し得るようになっている。すなわち、前記遊技盤３０を中枠１２に配設するには、該遊技盤３０の左側端部を前記回転保持具２５ａ,２５ａで保持した状態で、遊技盤３０の右側端部を押し込んで遊技盤３０の左側端部(回転保持具２５ａ,２５ａ)を中心に回動させて遊技盤３０の全体を遊技盤保持部２４に臨ませて、前記固定具２５ｂ,２５ｂを固定位置に回転変位させて遊技盤３０の右側上下端部を支持固定する。このように、実施例に係る遊技盤３０は、前記中枠１２と同様に、左側端部が回転中心となるよう支持される。
【００１５】
図３または図６に示すように、前記上枠部材２０の裏側には、設置枠台等に設けられた外部球供給設備から供給されるパチンコ球を貯留する球タンク２６が、該上枠部材２０の左右幅の略全幅に亘って設けられている。この球タンク２６は、図６に示すように、前記遊技盤保持部２４に配設された遊技盤３０の裏側上部に重なるよう形成されており、遊技盤３０の上下寸法を最大限大きくし得るようになっている。また、前記下枠部材２１の裏側には、前記上下の球受け皿１４,１５に連通する球供給路および設置枠台に設けた球回収樋に連通する球排出路が夫々形成されたセット部材(何れも図示せず)が配設されており、該セット部材にパチンコ機１０を制御する制御装置７００(図１３参照)が配設されている。なお、前記球タンク２６とセット部材とは、両部材間に架設された球通路ユニット２７(図３参照)を介して連通接続されており、該球通路ユニット２７に配設された球払出し装置(図示せず)の駆動により球タンク２６に供給されたパチンコ球を前記上下の球受け皿１４,１５へ給出するよう構成されている。
【００１６】
(遊技盤について)
前記中枠１２の遊技盤保持部２４に配設される前記遊技盤３０は、図２または図４に示すように、前面(盤面)にパチンコ球が流下可能な遊技領域３２が画成され、アクリルやポリカーボネート等の光透過性の合成樹脂材からなる平板状の透明板３１と、該透明板３１の後面に組付けられて前記図柄表示装置１９が着脱可能に配設されると共に何れも後述するシャッター装置(遊技演出部品)５００や発光装飾装置(遊技演出部品)９０,１０５,１２０,１４５,１６７、側部発光演出装置(遊技演出部品)１７０,１７７が配設される不透明な合成樹脂材で形成された裏ユニット５０とから構成され、該裏ユニット５０に形成された前後に開口する開口部５２ａを介して図柄表示装置１９の表示面１９ａを前面側から視認し得るよう構成されている。ここで、裏ユニット５０に形成される開口部５２ａは、該裏ユニット５０の上下および左右幅の大部分が開口する大型の開口部５２ａである。なお、実施例の透明板３１は、アクリル樹脂により一定の厚み寸法(１０ｍｍ)の平板状に形成されている。ここで、前記透明板３１および裏ユニット５０は、外郭形状が略整合する大きさおよび形状に形成されて、該透明板３１と裏ユニット５０とを組付けた状態で透明板３１の後面を裏ユニット５０で全面的に覆うよう構成され、前側から遊技盤３０(裏ユニット５０)の裏側を視認し得ないようになっている。
【００１７】
(透明板について)
図２,図４または図７に示すように、前記透明板３１の前面には、左方に膨出する円弧状に形成した案内レール３４が配設されると共に、該案内レール３４の右方位置に、左端縁を右方に凹む円弧状に形成した第１盤面飾り部材３３ａが配設されている。そして、前記案内レール３４および第１盤面飾り部材３３ａにより前記遊技領域３２が略円形状に画成される。また、前記透明板３１の盤面には、前記案内レール３４の左方(遊技領域３２の外側)に第２盤面飾り部材３３ｂが配設されている。前記第１および第２盤面飾り部材３３ａ,３３ｂの夫々は、不透明な合成樹脂材から形成されており、透明板３１において該第１および第２盤面飾り部材３３ａ,３３ｂが配設された部分を除いた領域(すなわち遊技領域３２)で裏側(裏ユニット５０)を視認し得るよう構成されている。また、前記透明板３１には、前記第１および第２盤面飾り部材３３ａ,３３ｂと重なる部位に、前記裏ユニット５０との固定用の複数の嵌入孔３１ｄおよびネジ孔３１ｅが後方に開口するよう形成されている。なお、前記透明板３１の遊技領域３２内には、多数の遊技釘(図示せず)が植設されており、該遊技領域３２を流下するパチンコ球の接触により流下方向を不規則に変更させ得るようになっている。
【００１８】
図７に示すように、前記案内レール３４は、透明板３１の盤面における外周近傍に設けられ、帯状の金属薄板を円弧状に湾曲させた外レール３５と、該外レール３５の右方に離間して設けられる合成樹脂製の内レール３６とから構成されている。ここで、前記外レール３５および内レール３６は、１個のパチンコ球が通過し得るよう離間して透明板３１に設けられており、該内外のレール３５,３６によりパチンコ球が通過可能な発射通路３４ａが画成されている。なお、内レール３６は、透明板３１の左側の上部に開放端を臨ませるよう構成され、打球発射装置１７から発射されたパチンコ球は、透明板３１の下側から左側に両レールで案内され、内レール３６の開放端から遊技領域３２の上部に打ち出されて、該遊技領域３２内を流下するようになっている。
【００１９】
前記内レール３６は、図２,図４または図７に示すように、前記外レール３５に倣う円弧状に形成されたレール本体３６ａと、レール本体３６ａの下端部に形成されて遊技領域３２の内側に延出する平板部３６ｂとから構成されている。ここで、前記内レール３６の平板部３６ｂは、前記遊技領域３２の最下流部に位置するよう設けられており、該平板部３６ｂに前後に開口するアウト口３６ｃが開設されている。また、前記透明板３１には、前記アウト口３６ｃに対応する位置に、前後に開口すると共に下方に開口する球排出切欠き部(排出口)３１ｆが形成されており、前記遊技領域３２の最下流部まで流下したパチンコ球が前記アウト口３６ｃおよび球排出切欠き部３１ｆを介して遊技盤３０(透明板３１)の裏側に排出されるようになっている。なお、前記球排出切欠き部３１ｆから排出されたパチンコ球は、前記中枠１２の裏側に設けられた球回収部(図示せず)に案内されて、該球回収部から設置枠台等に設けられた外部球回収樋(図示せず)に回収されるようになっている。また、平板部３６ｂの後面(透明板３１との対向面)には、シボ加工等の光拡散加工が施されており、前記球排出切欠き部３１ｆや前記裏ユニット５０の配線挿通用切欠き部５５ａ(後述)の開口縁部を前側から視認困難にしている。
【００２０】
また、前記透明板３１には、前記裏ユニット５０に形成された開口部５２ａの前側に前後に貫通する貫通口３０ａ(図５または図７参照)が形成されており、該貫通口３０ａに対して前後に開口する枠状の枠状装飾体２００(後述)が配設されている。すなわち、前記裏ユニット５０の開口部５２ａから臨む前記図柄表示装置１９の表示面１９ａは、前記枠状装飾体２００における前後に開口する窓口２００ａを介して透明板３１の前側に露出して、該図柄表示装置１９の表示面１９ａで展開される図柄変動演出を前側から視認し得るようになっている。また、この枠状装飾体２００の上縁部には、透明板３１より前面に突出する円弧状の庇状部２０８(後述)が設けられており、前記遊技領域３２に打ち出されたパチンコ球が枠状装飾体２００の窓口２００ａを横切って流下(落下)するのを庇状部２０８で規制している。
【００２１】
また透明板３１の前面には、図７に示す如く、前記貫通口３０ａ(枠状装飾体２００の配設位置)の下方位置において透明板３１の左右方向の略中央位置に、前後に開口する第１装着口３１ｂが開設されており、前記遊技領域３２を流下するパチンコ球が入賞可能な始動入賞装置(入賞装置)３８や特別入賞装置(入賞装置)４３を該第１装着口３１ｂに配設するよう構成されている。実施例では、前記始動入賞装置３８の下方に特別入賞装置４３が配設されている。そして、前記始動入賞装置３８の始動入賞口(入賞口)４０ａ,４０ｂへのパチンコ球の入賞を契機として、所定数(例えば５個)のパチンコ球が賞球として前記上下の下球受け皿１５に払い出されると共に前記図柄表示装置１９の表示面１９ａにおいて図柄変動演出が開始され、該図柄変動演出の結果、図柄表示装置１９の表示面１９ａに所定の図柄組み合わせ(例えば同一図柄の三つ揃い等)で図柄が停止表示されることで所謂「大当り」が発生し、これにより特別入賞装置４３へのパチンコ球の入賞が許容されて多数の賞球を獲得し得るようになっている。また、前記透明板３１における前記第１装着口３１ｂの左右側方には、前後に開口する第２装着口３１ｃが開設されると共に、各第２装着口３１ｃに普通入賞装置４８を取り付けるよう構成されており、前記遊技領域３２を流下するパチンコ球が普通入賞装置４８に入賞することで、所定数(例えば１０個)のパチンコ球が賞球として前記上下の球受け皿１４,１５に払い出されるようになっている。
【００２２】
(始動入賞装置について)
ここで、前記透明板３１に配設される前記始動入賞装置３８の構成について簡単に説明する。図８(a)に示すように、始動入賞装置３８は、前記透明板３１の前面に取着される第１取付ベース板(取付ベース板)３９と、該第１取付ベース板３９の前面側に設けられて、遊技領域３２を流下するパチンコ球が入賞可能な上部始動入賞口４０ａと、該上部始動入賞口４０ａの下方に設けられて、遊技領域３２を流下するパチンコ球が入賞可能な下部始動入賞口４０ｂと、第１取付ベース板３９の後面側に設けられ、前記第１装着口３１ｂに前側から挿通可能な装置本体４１とから構成され、該装置本体４１を前記第１装着口３１ｂに前側から挿通した状態で、透明板３１の前面に第１取付ベース板３９がネジ固定される。ここで、前記第１取付ベース板３９は、不透明な合成樹脂材により非光透過性に形成されており、前記裏ユニット５０の後述する第１収容部７６ａ(第１仕切り壁７６)の開口縁部を前側から視認困難にしている。
【００２３】
また、前記始動入賞装置３８には、前記下部始動入賞口４０ｂを挟む左右位置に、相互に近接および離間するよう揺動可能な一対の羽根部材(開閉部材)４２,４２が設けられており、該一対の羽根部材４２,４２が相互に近接するよう揺動した状態(図８(a)参照)ではパチンコ球の入賞が不能となるよう下部始動入賞口４０ｂが閉鎖され、該一対の羽根部材４２,４２が相互に離間するよう揺動した状態ではパチンコ球が入賞可能となるよう下部始動入賞口４０ｂが開放されるようになっている。更に、前記始動入賞装置３８の装置本体４１には、前記羽根部材４２,４２を揺動させる駆動手段としての駆動ソレノイド４１ａが配設されると共に、前記上下の始動入賞口４０ａ,４０ｂに入賞したパチンコ球を検出する球検出センサ４１ｂが設けられており、該球検出センサ４１ｂがパチンコ球を検出することで、賞球が払い出されると共に前記図柄表示装置１９において図柄変動演出が開始されるようになっている。
【００２４】
(特別入賞装置について)
次に、前記透明板３１に配設される前記特別入賞装置４３の構成について簡単に説明する。図８(b)に示すように、前記特別入賞装置４３は、記透明板３１の前面に取着され、前後に開口する横長の特別入賞口(入賞口)４４ａが開設された第２取付ベース板(取付ベース板)４４と、該第２取付ベース板４４の後面側に設けられ、前記第１装着口３１ｂに前側から挿通可能な装置本体４５と、該装置本体４５に形成されて特別入賞口４４ａに整合するよう前方に開口し、該特別入賞口４４ａを介してパチンコ球が入賞可能な入賞空間４６と、装置本体４５に枢支されて特別入賞口４４ａを開閉自在に閉成する開閉扉４７とを備え、該装置本体４５を第１装着口３１ｂに前側から挿通した状態で、第２取付ベース板４４が透明板３１の前面にネジ固定される。ここで、前記第２取付ベース板４４は、不透明な合成樹脂材により非光透過性に形成されており、前記裏ユニット５０の後述する第２収容部７７ａ(第２仕切り壁７７)の開口縁部を前側から視認困難にしている。また、前記始動入賞装置３８および特別入賞装置４３は、前記第１取付ベース板３９の下端部と前記第２取付ベース板４４の上端部とが近接すると共に、該第２取付ベース板４４の下端部と前記平板部３６ｂの上端部とが近接するよう構成され、前記第１および第２収容部７６ａ,７７ａや配線挿通用切欠き部５５ａの前側を、第１および第２取付ベース板３９,４４と平板部３６ｂとで覆うようになっており、透明板３１(遊技盤３０)の前側から裏ユニット５０の裏側が視認されないよう構成されている。
【００２５】
前記開閉扉４７は、前記特別入賞口４４ａに略整合する大きさの平板状に形成されて、上端部が前後方向に変位するよう前記装置本体４５に枢支される。すなわち、前記開閉扉４７が前記特別入賞口４４ａを閉鎖した状態(図８(b)参照)ではパチンコ球の特別入賞口４４ａへの入賞が不能となり、該開閉扉４７の上端部が前方へ揺動した状態ではパチンコ球の特別入賞口４４ａへの入賞が許容されるようになっている。更に、前記特別入賞装置４３の装置本体４５には、前記開閉扉４７を揺動させる駆動手段としての駆動ソレノイド(図示せず)が配設されると共に、入賞空間４６に入賞したパチンコ球を検出する球検出センサ(図示せず)が設けられており、該球検出センサがパチンコ球を検出することで賞球が払い出されるようになっている。なお実施例に係るパチンコ機１０では、前記図柄表示装置１９に所定の図柄組み合わせで図柄が停止して大当りが発生した場合に、複数回(例えば１５回)のラウンド遊技を繰り返すよう特別入賞装置４３の駆動ソレノイドが駆動制御される。ここで、１回のラウンド遊技は、前記開閉扉４７が所定時間(例えば３０秒)に亘って開放するか、球検出センサが所定数(例えば１０個)のパチンコ球を検出することで開閉扉４７が閉鎖されて終了するようになっている。
【００２６】
(枠状装飾体について)
前記枠状装飾体２００は、前後方向に開口する略円形の枠状に形成されて、図２に示すように、前記透明板３１に開設した貫通口(開口部)３１ａに取付けられるようになっている。そして、前記裏ユニット５０に配設された前記図柄表示装置１９が枠状装飾体２００の内側(窓口２００ａ)に臨んで前側から視認し得るようになっている。また、図１４に示すように、枠状装飾体２００の上部には、遊技状態に合わせて発光および可動演出を行なう演出ユニット２０１が取付けられ、該演出ユニット２０１が枠状装飾体２００の窓口２００ａに臨んで前側から視認されるようになっている。前記枠状装飾体２００は、図１５に示すように、上下に分割されて上枠体２０２および下枠体２０３から構成されている。前記枠状装飾体２００の外周壁２０４(後述する上部外周壁２２５および下部外周壁２５２から構成)は、前記透明板３１の貫通口３１ａの内側を僅かに離間して沿うよう形成されており、枠状装飾体２００の外周壁２０４を貫通口３１ａに対して前側から挿入して、枠状装飾体２００は透明板３１に組付けられるようになっている。また、枠状装飾体２００の左右には、遊技領域３２を流下するパチンコ球を枠状装飾体２００の内周下縁部(後述するステージ部２７１)へ取込む一対の球通路部２７４,２７４が設けられている。
【００２７】
(上枠体について)
図１５に示すように、前記上枠体２０２は、透明板３１に取付けられる後枠部材２０５と、該後枠部材２０５の前側に組付けられる前枠部材２０６とから構成され、該前枠部材２０６の前側に被覆部としての上枠装飾カバー(装飾カバー)２０７が取付けられている。また、図１４に示すように、上枠体２０２の前側は、枠状装飾体２００を透明板３１に組付けた際に該透明板３１の前面から前方へ突出する庇状部２０８を構成しており、遊技領域３２を流下するパチンコ球を庇状部２０８に接触させることで、パチンコ球が上枠体２０２を横切って枠状装飾体２００の内側へ流入しないよう構成されている。
【００２８】
(後枠部材について)
前記後枠部材２０５は、全体が無色の透明部材で構成されて、周囲からの光を透過させ得るようになっている。図１６に示すように、前記後枠部材２０５は、前記透明板３１の前面に前側から当接する当接取付部２０９が上方へ突出して形成され、該当接取付部２０９を透明板３１に当接させてネジ止めすることで、後枠部材２０５が透明板３１に取付けられるようになっている。また、前記後枠部材２０５の左右の側部に、遊技領域３２側へ突出する側方フランジ部２１０,２１０が形成され、後枠部材２０５を透明板３１に組付けた際に側方フランジ部２１０,２１０が透明板３１の前面に当接するようになっている(図４参照)。そして、各側方フランジ部２１０を透明板３１に当接させた状態で、該側方フランジ部２１０は透明板３１にネジ止めされるようになっている。
【００２９】
図１６に示すように、各側方フランジ部２１０の前面には、左右方向に離間して一対の突状片２１１,２１１が前方へ突出して形成されている。両突状片２１１,２１１の離間間隔は、パチンコ球の直径より僅かに大きく設定されている。また、外側(遊技領域３２側)の突状片２１１には、ネジ孔を備えたボス受け部２１１ａが設けられている。更に、左側の側方フランジ部２１０には、両突状片２１１,２１１の間に位置して前後方向に開放するセンサ取付口２１２が開設され、該センサ取付口２１２に球検出センサ２１３を後方から挿通して取付けるようになっている。図１７に示すように、この球検出センサ２１３は、矩形状のセンサ本体２１４に上下に開放する通過口２１４ａが開設され、該通過口２１４ａをパチンコ球が通過することで球検出センサ２１３がパチンコ球を検出して、後述する普通図柄表示部１４４の普通用ＬＥＤ(図示せず)を変動させるものである。前記センサ本体２１４の後部には、パチンコ球の検出信号を送信する配線２１３ａが導出しており、この配線２１３ａは、後述する第１,第２配線通路２３１,２４１を介して透明板３１の後方へ引出されるようになっている。なお、実施例では、球検出センサ２１３は、枠状装飾体２００の左側にのみ取付けられるようになっている。そのため、右側の側方フランジ部２１０には、前記センサ取付口２１２等、球検出センサ２１３を設置するための部材は設けられていない。
【００３０】
図１８に示すように、左側(図１８では右側)の側方フランジ部２１０の後面には、センサ取付口２１２の上下の開口縁部から後方へ突出する一対のセンサ固定片２１５,２１５が設けられ、球検出センサ２１３をセンサ取付口２１２に挿入する際に該球検出センサ２１３を上下のセンサ固定片２１５,２１５で案内すると共に、センサ取付口２１２に取付けられた球検出センサ２１３の上下の面を両固定片２１５,２１５で支持するよう構成されている(図１９参照)。図１７に示すように、左側の側方フランジ部２１０の後面には、後方へ突出する鉤状のフック部２１６が形成され、該フック部２１６が球検出センサ２１３のセンサ本体２１４の後端部を係止するようになっている。図１９に示すように、左側の側方フランジ部２１０の後面におけるフック部２１６の右側(図１９では左側)には、上下に離間する一対の通路画成壁２１７,２１７により、左右方向へ延在する配線連通路２１８が形成されている。この配線連通路２１８は、後述する第１配線通路２３１に連通しており、センサ取付口２１２に取付けた球検出センサ２１３の配線２１３ａを配線連通路２１８を介して第１配線通路２３１へ案内するようになっている。
【００３１】
前記後枠部材２０５には、前方へ延出して前記庇状部２０８の外側面を構成する庇状部外周壁２１９が形成されると共に、該庇状部外周壁２１９から内側へ延出する内側延出部２２０が形成されている。前記庇状部外周壁２１９は、図２０に示すように、後枠部材２０５を前記透明板３１に組付けた際に、該透明板３１の前面から前方へ延出するようになっている。図１６に示すように、前記庇状部外周壁２１９の左右の内側面には、鉤状の下枠係止片２２１,２２１が内側へ突出して形成されている。そして、前記内側延出部２２０の各下枠係止片２２１より下側の領域が下枠取付面２２２とされて、各下枠取付面２２２に前記下枠体２０３の固定片２６３(後述)が固定されるようになっている。各下枠取付面２２２には、前方へ突出する取付突起２２３が形成されると共に、下枠取付面２２２の下端部に球通路固定孔２２４が形成されている。
【００３２】
前記後枠部材２０５には、前記当接取付部２０９から後方へ突出して枠状装飾体２００の外周壁２０４の上部を構成する上部外周壁(第１後方延出部)２２５が形成されている。前記上部外周壁２２５は、透明板３１の貫通口３１ａの開口縁部に沿って延在するよう形成されると共に、図２０に示すように、枠状装飾体２００を透明板３１に組付けた際に上部外周壁２２５が貫通口３１ａを介して透明板３１の後面より後方へ延出するようになっている。図２１に示すように、この上部外周壁２２５の中央位置には、該上部外周壁２２５の後縁部から前方へ切り欠いて形成された取付凹部２２６が形成されている。更に、取付凹部２２６を画成する上部外周壁２２５の後縁部には、第１通出切欠２２７が形成されている。図１８に示すように、前記上部外周壁２２５の内周面には、複数の固定突起２２５ａおよびネジ孔２２５ｂが形成されている。また、上部外周壁２２５の左側の内周面に、前記球検出センサ２１３の配線２１３ａを引っ掛けて誘導する配線フック２２８が複数設けられている。図１９に示すように、上部外周壁２２５の左側部には、上下の通路画成壁２１７,２１７の間に位置して配線連通口２２９が形成され、該配線連通口２２９を介して前記配線連通路２１８が第１配線通路２３１に連通している。
【００３３】
前記後枠部材２０５は、前記上部外周壁２２５に対し内側に離間して後方に延出する第１内周壁２３０,２３０が左右に設けられている。この第１内周壁２３０は、枠状装飾体２００の内周壁の一部を構成するものであって、図２０に示すように、枠状装飾体２００を透明板３１の貫通口３１ａに組付けた際に、第１内周壁２３０が貫通口３１ａを介して透明板３１の後面から後方へ突出するようになっている。また、第１内周壁２３０の上下方向に延在する部位は、前記上部外周壁２２５より更に後方へ延出するよう構成されている。前記第１内周壁２３０は、光拡散処理が施されており、後述する左側部発光演出装置１７０および右側部発光演出装置１７７に設けられたＬＥＤの光が左右の第１内周壁２３０,２３０に照射されて、該第１内周壁２３０,２３０が明輝されるようになっている。また、各第１内周壁２３０には、所要の図柄模様が付されており、該第１内周壁２３０に光が照射された際に当該模様が明輝されるよう構成される。ここで、前記第１内周壁２３０は、図１９に示すように、前記上部外周壁２２５に対し内側へ所定間隔離間して略平行に延在している。そして、左側の第１内周壁２３０と上部外周壁２２５とにより、前記球検出センサ２１３の配線２１３ａを通す第１配線通路２３１が画成されている。
【００３４】
(前枠部材について)
図２２(ａ)は、上枠装飾カバー２０７が取付けられた状態の前枠部材２０６を示す正面図である。前記前枠部材２０６は、後述する左右の前枠装飾部(被覆部)２３３,２３３を除き、全体が透明部材で構成されている。図２２(ｂ)に示すように、前枠部材２０６は、該前枠部材２０６の外側へ延出すると共に前記後枠部材２０５の内側延出部２２０と略同一形状に形成された外側延出部２３２を備える。この外側延出部２３２は、前枠部材２０６を後枠部材２０５に組付けた際に、前記内側延出部２２０の前側に位置するようになっている。前記外側延出部２３２の左右の端部側には、所要の装飾柄が直接印刷加工された前枠装飾部(被覆部)２３３,２３３が形成されている。左側の前枠装飾部２３３は、前記第１配線通路２３１の前側に位置して、該第１配線通路２３１を挿通される球検出センサ２１３の配線２１３ａが遊技者側から視認されるのを防止している。
【００３５】
図２２(ｂ)に示すように、前記外側延出部２３２の前枠装飾部２３３の後面における下部側には、通路固定ボス２３４が後方へ突出している。また、外側延出部２３２の各前枠装飾部２３３には、遊技領域３２側へ延出する装飾フランジ部２３５が形成されており、前枠部材２０６を後枠部材２０５に組付けた際に、装飾フランジ部２３５の後面が前記側方フランジ部２１０に設けた前記突状片２１１,２１１の前端に当接するようになっている(図１７参照)。そして、この装飾フランジ部２３５および両突状片２１１,２１１により、前記遊技領域３２を流下するパチンコ球が通過可能な球通過ゲート２３６が画成されるようになっている。各装飾フランジ部２３５の後面には、矩形状のセンサ支持面２３７が形成され、前記センサ取付口２１２に挿通した球検出センサ２１３の前端面に左側のセンサ支持面２３７が当接して、球検出センサ２１３を前方から位置規制するようになっている。すなわち、前記球検出センサ２１３を前記後枠部材２０５のセンサ取付口２１２の後方から挿通し、該球検出センサ２１３の前端部がセンサ支持面２３７に当接すると共に、前記フック部２１６がセンサ本体２１４の後部に係合することで、球検出センサ２１３がセンサ取付口２１２に取付けられるようになっている。このとき、球検出センサ２１３の通過口２１４ａが前記球通過ゲート２３６に臨み、該球通過ゲート２３６を通過するパチンコ球を球検出センサ２１３が検出するよう構成される。
【００３６】
前記装飾フランジ部２３５の後面には、ネジ孔が形成された固定ボス２３５ａが形成され、前枠部材２０６を後枠部材２０５に組付けた際に、該固定ボス２３５ａの後端が前記側方フランジ部２１０に設けたボス受け部２１１ａに嵌合するようになっている。そして、側方フランジ部２１０のボス受け部２１１ａに嵌合した装飾フランジ部２３５の固定ボス２３５ａをネジ止めすることで、側方フランジ部２１０および装飾フランジ部２３５が固定されるようになっている。
【００３７】
前記前枠部材２０６は、後方へ延出する第２内周壁(第２後方延出部)２３８を備えている。この第２内周壁２３８は、前記後枠部材２０５の第１内周壁２３０と共に枠状装飾体２００の内周壁を構成するものであって、枠状装飾体２００を透明板３１の貫通口３１ａに組付けた際に、該貫通口３１ａを介して第２内周壁２３８が透明板３１の後方へ延出するようになっている。第２内周壁２３８は、左右両側に位置して前記第１内周壁２３０に沿って延在する側部内周壁２３９,２３９と、第２内周壁２３８の中央部に位置する央部内周壁２４０とから構成される。前記側部内周壁２３９の後端縁は、前記第１内周壁２３０の前端縁に一致するように延在しており、前枠部材２０６を後枠部材２０５に組付けた際に、側部内周壁２３９の後端縁が第１内周壁２３０の前端縁に当接して同一面をなすようになっている(図１４参照)。
【００３８】
図２３に示すように、前記央部内周壁２４０は、前枠部材２０６を後枠部材２０５に組付けた際に、前記上部外周壁２２５に対し内側に離間して略平行に延在するようになっている。そして、央部内周壁２４０および上部外周壁２２５で画成される円弧状の通路が、前記球検出センサ２１３の配線２１３ａを通す第２配線通路２４１を構成している。前記第２配線通路２４１は、第１配線通路２３１に連通しており、球検出センサ２１３の配線２１３ａは、第１配線通路２３１および第２配線通路２４１を介して上枠体２０２の上部略中央位置まで案内されるようになっている。すなわち、球検出センサ２１３の配線２１３ａは、枠状装飾体２００の内部を該装飾体２００の開口縁部に沿って挿通案内されるようになっている。なお、第２配線通路２４１を挿通された配線２１３ａは、前記第１通出切欠２２７(後述する配線通出口３２３)を介して第２配線通路２４１から導出し、後述する演出ユニット中継基板(中継基板)３１１の配線２０１ａと束ねられて透明板３１の後方へ引出されるようになっている(図２４参照)。そして、球検出センサ２１３の配線２１３ａは、前記裏ユニット５０の後述する上部中央配線挿通口７１を介して後方へ引出され、該配線２１３ａのコネクタ差込み部２１３ｂが前記中枠１２に設けた中継基板７０２に接続される。そして、球検出センサ２１３は、中継基板７０２を介して、前記中枠１２の裏側に設けた制御装置７００に電気的に接続される。
【００３９】
前記第２内周壁２３８には、全体に光拡散処理が施されており、周囲から到来した光を拡散させて明輝されるようになっている。また、第２内周壁２３８に光拡散処理を施すことで、前記第１配線通路２３１,第２配線通路２４１を挿通される球検出センサ２１３の配線２１３ａを見え難くしている。なお、前記側部内周壁２３９における前記前枠装飾部２３３に対応する部位には、前記後枠部材２０５の第１内周壁２３０と同様な所要の模様が付され、装飾効果の向上が図られている。
【００４０】
前記外側延出部２３２における前枠装飾部２３３を除く部位には、前記上枠装飾カバー２０７が前側から取付けられるようになっている。この上枠装飾カバー２０７は、不透明な部材で構成されると共に、表面に所要の装飾模様が施されている。そして、上枠装飾カバー２０７は、前記第１配線通路２３１および第２配線通路２４１の前側に位置して両通路２３１,２４１を覆い、該通路２３１,２４１を挿通される球検出センサ２１３の配線２１３ａが前側から視認されないようになっている。なお、上枠装飾カバー２０７を外側延出部２３２に取付けた際に、該上枠装飾カバー２０７の両端部が各前枠装飾部２３３の上部側に整合して、上枠装飾カバー２０７および左右の前枠装飾部２３３,２３３が円弧状に整列するようになっている(図２２(ａ)参照)。
【００４１】
(下枠体について)
図２５に示すように、前記下枠体２０３は、前記透明板３１に取付けられて該下枠体２０３の前面を構成する下枠装飾カバー２４２(図２５には、中央カバー部２４７(後述)のみ図示)と、該下枠装飾カバー２４２が前面に取付けられる下枠ベース部材２４３と、該下枠ベース部材２４３に後方から組付けられるステージ形成部材２４４と、該ステージ形成部材２４４に後方から組付けられる壁部材２４５とから基本的に構成され、下枠装飾カバー２４２を除く各部材２４３,２４４,２４５は透明部材で構成されている。
【００４２】
(下枠装飾カバーについて)
前記下枠装飾カバー２４２は、図１４に示すように、左側カバー部２４６、中央カバー部２４７および右側カバー部２４８の３つのカバー部で構成され、各部材は、光拡散処理が施されると共に所要の模様が付されて装飾効果が高められている。なお、前記左側カバー部２４６および右側カバー部２４８は、左右対称形状であるので、以下の説明では、左側カバー部２４６のみを説明することとし、右側カバー部２４８については同じ符号を付して詳細な説明を省略する。
【００４３】
左側カバー部２４６は、薄板状の略三日月形状に形成され、前記透明板３１の前面に左側カバー部２４６を当接させた状態でネジ止めすることで、左側カバー部２４６が透明板３１に取付けられるようになっている(図２参照)。図２６に示すように、左側カバー部２４６の後面に、ネジ孔を有する固定ボス２４６ａが後方へ突出して複数設けられている。左側カバー部２４６の前記中央カバー部２４７側(右側)の端部には、外方へ突出するカバー係合片２４９が形成され、左側カバー部２４６は、中央カバー部２４７の上縁部後面に係止した状態で、下枠ベース部材２４３に取付けられるようになっている。
【００４４】
前記中央カバー部２４７は、前記左側カバー部２４６よりも長尺な三日月形状をなしており、中央カバー部２４７を透明板３１に当接させてネジ止めすることで、該中央カバー部２４７が透明板３１の前面に取付けられるようになっている。中央カバー部２４７の中央には、前記始動入賞装置３８の上部始動入賞口４０ａの直上で開口してパチンコ球をステージ部２７１から排出する球出口２５０が形成されている。また、中央カバー部２４７の上部中央位置に凹み部２４７ａが形成され、この凹み部２４７ａを挟む左右両側は、前記ステージ部２７１からパチンコ球が落下するのを阻止するカバー規制壁２５１,２５１を構成している。
【００４５】
中央カバー部２４７の後面には、ネジ孔が設けられた固定ボス２４７ｂが後方へ突出して４つ設けられている。更に、図２５に示すように、中央カバー部２４７の左右両端には、夫々、左側カバー部２４６および右側カバー部２４８に向けて突出するカバー係合片２４９,２４９が形成されている。そして、中央カバー部２４７の両カバー係合片２４９,２４９が、夫々、左側カバー部２４６および右側カバー部２４８の後面下縁部に係止するようになっている(図２６参照)。すなわち、左側カバー部２４６および右側カバー部２４８は、夫々、中央カバー部２４７と相互にカバー係合片２４９,２４９が係止することで、下枠装飾カバー２４２全体が強固に連結されて、前記球出口２５０が前記透明板３１に対し適正に位置するようになっている。
【００４６】
前記下枠ベース部材２４３は、後方へ延出する下部外周壁２５２を備え、前記上枠体２０２および下枠体２０３を組付けた際に、下部外周壁２５２と前記後枠部材２０５の上部外周壁２２５とで枠状装飾体２００の外周壁２０４を構成するようになっている(図１５参照)。図２７に示すように、下枠ベース部材２４３には、前記下枠装飾カバー２４２が取付けられる下枠前面部２５３に前記中央カバー部２４７の左右の両端に位置する固定ボス２４７ｂ,２４７ｂが挿通される一対の通孔２５３ａ,２５３ａが設けられると共に、両通孔２５３ａ,２５３ａの間に前後方向へ開放する一対の下枠ベースボス２５４,２５４が後方へ突出して形成されている。前記下枠ベースボス２５４には、中央カバー部２４７の中央側の２つの固定ボス２４７ｂ,２４７ｂが夫々挿通されるようになっており、下枠ベースボス２５４に中央カバー部２４７の固定ボス２４７ｂを挿通した際に、両者２５４,２４７ｂの後端面が同一面に揃うよう構成される。
【００４７】
また、下枠前面部２５３の前記左側カバー部２４６および右側カバー部２４８に対応する箇所に、夫々、位置決め挿通孔２５３ｂが複数設けられている。この位置決め挿通孔２５３ｂには、左側カバー部２４６(右側カバー部２４８)に設けた固定ボス２４６ａが挿入され、後方から図示しないネジが螺挿されることで、左側カバー部２４６(右側カバー部２４８)が下枠ベース部材２４３に取付けられるようになっている。更に、図２７(ｂ)に示すように、下枠前面部２５３の後面における各下枠ベースボス２５４の側方に、後方へ突出する下枠ベース突起２５５が設けられる。
【００４８】
前記下枠前面部２５３における両下枠ベースボス２５４,２５４の間には、前後方向および上方に開放したコ字状の下枠ベース前口２５６が形成されている。この下枠ベース前口２５６は、前記中央カバー部２４７を下枠ベース部材２４３に組付けた際に該中央カバー部２４７の球出口２５０に連通するよう構成される。前記下枠ベース前口２５６の両側縁から板状の前水平通路画成壁２５７,２５７が後方へ延出すると共に、下枠ベース前口２５６の下縁から前水平通路底部２５８が後方へ延在している。そして、これら前水平通路画成壁２５７,２５７および前水平通路底部２５８によりパチンコ球を前記球出口２５０へ送る前水平通路(第２球通路)２５９が画成されている。前記前水平通路底部２５８には、前後方向に延在する一対の前水平通路リブ２６０,２６０が左右に離間して平行に設けられている。この前水平通路リブ２６０は、前方へ向けて下方傾斜しており、前水平通路２５９を流通するパチンコ球を前方へ送るよう構成される(図２８参照)。
【００４９】
下枠前面部２５３には、前後方向に延在する案内切欠２６１,２６１が左右に対応して設けられ、下枠ベース部材２４３の両案内切欠２６１,２６１の間の領域がステージ取付部２６２とされている。また、下枠ベース部材２４３の両端部には、上方へ延出する固定片２６３,２６３が夫々形成されている。なお、左右の固定片２６３,２６３は、対称形状であるので、以下の説明では、左側の固定片２６３について説明し、右側の固定片２６３については同じ符号を付して説明は省略する。図２９(ａ)に示すように、前記固定片２６３は、前記後枠部材２０５の下枠取付面２２２に整合し得る形状とされて、該固定片２６３の後面が下枠取付面２２２に当接するようになっている。固定片２６３には、前方へ突出する固定筒状部２６４が形成され、該固定筒状部２６４に前記下枠取付面２２２に設けた取付突起２２３が挿入されるようになっている。そして、固定筒状部２６４に取付突起２２３を挿入して固定片２６３を下枠取付面２２２に当接させ、後述するように前記球通路部２７４を臨ませた状態で、前記前枠部材２０６を後枠部材２０５に組付けることで、固定片２６３が前枠部材２０６および後枠部材２０５に挟持されるように構成されている。これにより、下枠ベース部材２４３(下枠体２０３)が上枠体２０２に組付けられるようになっている。
【００５０】
前記固定片２６３における固定筒状部２６４の下方に固定凹状部(凹状部)２６５が凹設され、該固定凹状部２６５に前後方向に開放する凹状部挿通孔２６６が開設されている。この凹状部挿通孔２６６は、前記固定片２６３を下枠取付面２２２に臨ませた際に、該下枠取付面２２２の前記球通路固定孔２２４に前後に整列するようになっている。また、前記凹状部挿通孔２６６は、前記前枠部材２０６の下端部に設けた通路固定ボス２３４が挿通可能に構成されている(図３０参照)。
【００５１】
前記固定片２６３は、該固定片２６３の外縁から前方へ延出する当接片部２６７を備えている。この当接片部２６７は、前記後枠部材２０５の庇状部外周壁２１９における下端部内面に沿う形状とされて、固定片２６３を下枠取付面２２２に臨ませる際に、当接片部２６７が庇状部外周壁２１９の内面に当接して案内するようになっている。また、当接片部２６７の上端縁は、固定片２６３を下枠取付面２２２に臨ませた際に、前記庇状部外周壁２１９の下枠係止片２２１に臨むよう構成される。更に、固定片２６３における前記当接片部２６７の下方に係合突起２６８が外方へ突出するよう形成され、固定片２６３を下枠取付面２２２に臨ませた際に、前記庇状部外周壁２１９の下端縁が係合突起２６８に係止されるようになっている(図２９(ｂ)参照)。
【００５２】
(ステージ形成部材について)
図３１(ａ)〜(ｃ)に示すように、前記ステージ形成部材２４４には、第１ステージ２６９と該第１ステージ２６９の前側下方に設けられた第２ステージ２７０とからなるステージ部２７１が形成されると共に、第１ステージ２６９および第２ステージ２７０の間に下方に延出するステージフランジ部２７２が形成され、前記下枠ベース部材２４３に設けたステージ取付部２６２に後方からスライドさせて、ステージ形成部材２４４が下枠ベース部材２４３に組付けられるようになっている。ステージ形成部材２４４は、前記下枠ベース部材２４３に組付けた際に、前記中央カバー部２４７の４つの固定ボス２４７ｂの後端面および下枠ベースボス２５４の後端面にステージフランジ部２７２の前面が当接支持されるようになっている(図３２参照)。この状態で、ステージフランジ部２７２に対応的に設けた通孔２７２ａを介して中央カバー部２４７の４つの固定ボス２４７ｂに図示しないネジを螺挿することで、ステージ形成部材２４４が下枠ベース部材２４３に取付けられるようになっている。
【００５３】
また、図３１(ａ)に示すように、ステージフランジ部２７２の中央側には、前記下枠ベース部材２４３の下枠ベース突起２５５,２５５が嵌入される位置決め孔２７２ｂ,２７２ｂが設けられている。更に、ステージフランジ部２７２の後面には、ネジ孔を備えた複数の固定ボス２７２ｃが後方へ突出成形されると共に、該固定ボス２７２ｃより更に後方へ突出する位置決めボス２７３,２７３が左右に離間して一対設けられている。
【００５４】
前記第１ステージ２６９および第２ステージ２７０は、何れも全体に亘って光拡散処理が施されており、両ステージに到来した光を拡散させるようになっている。前記第１ステージ２６９は、左右の両端から中央へ向けて下方傾斜するよう形成され、前記球通路部２７４を介して流入したパチンコ球を勢いよく転動させ得るようになっている。また、第１ステージ２６９の中央部は、山型状に盛り上がっており、第１ステージ２６９の転動面の中央部に到来するパチンコ球の数を抑制している。図３１(ｃ)に示すように、第１ステージ２６９の中央部には、後縁から前方へ僅かに切込まれたステージ切欠２６９ａが設けられている。また、図３１(ｂ)に示すように、第１ステージ２６９の下面には、このステージ切欠２６９ａの左右中央から下方へ突出する案内下突片２７５が形成されている。第１ステージ２６９の前端縁には、中央部および左右の両側に上方へ僅かに突出するステージ規制リブ２７６,２７６,２７６が設けられ、該リブ２７６により第１ステージ２６９を転動するパチンコ球が第２ステージ２７０へ落下するのを抑制している。また、第１ステージ２６９におけるステージ規制リブ２７６が設けられていない部位には、前方へ向けて下方傾斜してパチンコ球を前記第２ステージ２７０へ誘導する上部案内面２７７,２７７が左右に離間して２つ形成されている。
【００５５】
前記第２ステージ２７０は、左右両端側から下方傾斜した円弧状に形成され、ステージ形成部材２４４を下枠ベース部材２４３に組付けた際に、該下枠ベース部材２４３のステージ取付部２６２に整合するよう構成される。第２ステージ２７０の延在長さは、前記第１ステージ２６９より長く設定されている。また、第２ステージ２７０の中央部には、前方へ向けて下方傾斜する下部案内面２７８が形成され、パチンコ球を前方へ案内するようになっている。更に、第２ステージ２７０の左右の端部には、外方へ突出する外方案内片２７９,２７９が形成されて、前記ステージ形成部材２４４をステージ取付部２６２にスライドさせる際に、各外方案内片２７９が対応する前記案内切欠２６１に臨んで案内されるよう構成される。
【００５６】
ここで、図１４に示すように、前記第２ステージ２７０が下枠ベース部材２４３のステージ取付部２６２に臨んだ際に、第２ステージ２７０の前端縁が前記左側カバー部２４６および右側カバー部２４８の上端縁に略整合するようになっている。従って、第２ステージ２７０を転動するパチンコ球は、左側カバー部２４６または右側カバー部２４８が設けられた位置から落下したり、遊技領域３２を流下するパチンコ球が当該箇所からステージ部２７１へ変則的に流入し得るようになっている。一方、中央カバー部２４７については、第２ステージ２７０の前端縁と中央カバー部２４７の前記凹み部２４７ａの上端縁が整合すると共に、前記カバー規制壁２５１,２５１が第２ステージ２７０より上方へ突出するようになっている。これにより、第２ステージ２７０を転動するパチンコ球を該第２ステージ２７０の中央部へ積極的に誘導して、前記下部案内面２７８からパチンコ球が落下され易くなっている。
【００５７】
(壁部材について)
前記壁部材２４５は、前記ステージ部２７１を転動するパチンコ球が前記透明板３１の後方へ落下するのを防止するために設けられる板状部材であって、図１４に示すように、壁部材２４５をステージ形成部材２４４に組付けた状態にあって、該壁部材２４５の上部が枠状装飾体２００の窓口２００ａに臨むようになっている。図３３(ａ)に示すように、壁部材２４５の前面には、通孔が開設されたボス受け部２４５ａが前記ステージフランジ部２７２の固定ボス２７２ｃに対応して形成され、壁部材２４５をステージ形成部材２４４に組付けた際に、該ステージフランジ部２７２の固定ボス２７２ｃの後端がボス受け部２４５ａに嵌合するようになっている。そして、前記ボス受け部２４５ａの通孔を介してステージフランジ部２７２の固定ボス２７２ｃをネジ止めすることで、壁部材２４５がステージ形成部材２４４に取付けられるようになっている。このとき、壁部材２４５の前面に前記第１ステージ２６９の後端縁が当接して、壁部材２４５が位置決めされるよう構成される(図１４参照)。また、壁部材２４５に一対の位置決め孔２４５ｂ,２４５ｂが開設され、壁部材２４５をステージ形成部材２４４に組付けた際に、該ステージ形成部材２４４の位置決めボス２７３,２７３が位置決め孔２４５ｂ,２４５ｂを介して後方へ突出するよう構成される。
【００５８】
前記壁部材２４５の前面には、前方へ延出する支持壁部２８０,２８０が壁部材２４５の左右中央部を避けて２つ形成されている。各支持壁部２８０は、前記第１ステージ２６９に沿う形状をなしており、壁部材２４５をステージ形成部材２４４に組付けた際に、両支持壁部２８０が第１ステージ２６９の下方に僅かに離間すると共に支持壁部２８０の前端縁がステージフランジ部２７２の後面に当接して、壁部材２４５が位置決めされるようになっている。図３３(ａ)に示すように、各支持壁部２８０の内側端縁から下方に縦壁部２８１が形成されると共に、両縦壁部２８１,２８１の下端縁を連結する後水平通路底部２８２が形成されている。そして、両縦壁部２８１,２８１および後水平通路底部２８２によりパチンコ球を前方へ送る後水平通路２８３が形成されている。両縦壁部２８１,２８１の上下方向の略中央位置には、内側へ突出する水平支持壁２８４が設けられる。また、後水平通路底部２８２には、該後水平通路底部２８２から上方に突出して前後方向に延在する一対の後水平通路リブ２８５,２８５が左右方向に離間して平行に延在している。そして、壁部材２４５をステージ形成部材２４４に組付けた際に、後水平通路２８３が前記前水平通路２５９に連通するよう構成される(図２８参照)。このとき、前記後水平通路底部２８２が前記前水平通路底部２５８に当接すると共に、各後水平通路リブ２８５が対応の前水平通路リブ２６０に略整列するようになっている。また、前記水平支持壁２８４の前端縁が前記下枠ベース部材２４３の前水平通路画成壁２５７の後端縁に当接して、壁部材２４５が位置決めされるよう構成される。
【００５９】
前記壁部材２４５の左右方向の中央には、上下に延在する矩形開口部２８６が形成されている。図２８に示すように、この矩形開口部２８６は、開口下縁が前記後水平通路底部２８２に位置すると共に、開口上縁は、第１ステージ２６９の上方に位置しており、矩形開口部２８６における第１ステージ２６９の上方側が該第１ステージ２６９を転動するパチンコ球が通過可能なステージ口２８７を形成している(図１４参照)。ここで、壁部材２４５をステージ形成部材２４４に組付けた際に、前記第１ステージ２６９のステージ切欠２６９ａがステージ口２８７に臨み、パチンコ球のステージ口２８７への流入が促進されるようになっている。また、壁部材２４５には、該壁部材２４５から後方に突出する通路形成部２８８が前記矩形開口部２８６を後方から覆うように形成され、該通路形成部２８８の内部に上下に延在する垂直通路(第１球通路)２８９が画成されている。すなわち、垂直通路２８９は、前記後水平通路２８３に下側が連通しており、ステージ口２８７から流入したパチンコ球を下方へ案内して後水平通路２８３へ送るよう構成されている。なお、前記通路形成部２８８は、円柱体を半分に縦断した如き形状をなしている。
【００６０】
前記通路形成部２８８の底部には、該底部から上方に突出する一対の垂直通路リブ２９０,２９０が前後方向に平行に延在するよう設けられ、各垂直通路リブ２９０は、対応する後水平通路リブ２８５に連結している。また、図２８に示すように、垂直通路リブ２９０は、後部側が後水平通路リブ２８５より高く設定されると共に、前方へ向けて下方傾斜している。そして、垂直通路２８９を流下したパチンコ球が垂直通路リブ２９０,２９０により前方へ案内されて、後水平通路２８３へ送られるようになっている。
【００６１】
すなわち、前記壁部材２４５をステージ形成部材２４４に組付けることで、前記垂直通路２８９が、後水平通路２８３を介して前水平通路２５９に連通し、側面視で略Ｌ字状のＬ字型通路２９１が形成される。そして、このＬ字型通路２９１を流下したパチンコ球は、前記球出口２５０から前記遊技領域３２へ排出されて高確率で始動入賞装置３８の上部始動入賞口４０ａに入賞するようになっている。しかも、壁部材２４５は、垂直通路２８９および後水平通路２８３を挟むように複数設けたボス受け部２４５ａにステージフランジ部２７２の固定ボス２７２ｃが嵌合して位置決めされると共に、壁部材２４５の位置決め孔２４５ｂ,２４５ｂにステージ形成部材２４４の位置決めボス２７３,２７３が挿通されて位置決めされる構成となっており、後水平通路２８３(垂直通路２８９)および前水平通路２５９の確実な連通関係が達成されるようになっている。なお、壁部材２４５をステージ形成部材２４４に組付けた際に、前記第１ステージ２６９の下面に設けた案内下突片２７５が垂直通路２８９の前側に臨み、パチンコ球が垂直通路２８９を真っ直ぐ落下するよう案内する(図２８参照)。
【００６２】
ここで、前記壁部材２４５は、前記枠状装飾体２００を透明板３１に組付けた際に、後述するシャッター装置５００に固定された飾り部材５９７が後方から当接するようになっており、壁部材２４５を介して飾り部材５９７が前側から視認されるようになっている。そして、前記壁部材２４５の通路形成部２８８は、飾り部材５９７の後述する第２位置決め凹部(位置決め凹部)６０５に臨むよう構成され、壁部材２４５が飾り部材５９７により位置決めされるようになっている。また、壁部材２４５の位置決め孔２４５ｂ,２４５ｂから突出するステージ形成部材２４４の位置決めボス２７３,２７３の後端が、前記飾り部材５９７の後述する位置決め挿通孔(ボス挿通孔)６０６,６０６に挿通するようになっている(図２５参照)。これにより、壁部材２４５および飾り部材５９７が確実に組付けられ、前記垂直通路２８９(後水平通路２８３)および前水平通路２５９のより強固な連通構造が達成されることとなる。
【００６３】
(球通路部について)
次に、前記枠状装飾体２００の左右に設けた球通路部２７４,２４７について説明を行なう。なお、球通路部２７４は、左右対称形状であるので、左側の球通路部２７４について説明することとし、右側の球通路部２７４については、同じ符号を付して説明を省略する。図３４(ａ),(ｂ)に示すように、前記球通路部２７４は、後通路半体２９３および前通路半体２９４から構成され、両者をネジ止めして組付けることで、内部にパチンコ球が流通可能なワープ通路２９５が画成されるようになっている。後通路半体２９３は、上方へ突出する後突片２９６ａが形成され、該後突片２９６ａに前後方向に開放する通孔２９７ａが開設されている。また、後通路半体２９３の上屈曲部２９３ｂには光拡散処理が施され、上屈曲部２９３ｂに到来した光を拡散させると共に、該上屈曲部２９３ｂを介して外側が見え難くなるよう構成される。後通路半体２９３の後面には、前方へ突出する内部突状体２９８が形成されている。この内部突状体２９８の内側(右方)を指向する面は、パチンコ球を前記ステージ部２７１へ案内する内部案内面２９８ａを構成している。
【００６４】
前記前通路半体２９４は、前記後突片２９６ａと同形状の前突片２９６ｂが上方へ突出するよう形成され、該前突片２９６ｂに前後に開放する通孔２９７ｂが開設されている。そして、後通路半体２９３および前通路半体２９４を組付けた際に、前後の突片２９６ａ,２９６ｂが整合して通路取付片２９６が形成されると共に、前後の通孔２９７ａ,２９７ｂが整合して固定用通孔２９７が形成されるようになっている(図３４(ｃ)参照)。図２９(ｂ),図３０に示すように、前記通路取付片２９６は、前記下枠ベース部材２４３の固定片２６３に設けた固定凹状部２６５に整合する形状に構成されると共に、球通路部２７４の固定用通孔２９７は、通路取付片２９６を固定凹状部２６５に臨ませた際に、該固定片２６３に設けた前記凹状部挿通孔２６６に整合するよう構成される。
【００６５】
そして、この状態で、前記前枠部材２０６を後枠部材２０５に組付けると、該前枠部材２０６の通路固定ボス２３４が固定用通孔２９７および凹状部挿通孔２６６を挿通するようになっている。更に、固定用通孔２９７および凹状部挿通孔２６６を挿通した前枠部材２０６の通路固定ボス２３４が前記後枠部材２０５の球通路固定孔２２４に整合して、これら通孔２９７,２６６,２２４を介してネジを通路固定ボス２３４に螺挿することで、通路取付片２９６が前枠部材２０６および下枠体２０３(下枠ベース部材２４３)で挟持され、球通路部２７４が取付けられるようになっている。なお、球通路部２７４の下部側は、前記前通路半体２９４に設けた通孔２９４ａおよび後通路半体２９３に設けた通孔２９３ａを介して下枠体２０３にネジ止めされるようになっている。
【００６６】
前記前通路半体２９４の上部左側には、外方(左方)へ向けて開口する半円状の球入口２９９が形成されている。この球入口２９９は、球通路部２７４を枠状装飾体２００に組付けた際に遊技領域３２側へ向けて開口し、遊技領域３２を流下するパチンコ球を球入口２９９を介してワープ通路２９５内へ取入れるよう構成される。更に、前通路半体２９４の下部右側に、ワープ通路２９５を流下したパチンコ球をステージ部２７１(第１ステージ２６９)へ通出するステージ通出口３００が開口している。このステージ通出口３００は、図１４に示すように、球通路部２７４を下枠体２０３に組付けた際に第１ステージ２６９の左側端縁に臨んで、該第１ステージ２６９へ向けて開口するよう構成される。なお、前通路半体２９４における枠状装飾体２００の外方に臨む外側面には、光拡散処理が施されており、該外側面に到来した光を拡散させると共に、外側面を介して外側が見え難くなるよう構成される。
【００６７】
(演出ユニットについて)
図３５,図３６に示すように、前記演出ユニット２０１は、取付ベース３０１と、該取付ベース３０１の中央部に設けられる上部発光演出装置３０２(発光演出装置)と、該上部発光演出装置３０２を挟んで取付ベース３０１の左右に設けられる可動演出装置３０３,３０３とから構成される。そして、これらの演出装置３０２,３０３,３０３を一体的に組付けた状態で、演出ユニット２０１は、前記枠状装飾体２００の上部に取付けられるようになっている。
【００６８】
(取付ベースについて)
前記取付ベース３０１は、ベース体３０４と、該ベース体３０４の前側に取付けられる上部装飾カバー(装飾カバー)３０５とから構成される。前記ベース体３０４は、三日月形状をなす透明部材で構成されて、ベース体３０４に前記上部装飾カバー３０５と位置決めするための固定孔３０４ａおよび通孔３０４ｂが夫々複数開設されている。また、ベース体３０４の左右の前面には、通孔を備えた側方カバー用ボス受け部３０６,３０６が設けられている。また、ベース体３０４には、上方が開口する矩形状のケース体取付凹部(取付開口部)３０７,３０７が左右に離間して一対形成されている。更に、図２１に示すように、ケース体３０４の後面には、各ケース体取付凹部３０７を左右から挟むように半円状のケース体用ボス受け部３０４ｄ,３０４ｄが形成されている。また各ケース体取付凹部３０７の左右の縁部には、後方へ延出するケース体支持壁３０９,３０９が設けられている。
【００６９】
前記ベース体３０４の上部略中央位置には、矩形状の取付通孔３０４ｃが設けられ、該取付通孔３０４ｃに前記球検出センサ２１３の配線２１３ａを結束する結束バンド３１０(図２４参照)が取付けられるようになっている。図３７に示すように、前記ベース体３０４の後面には、基板取付部３１２が後方へ突出するリブにより矩形枠状に形成され、該基板取付部３１２に演出ユニット中継基板３１１が取付けられている。
【００７０】
図３８に示すように、前記演出ユニット中継基板３１１は、前記上部発光演出装置３０２から導出する配線(後述する連結線３０２ａ)のコネクタ差込み部３０２ｂが接続される大型コネクタ受け部３１３が差込口(図示せず)を下方に指向させて設けられる。また、演出ユニット中継基板３１１は、左側の可動演出装置３０３(後述する駆動ソレノイド３６９)から導出する配線３０３ａのコネクタ差込み部３０３ｂが接続される左用コネクタ受け部３１４と、右側の可動演出装置３０３から導出する配線３０３ａのコネクタ差込み部３０３ｂが接続される右用コネクタ受け部３１５を備え(図３８では左右逆に図示)、これら左右のコネクタ受け部３１４,３１５は、何れも差込口(図示せず)を下方に向けて指向させている。また、演出ユニット中継基板３１１の略中央部に中央コネクタ受け部３１６が設けられ、該コネクタ受け部３１６から演出ユニット２０１の配線２０１ａが導出している。
【００７１】
なお、演出ユニット中継基板３１１から導出する配線２０１ａは、前述したように、前記球検出センサ２１３の配線２１３ａと纏められ、前記裏ユニット５０の上部中央配線挿通口７１を介して該裏ユニット５０の裏側に挿通される。そして、演出ユニット２０１から導出する配線２０１ａのコネクタ差込み部２０１ｂについては、後述する左上部発光装飾装置９０の左上部ＬＥＤ基板９１に接続されるようになっている。この左上部ＬＥＤ基板９１は、前記中枠１２の中継基板７０２に接続されており、演出ユニット中継基板３１１は、左上部ＬＥＤ基板９１および中継基板７０２を介して制御装置７００に電気的に接続されることとなる。すなわち、演出ユニット２０１の各演出装置(上部発光演出装置３０２および可動演出装置３０３,３０３)は、制御装置７００により発光制御および作動制御されるようになっている。
【００７２】
前記上部装飾カバー３０５は、後面の略全体に凹凸による光拡散処理が施されて、裏ユニット５０に設けられた中央発光装飾装置１６７(後述)からの光が前記ベース体３０４を透過して上部装飾カバー３０５に照射されて、該カバー３０５が明輝されるようになっている。上部装飾カバー３０５は、左方カバー体３１７、中カバー体３１９および右方カバー体３１８から構成され、夫々のカバー体３１７,３１８,３１９は、前記ベース体３０４の前面に取付けられる。なお、左方カバー体３１７および右方カバー体３１８は、左右対称形状であるので、以下の説明では、左方カバー体３１７について説明し、右方カバー体３１８については、同じ符号を付して説明は省略する。図２１に示すように、前記中カバー体３１９は、後方へ突出する固定突起３１９ａが設けられ、該固定突起３１９ａが前記ベース体３０４の対応する固定孔３０４ａに嵌入して、中カバー体３１９がベース体３０４に位置決めされるようになっている。また、中カバー体３１９の後面には、前記ベース体３０４の対応する通孔３０４ｂに整合するネジ孔３１９ｂが設けられ、該ネジ孔３１９ｂにベース体３０４の通孔を介してネジ(図示せず)を螺挿することで、中カバー体３１９がベース体３０４に取付けられるようになっている。
【００７３】
前記中カバー体３１９の前面は、上方から下方にかけて段階的に後退する段差状に形成されている。また、中カバー体３１９の前面における下縁部(取付ベース３０１の一方の縁部)側に偏倚する位置には、前方へ突出する演出装置固定部３２０が形成されている。この演出装置固定部３２０は、略Ｔ字状に形成されて、演出装置固定部３２０の中央部が下方へ突出している。また、演出装置固定部３２０の前面をなす設置面３２１は、上方から下方(取付ベース３０１の一方の縁部)へ向けて後方傾斜している。この設置面３２１には、通孔が開設されたボス受け孔(ボス孔)３２１ａが３つ形成され、これらボス受け孔３２１ａは逆三角形の配置関係となっている。
【００７４】
前記中カバー体３１９の前面上部には、前方へ突出する突出取付部３２２が形成されている。この突出取付部３２２の突出寸法は、前記後枠部材２０５の取付凹部２２６の切込み深さに一致すると共に、突出取付部３２２の左右の延在長さは、取付凹部２２６の左右の幅より僅かに小さく設定され、該突出取付部３２２は、取付凹部２２６の内部に臨むよう構成される。更に、突出取付部３２２の上縁部は、取付凹部２２６を形成する前記上部外周壁２２５の後端縁と略一致するよう形成されており、突出取付部３２２を取付凹部２２６に臨ませた際に、突出取付部３２２の上端部が上部外周壁２２５の後端縁に沿うようになっている。
【００７５】
図３５に示すように、突出取付部３２２の前面には、複数の固定孔３２２ａが設けられ、各固定孔３２２ａに前記後枠部材２０５の取付凹部２２６(上部外周壁２２５)に設けた対応の固定突起２２５ａが嵌入して、中カバー体３１９(演出ユニット２０１)が位置決めされるようになっている。更に、突出取付部３２２の前面に前記後枠部材２０５の取付凹部２２６に設けた各ネジ孔２２５ｂに整合する通孔３２２ｂが複数設けられ、該通孔３２２ｂを介して取付凹部２２６に設けたネジ孔２２５ｂにネジ(図示せず)を螺挿することで、中カバー体３１９(演出ユニット２０１)が後枠部材２０５(枠状装飾体２００)に取付けられるようになっている。前記突出取付部３２２の上縁部には、第２通出切欠３２２ｃが形成されており、図２４に示すように、中カバー体３１９を後枠部材２０５に取付けた際に、第２通出切欠３２２ｃが後枠部材２０５の前記第１通出切欠２２７に整合して配線通出口３２３が形成されるよう構成される。なお、突出取付部３２２の平面部には、縦方向の光拡散処理が施され、前記裏ユニット５０側から照射される光により明輝されるようになっている。
【００７６】
図３５に示すように、中カバー体３１９の前面上縁部には、前方へ突出する中規制リブ３１９ｃが前記突出取付部３２２を挟んで左右に設けられ、中カバー体３１９を後枠部材２０５に取付けた際に、中規制リブ３１９ｃが前記上部外周壁２２５の内周面に当接して、中カバー体３１９の安定的な取付けが図られている。前記中カバー体３１９の後面には、図２１に示すように、後方へ突出するリブにより、該中カバー体３１９に設けたネジ孔３１９ｂおよび固定突起３１９ａを囲繞するよう略矩形状に設けられた後方当接部３２４が形成されている。前記後方当接部３２４は、中カバー体３１９をベース体３０４に取付ける際に該ベース体３０４の前面に当接するよう構成されている。また、前記後方当接部３２４の上部を画成するリブにバンド用切欠３２４ａが形成され、中カバー体３１９をベース体３０４に取付けた際に、該ベース体３０４の取付通孔３０４ｃに設けた結束バンド３１０が臨むようになっている(図２４参照)。なお、後方当接部３２４の上部を画成するリブには、縦方向の光拡散処理が施され、前記裏ユニット５０からの光を拡散させて明輝するようになっている。
【００７７】
図２１に示すように、前記左方カバー体３１７は、後面から後方へ突出する固定突起３１７ａが設けられ、該固定突起３１７ａを前記ベース体３０４の対応する固定孔３０４ａに嵌入して、左方カバー体３１７がベース体３０４に位置決めされるよう構成される。また、左方カバー体３１７の後面にネジ孔を備えた内側固定ボス３１７ｂが後方へ所定長さで突出成形されると共に、同後面における該内側固定ボス３１７ｂの外方(左側)にネジ孔を備えた外側固定ボス３１７ｃが内側固定ボス３１７ｂより短い長さで後方へ突出成形されている。前記内側固定ボス３１７ｂは、後端が前記ベース体３０４の側方カバー用ボス受け部３０６に嵌合するよう構成され、該側方カバー用ボス受け部３０６の通孔を介して内側固定ボス３１７ｂのネジ孔にネジ(図示せず)が螺挿されるようになっている。また、前記外側固定ボス３１７ｃは、前記ベース体３０４の左端部に設けた通孔３０４ｂに整合して該ベース体３０４の前面に当接し、該ベース体３０４の通孔３０４ｂを介して外側固定ボス３１７ｃのネジ孔にネジが螺挿されるようになっている。そして、外側固定ボス３１７ｃおよび内側固定ボス３１７ｂがネジ止めされることで、左方カバー体３１７の後面の略全体がベース体３０４から前方へ離間した状態で該左方カバー体３１７がベース体３０４に取付けられるようになっている。これにより、左方カバー体３１７の突出取付部３２２を除く前面と中カバー体３１９の前面とが同一面をなすよう構成される(図３６参照)。
【００７８】
また、左方カバー体３１７の上縁側に固定孔３１７ｄが設けられ、該固定孔３１７ｄに前記後枠部材２０５の上部外周壁２２５に設けた対応する固定突起２２５ａが嵌入して、左方カバー体３１７(演出ユニット２０１)が後枠部材２０５に位置決めされるよう構成される。更に、左方カバー体３１７の上縁側に前記後枠部材２０５の上部外周壁２２５に設けたネジ孔２２５ｂに整合する通孔３１７ｅが複数開設され、該通孔３１７ｅを介して上部外周壁２２５のネジ孔２２５ｂにネジを螺挿することで、左方カバー体３１７(演出ユニット２０１)が後枠部材２０５に取付けられるようになっている。前記左方カバー体３１７の上縁は、前記上部外周壁２２５の後端縁に沿う形状とされ、左方カバー体３１７を上部外周壁２２５に取付けた際に、左方カバー体３１７の上縁が上部外周壁２２５の後端縁に当接して整合するよう構成される。また、左方カバー体３１７の前面に側方規制リブ３１７ｆが前方へ突出して設けられ、左方カバー体３１７を後枠部材２０５に取付けた際に、側方規制リブ３１７ｆが前記上部外周壁２２５の内周面に当接して、左方カバー体３１７の安定的な取付けが図られている。すなわち、演出ユニット２０１は、上部装飾カバー３０５が上部外周壁２２５に固定されることで、枠状装飾体２００に取付けられるようになっている。なお、左方カバー体３１７の前面は、中カバー体３１９と同様に、上方から下方に掛けて段階的に後退するよう段差状に形成されている。
【００７９】
(上部発光演出装置について)
図３９,図４０に示すように、前記上部発光演出装置３０２は、前記取付ベース３０１に取付けられる装置本体３２５と、前記装置本体３２５に配設される円形透明パネル(透明パネル)３２６と、該装置本体３２５に取付けられて円形透明パネル３２６を前側から覆う演出カバー部材(カバー部材)３２７とから基本的に構成され、遊技状態に応じて多様な発光演出を行なうようになっている。前記装置本体３２５は、前記取付ベース３０１に固定される円盤状ベース部材(ベース部材)３２８と、該円盤状ベース部材３２８の前側に設けられる光通過部材３２９とを備える。また、装置本体３２５には、前方へ光を照射する第１発光手段３３０と、側方へ光を照射する第２発光手段３３１が設けられている。
【００８０】
(円盤状ベース部材について)
前記円盤状ベース部材３２８は、円盤状のベース基板３３２の外周縁から前方へ収容壁部３３３が立設されて内部に嵌合収容部３３４が画成されている。前記ベース基板３３２の後面には、後方へ所定長さで突出するベース固定ボス(固定ボス)３３５が３つ設けられている。これら３つのベース固定ボス３３５は、前記ベース基板３３２の後面における上縁部(一方の縁部)側に偏倚して配設されると共に、各ベース固定ボス３３５は、前記中カバー体３１９の演出装置固定部３２０に設けた各ボス受け孔３２１ａに対応している。すなわち、３つのベース固定ボス３３５は、ベース基板３３２の後面における上側半分の領域に逆三角形状に配置されている。そして、各ベース固定ボス３３５を演出装置固定部３２０の対応するボス受け孔３２１ａに嵌合させて後方からネジ止めすることで、円盤状ベース部材３２８が中カバー体３１９(取付ベース３０１)に取付けられるようになっている。
【００８１】
このとき、図４１に示すように、ベース基板３３２の後面が前記ベース固定ボス３３５の突出長さだけ前記演出装置固定部３２０の設置面３２１から離間して、該ベース基板３３２の後面と設置面３２１との間に配線スペース３３６が画成されるようになっている。また、前記演出装置固定部３２０の設置面３２１は傾斜しているため、該演出装置固定部３２０に取付けられた円盤状ベース部材３２８は、上方から下方へ向けて後方傾斜すると共に、円盤状ベース部材３２８の下部側が中カバー体３１９(取付ベース３０１)から下方へ突出した状態となる。すなわち、上部発光演出装置３０２は、ベース基板３３２の後面の略下半分が取付ベース３０１の後方へ臨んだ状態で演出装置固定部３２０に固定されることとなる(図３８,図４１参照)。
【００８２】
前記収容壁部３３３の外側面には、外方へ突出する外側ボス受け部(ボス受け部)３３７が３つ設けられ、これら外側ボス受け部３３７は、円盤状ベース部材３２８に対し非正三角形状に配置されている。また、収容壁部３３３における各外側ボス受け部３３７に対応する箇所には、該外側ボス受け部３３７の前側において前後方向に延在する案内凹部３３８が凹設されている。前記ベース基板３３２の前面には、前記収容壁部３３３に近接する位置に、ネジ孔を有する２つの内部固定ボス３３２ａ,３３２ａが前方へ突出するよう設けられている。また、ベース基板３３２の前面には、各内部固定ボス３３２ａと収容壁部３３３の内周面とを連結するよう連結リブ３３２ｂが形成されている。更に、ベース基板３３２の前面に、２つの位置決め突起３３２ｃ,３３２ｃが前方へ突出するよう設けられると共に、ベース基板３３２は、前後方向に開放するコネクタ用開口部３３９が複数開設されている。
【００８３】
図４２に示すように、前記円盤状ベース部材３２８の収容壁部３３３の内周面には、４つの光源保持部３４０が設けられている。各光源保持部３４０は、周方向に離間する一対の保持片３４０ａ,３４０ａで形成され、両保持片３４０ａ,３４０ａの間に側方発光ＬＥＤ基板３４３(後述)の後部が収容保持されるようになっている。この光源保持部３４０は、収容壁部３３３の内周面における上下左右に等間隔で配設されて、上下の光源保持部３４０,３４０および左右の光源保持部３４０,３４０は夫々対向配置されている。
【００８４】
前記円盤状ベース部材３２８の嵌合収容部３３４内には、第１発光手段３３０が収容されている。この第１発光手段３３０は、前方発光ＬＥＤ基板(第１発光体基板)３４１と、該ＬＥＤ基板３４１上に配設された複数の文字用ＬＥＤ(発光体)３４２とから構成される。前記前方発光ＬＥＤ基板３４１の外形は、前記収容壁部３３３の内周形状に略一致する形状とされて、前方発光ＬＥＤ基板３４１は、前記嵌合収容部３３４内に整合状態で配設されるようになっている。また、前方発光ＬＥＤ基板３４１の後面は、前記ベース基板３３２の前面に当接するようになっている。前方発光ＬＥＤ基板３４１は、前記円盤状ベース部材３２８の位置決め突起３３２ｃに対応する基板位置決め孔３４１ａが設けられ、該基板位置決め孔３４１ａに位置決め突起３３２ｃが嵌入して前方発光ＬＥＤ基板３４１が円盤状ベース部材３２８に位置決めされるよう構成される。また、前方発光ＬＥＤ基板３４１にＵ型凹部３４１ｂが２つ形成され、前方発光ＬＥＤ基板３４１を嵌合収容部３３４に収容した際に、Ｕ型凹部３４１ｂに前記円盤状ベース部材３２８の内部固定ボス３３２ａおよび連結リブ３３２ｂが臨んで、前方発光ＬＥＤ基板３４１が円盤状ベース部材３２８に位置決めされるようになっている。前方発光ＬＥＤ基板３４１に配設される文字用ＬＥＤ３４２は、前方へ光を照射するものであって、複数の文字用ＬＥＤ３４２が所要の配設態様で前方発光ＬＥＤ基板３４１上に並んでいる。具体的には、文字用ＬＥＤ３４２は、前方発光ＬＥＤ基板３４１上において、円盤状ベース部材３２８に前記光通過部材３２９を配設した際に、該光通過部材３２９の後述する各収容孔部３５７に沿うよう配設されている(図４５参照)。但し、前方発光ＬＥＤ基板３４１における収容孔部３５７が交差する部分に対応する部位には、文字用ＬＥＤ３４２が設けられておらず、後述するように、「天」の文字を一画ずつ(収容孔部３５７毎に)発光させた場合に、交差部分を介して他の一画(他の収容孔部３５７)に光が侵入してしまうのを抑制している。
【００８５】
図４０に示すように、前方発光ＬＥＤ基板３４１の後面には、２つの第１中継線用コネクタ受け部３４１ｃ,３４１ｃと、両第１中継線用コネクタ受け部３４１ｃ,３４１ｃの間の下方に位置する接続線用コネクタ受け部３４１ｄとが後方に突出して設けられている。図４３に示すように、前記第１中継線用コネクタ受け部３４１ｃ,３４１ｃおよび接続線用コネクタ受け部３４１ｄは、前方発光ＬＥＤ基板３４１を嵌合収容部３３４に収容した際に、前記ベース基板３３２に設けた前記コネクタ用開口部３３９を介して該ベース基板３３２の後面から突出するようになっている。ここで、前記接続線用コネクタ受け部３４１ｄは、図３８に示すように、ベース基板３３２の後面における前記取付ベース３０１から下方へ突出する部位に臨むよう構成され、該接続線用コネクタ受け部３４１ｄに前記前方発光ＬＥＤ基板３４１と演出ユニット中継基板３１１とを接続する連結線(配線)３０２ａのコネクタ差込み部３０２ｂが接続されている。
【００８６】
前記光源保持部３４０には、第２発光手段３３１の側方発光ＬＥＤ基板(第２発光体基板)３４３の後部が収容保持されるようになっている。各側方発光ＬＥＤ基板３４３には、側方(ベース基板３３２に対し平行な方向)へ光を照射するパネル用ＬＥＤ３４４が１つずつ設けられている。各光源保持部３４０に設置されたパネル用ＬＥＤ３４４は、上下のパネル用ＬＥＤ３４４,３４４が対向すると共に、左右のパネル用ＬＥＤ３４４,３４４が対向するようになっており、全てのパネル用ＬＥＤ３４４,３４４,３４４,３４４により光が十字状に照射されることとなる。各側方発光ＬＥＤ基板３４３には、第２中継線用コネクタ受け部３４３ａが設けられ、図４３に示すように、該コネクタ受け部３４３ａはベース基板３３２に設けたコネクタ用開口部３３９を介してベース基板３３２の後面に臨むようになっている。また、第１中継線用コネクタ受け部３４１ｃおよび第２中継線用コネクタ受け部３４３ａには、夫々、前記前方発光ＬＥＤ基板３４１および側方発光ＬＥＤ基板３４３を接続する中継線(配線)３０２ｃのコネクタ差込み部３０２ｄが接続されている。
【００８７】
ここで、図４３に示すように、前記連結線３０２ａおよび中継線３０２ｃは、前記ベース基板３３２のベース固定ボス３３５,３３５,３３５に巻き掛けられてベース基板３３２の後面上部側に纏められるようになっている。この状態で前記円盤状ベース部材３２８(上部発光演出装置３０２)を取付ベース３０１の演出装置固定部３２０に取付けることで、図４１に示すように、前記ベース固定ボス３３５に巻き掛けられた連結線３０２ａおよび中継線３０２ｃが配線スペース３３６に収容された状態で保持されるようになっている。更に、前記連結線３０２ａは、図４１に示すように、前記取付ベース３０１の下方に臨むベース基板３３２の後面から該取付ベース３０１の後方へ導出されて、該連結線３０２ａのコネクタ差込み部３０２ｂが前記演出ユニット中継基板３１１の大型コネクタ受け部３１３に下方から接続されるようになっている。なお、前述したように、演出ユニット中継基板３１１は、前記中枠１２の中継基板７０２を介して制御装置７００に電気的に接続されている。従って、前記文字用ＬＥＤ３４２およびパネル用ＬＥＤ３４４は、前記制御装置７００により発光制御される。
【００８８】
図４４(ａ),(ｂ)に示すように、前記光通過部材３２９は、円形状の保持基板３４５の外周縁から後方へ円状壁部３５５が延出して筒状に形成され、全体に白色の光反射処理が施されている。前記円状壁部３５５の外周面は前記円盤状ベース部材３２８の収容壁部３３３の内周面に沿うよう形成され、光通過部材３２９は、前記円盤状ベース部材３２８の嵌合収容部３３４内に大部分が嵌め込まれた状態で収容されるようになっている。前記保持基板３４５には、前記円盤状ベース部材３２８の内部固定ボス３３２ａに整合する通孔３４５ａが開設され、該通孔３４５ａを介して内部固定ボス３３２ａにネジ(図示せず)が螺挿されて、前記光通過部材３２９が円盤状ベース部材３２８に取付けられるようになっている。
【００８９】
また、前記円状壁部３５５には、後端縁から前方へ切込まれた位置決め用切欠３５５ａが２つ形成され、光通過部材３２９を前記嵌合収容部３３４に嵌め込んだ際に、位置決め用切欠３５５ａに前記円盤状ベース部材３２８の連結リブ３３２ｂが臨んで、光通過部材３２９が円盤状ベース部材３２８に位置決めされるようになっている。更に、円状壁部３５５は、光通過部材３２９を嵌合収容部３３４に嵌め込んだ際に、円状壁部３５５の後端縁(光通過部材３２９の後部)が前記前方発光ＬＥＤ基板３４１の外縁部に当接するようになっている(図４１の丸印参照)。これにより、前方発光ＬＥＤ基板３４１は、前記円盤状ベース部材３２８のベース基板３３２と円状壁部３５５とにより挟持された状態で嵌合収容部３３４内に保持される。
【００９０】
前記円状壁部３５５の外周面には、前記光源保持部３４０との干渉を防ぐよう後方に開放する壁面凹状部３５５ｂが４つ凹設されている。また、円状壁部３５５における各壁面凹状部３５５ｂに対応する箇所(光通過部材３２９の外側面)に、後方に開放するコ字状の光源収容部３５６が形成される。この光源収容部３５６は、光通過部材３２９を嵌合収容部３３４に嵌め込んだ際に、前記側方発光ＬＥＤ基板３４３の前側を光源収容部３５６が収容するようになっている。すなわち、前記側方発光ＬＥＤ基板３４３は、前記光源保持部３４０および光源収容部３５６に前後から挟持された状態で収容保持されるようになっている(図４１参照)。なお、側方発光ＬＥＤ基板３４３が光源収容部３５６に収容された際に、前記パネル用ＬＥＤ３４４は前記保持基板３４５の前面より前方へ突出するようになっている。
【００９１】
前記光通過部材３２９には、前後方向に貫通する収容孔部３５７が複数形成されている。この収容孔部３５７は、前記保持基板３４５に開設した光通孔３５８と、該光通孔３５８の開口縁の全周から後方へ突出する光案内壁３５９とで構成され、複数の収容孔部３５７により保持基板３４５の略全体に「天」の文字(複数画の文字)が形成されている。すなわち、各収容孔部３５７は、「天」の文字の一画毎に対応して設けられている。前記光案内壁３５９の内側面は、白色の光反射処理が施されて光を明るく通過させ得るようになっている。図４１に示すように、前記光案内壁３５９の後方への突出量は、前記円状壁部３５５より小さく設定され、光通過部材３２９を嵌合収容部３３４に嵌め込んだ際に、光案内壁３５９の後端縁が前記前方発光ＬＥＤ基板３４１から前方へ僅かに離間するよう構成される。
【００９２】
ここで、前記文字用ＬＥＤ３４２は、図４５に示すように、前方発光ＬＥＤ基板３４１上に収容孔部３５７に沿うように配設されている。そして、光通過部材３２９を嵌合収容部３３４に嵌め込んだ際に、図４１に示すように、前記保持基板３４５の光通孔３５８を画成する開口前端縁３５８ａは、前方発光ＬＥＤ基板３４１より前方に位置し、文字用ＬＥＤ３４２は収容孔部３５７(光案内壁３５９)に前側から囲われるように収容されることとなる。これにより、文字用ＬＥＤ３４２の光が光案内壁３５９で前方へ案内されて、前記光通孔３５８の開口輪郭に合った形状の光が前方へ照射されることとなる。すなわち、文字用ＬＥＤ３４２の光は、光通過部材３２９を通過することで、収容孔部３５７で構成される「天」の文字の形状に揃えられて、該光通過部材３２９を通過することとなる。また、収容孔部３５７は、光案内壁３５９によって文字用ＬＥＤ３４２を前側から収容することで、他の光が収容孔部３５７内に侵入するのを防止する役割を果たしている。
【００９３】
ここで、前記文字用ＬＥＤ３４２の発光を制御する前記制御装置７００は、各収容孔部３５７に収容される文字用ＬＥＤ３４２毎に発光制御可能に構成されており、「天」の文字を一画毎に発光させることが可能となっている。そこで、収容孔部３５７により文字用ＬＥＤ３４２を前側から収容することで、発光していない文字用ＬＥＤ３４２を収容する収容孔部３５７に、他の収容孔部３５７に収容されて発光した文字用ＬＥＤ３４２の光が侵入するのを抑制している。しかも、前述のように、文字用ＬＥＤ３４２は、収容孔部３５７が交差する部分に設けられていないので、交差部分を介して他の収容孔部３５７へ光が侵入して、当該交差部分でぼんやりと拡がった光が照射されることはない。
【００９４】
前記光通過部材３２９は、前記保持基板３４５の前面から前方へ立設した環状の保持壁部３６０を備え、該保持壁部３６０の内側に収容凹部３６１が形成されている。この保持壁部３６０は、前記円状壁部３５５の外周面より僅かに内側に設けられ、光通過部材３２９を嵌合収容部３３４に嵌め込んだ際に、保持壁部３６０が前記パネル用ＬＥＤ３４４の内側に位置するようになっている。また、保持壁部３６０の所要箇所には、パネル用切欠３６０ａが形成されている。更に、保持壁部３６０における各光源収容部３５６に対応する箇所には、保持壁部３６０の径方向に開放する光通過孔３６２が形成され、該光通過孔３６２を介して前記パネル用ＬＥＤ３４４の光を前記収容凹部３６１内へ通すようになっている(図４１参照)。
【００９５】
前記収容凹部３６１には、光反射シート３６３が収容されるようになっている。この光反射シート３６３は、前記保持壁部３６０の内周面に略一致する形状とされて、前記収容凹部３６１内に整合状態で収容される。光反射シート３６３は、前記光通過部材３２９を通過した光をそのまま前方へ透過させると共に、前記パネル用ＬＥＤ３４４の光の一部を反射させて円形の光を前方へ照射させるようになっている。前記収容凹部３６１の光反射シート３６３の前側には、前記円形透明パネル３２６が収容されるようになっている。この円形透明パネル３２６の後面には、微小な凹凸を形成することで所要の図柄が描かれており、側端面から円形透明パネル３２６の内部に導入された光が図柄を表す微小凹凸部分で反射されることで、該図柄の光を前方へ照射させるものである。なお、前記図柄とは、図形や柄、模様等を含む概念であり、図４０に示すように、実施例では、円形透明パネル３２６の後面全体に設けた複数の凹凸による該パネル３２６自体の円形状が図柄として形成されている。そして、パネル用ＬＥＤ３４４から照射された光を前記複数の凹凸が反射して、円形透明パネル３２６の形状に沿った円形の淡い光を前方へ照射させるようになっている。
【００９６】
ここで、前記図柄の形成方法としては、レーザー彫刻方法等、各種の方法を用いることができる。例えば、印刷基材の表面に印刷によってインクの凹凸からなる印刷パターンを形成し、この印刷パターンを有する印刷基材を配置した成形金型を用いて透明パネルを成形し、得られた透明パネルから印刷基材および印刷パターンを剥離することで、インクによる凹凸の転写により形成された凹凸からなる図柄を表面に形成する方法を採用できる。また、フィルムの表面に、透明な紫外線硬化樹脂による転写用の突模様と、その凸模様に施した転写用の印刷インク層とを形成し、凸模様の印刷インク層をキャビティに向けて配置した金型を用いてインモールド成形により透明パネルを成形し、得られた透明パネルからフィルムを剥離することで、紫外線硬化樹脂による印刷インク層の転写により図柄を表面に形成する方法も採用可能である。
【００９７】
前記円形透明パネル３２６は、前記光通過部材３２９を通過した光をそのまま前方へ透過させるよう構成されている。この円形透明パネル３２６は、前記保持壁部３６０の内周面に略一致する形状に形成され、円形透明パネル３２６は、前記収容凹部３６１に嵌め込まれて収容されるようになっている。そして、図４１に示すように、収容凹部３６１に嵌め込まれた円形透明パネル３２６の側端面に対し、前記光通過孔３６２を介して各パネル用ＬＥＤ３４４が対向するよう構成される。すなわち、前記パネル用ＬＥＤ３４４が発光することで、該パネル用ＬＥＤ３４４の光が光通過孔３６２を介して円形透明パネル３２６の側端面に入射されるようになっている。
【００９８】
ここで、前記円形透明パネル３２６の厚み寸法は、前記保持壁部３６０の突出高さとほぼ同一に設定されており、図４６に示すように、前記収容凹部３６１に嵌め込まれた円形透明パネル３２６の前端面が保持壁部３６０の前端縁と略同一高さに揃うようになっている。また、前記円形透明パネル３２６には、外周縁から突出するパネル突起３２６ａが設けられ、円形透明パネル３２６を前記収容凹部３６１に嵌め込んだ際に、パネル突起３２６ａが前記保持壁部３６０に設けたパネル用切欠３６０ａに臨んで、円形透明パネル３２６が位置決めされるよう構成される。
【００９９】
前記演出カバー部材３２７は、前方へ膨出する半球形状をなすカバー本体部３６４の前面(カバー前面３６５)に、光を投影させて発光演出を行なうものである。カバー前面３６５は、つや消しが施されたハーフミラーとなっており、後方からの光を透過させると共に後方に位置する部材(光通過部材３２９等)を視認不能としている。前記カバー前面３６５には、前記円形透明パネル３２６で反射した光が透過してカバー前面３６５に光の円が投影されると共に、前記光通過部材３２９の収容孔部３５７を通過した光が透過して該カバー前面３６５に該収容孔部３５７に対応する形状(すなわち、「天」の文字)が投影されるよう構成される(図４７参照)。なお、前記カバー前面３６５には、所要の装飾柄が施されて美感の向上が図られている。
【０１００】
前記カバー本体部３６４の外周縁(カバー部材の外縁部)には、外方へ延出する外縁装飾部３６６が形成され、該外縁装飾部３６６の後面に、位置決め固定ボス(固定ボス)３６６ａが３つ形成されている。これら位置決め固定ボス３６６ａは、外縁装飾部３６６により前側から視認不能とされている。そして、各位置決め固定ボス３６６ａの後端を前記円盤状ベース部材３２８の対応する外側ボス受け部３３７に嵌合させてネジ止めすることで、演出カバー部材３２７が円盤状ベース部材３２８に取付けられるようになっている。また、前記位置決め固定ボス３６６ａは、演出カバー部材３２７を円盤状ベース部材３２８に組付ける際に、位置決め固定ボス３６６ａの側面が円盤状ベース部材３２８の案内凹部３３８に当接案内されるよう構成される。そして、位置決め固定ボス３６６ａが案内凹部３３８に臨んだ状態で外側ボス受け部３３７にネジ止めされることで、演出カバー部材３２７が円盤状ベース部材３２８に位置決めされるようになっている。
【０１０１】
ここで、前記位置決め固定ボス３６６ａおよび外側ボス受け部３３７は、非正三角形状に配置されており、演出カバー部材３２７が円盤状ベース部材３２８に常に適正な態様で組付けられるようになっている。前記外縁装飾部３６６の後面には、複数のカバー用位置決め突起３６６ｂが突出成形されている。そして、演出カバー部材３２７を円盤状ベース部材３２８に組付けた際にカバー用位置決め突起３６６ｂが円盤状ベース部材３２８の収容壁部３３３の外周面に当接し、演出カバー部材３２７を円盤状ベース部材３２８に位置決めするよう構成される。
【０１０２】
前記カバー本体部３６４には、外周縁から後方へ延出する環状当接リブ３６７が形成されている。この環状当接リブ３６７は、前記円盤状ベース部材３２８の収容壁部３３３に一致する円形状をなしており、演出カバー部材３２７を円盤状ベース部材３２８に組付けた際に、環状当接リブ３６７の後端縁が収容壁部３３３の前端縁に当接して演出カバー部材３２７が安定的に取付けられるよう構成される(図４１参照)。前記カバー本体部３６４の後面には、当接押え部(当接部)３６８が複数設けられている。この当接押え部３６８は、図４６に示すように、演出カバー部材３２７を円盤状ベース部材３２８に組付けた際に、同一面上に揃う前記円形透明パネル３２６の前端面および保持壁部３６０の前端縁に前側から当接して、円形透明パネル３２６を演出カバー部材３２７および光通過部材３２９で挟持するよう構成される。また、光通過部材３２９の保持壁部３６０が当接押え部３６８に当接することで、光通過部材３２９が円盤状ベース部材３２８の嵌合収容部３３４内に保持されることとなる。
【０１０３】
(可動演出装置について)
次に、可動演出装置３０３について説明を行なう。なお、左右の可動演出装置３０３,３０３は、左右対称形状(後述する箱状ケース体３７０は同一構成)であるので、以下の説明では、左側の可動演出装置３０３について説明を行ない、右側の可動演出装置３０３の各部材については、同じ符号を付して説明を省略する。図４８(ａ)に示すように、可動演出装置３０３は、内部に駆動ソレノイド３６９を収容した箱状ケース体３７０と、該駆動ソレノイド３６９により作動される作動部材３７１と、該作動部材３７１に連結された房状体３７２(図４８(ｂ)参照と、箱状ケース体３７０の前側を覆うケース前面カバー３７３とから基本的に構成される。
【０１０４】
前記箱状ケース体３７０は、上ケース部３７４および下ケース部３７５から箱体状に構成され、両者はネジ止めされて組付けられている。前記箱状ケース体３７０は、前記ベース体３０４のケース体取付凹部３０７に整合する断面形状とされている。また、前記下ケース部３７５の両側部には、固定用フランジ部３７５ａ,３７５ａが外方へ向けて突出するよう設けられており、箱状ケース体３７０を前記ケース体取付凹部３０７に臨ませ、両固定用フランジ部３７５ａ,３７５ａを前記ベース体３０４のケース体用ボス受け部３０４ｄ,３０４ｄに後方から嵌合させてネジ止めすることで、可動演出装置３０３がベース体３０４に取付けられるようになっている。このとき、箱状ケース体３７０の両側部が前記ベース体３０４のケース体支持壁３０９,３０９に当接して、該箱状ケース体３７０が支持されるよう構成される。また、箱状ケース体３７０は、図３６に示すように、前記ベース体３０４に取付けられた状態で該ベース体３０４(取付ベース３０１)から前後に突出するようになっている。なお、演出ユニット２０１を取付けた枠状装飾体２００を前記透明板３１に組付けた際に、箱状ケース体３７０(駆動ソレノイド３６９)の後端部が前記裏ユニット５０のソレノイド挿通口７４(後述)に臨んで、可動演出装置３０３が裏ユニット５０と干渉しないようになっている。
【０１０５】
上ケース部３７４および下ケース部３７５には、放熱孔３７６が複数開設され、該放熱孔３７６を介して駆動ソレノイド３６９から発生する熱を放出するようになっている。図３７に示すように、前記下ケース部３７５の下部には、前記駆動ソレノイド３６９から導出する配線(可動演出装置の配線)３０３ａを挿通する可動体用配線通孔３７５ｂが開設され、駆動ソレノイド３６９から導出する配線３０３ａを可動体用配線通孔３７５ｂを介してケース外部へ導出するようになっている。そして、図３８に示すように、前記可動体用配線通孔３７５ｂを介して導出した配線３０３ａは、ベース体３０４の後面に沿って側方へ引き回されて、該配線３０３ａのコネクタ差込み部３０３ｂが前記演出ユニット中継基板３１１の左用コネクタ受け部３１４に接続され、駆動ソレノイド３６９が前記制御装置７００に電気的に接続される。
【０１０６】
なお、右側の可動演出装置３０３についても同様に、可動体用配線通孔３７５ｂを介して導出する配線３０３ａは、ベース体３０４の後面に沿って側方へ引き回され、該配線３０３ａのコネクタ差込み部３０３ｂは、前記演出ユニット中継基板３１１の右用コネクタ受け部３１５に接続される。すなわち、両可動演出装置３０３,３０３から導出する配線３０３ａ,３０３ａは、演出ユニット２０１の後面を引き回されることで、前側から視認不能とされている。
【０１０７】
前記下ケース部３７５の前面は開放しており、箱状ケース体３７０の前面に矩形状のアーム用開口３７７が形成されている。また、下ケース部３７５の下面前側にカバー用ボス３７８が下方に突出して設けられると共に、上ケース部３７４の前面に下方にカバー用位置決め孔３７９が設けられている。前記箱状ケース体３７０に収容される駆動ソレノイド３６９は、前後方向に往復移動するプランジャ３６９ａを備え、該プランジャ３６９ａは前記作動部材３７１に連結されている。前記作動部材３７１は、上下方向に延在する揺動軸３７１ａが上下のケース部３７４,３７５に設けた軸孔３７４ａ(図４８(ａ)では上ケース部３７４の軸孔３７４ａのみ図示)に軸支されて、作動部材３７１は、箱状ケース体３７０の内部で水平方向に揺動するようになっている。また、作動部材３７１には、前記アーム用開口３７７を介して箱状ケース体３７０の内部から前方へ延出するアーム部３８０が設けられ、該アーム部３８０は、作動部材３７１が揺動することで前記アーム用開口３７７を左右に往復移動するよう構成される。また、前記作動部材３７１には、側方へ向けて突出する移動規制片３８１が設けられ、作動部材３７１が揺動した際に移動規制片３８１が下ケース部３７５の内側面に当接して作動部材３７１のそれ以上の揺動を規制するよう構成される。
【０１０８】
アーム部３８０の先端に取付けられる房状体３７２は、複数の紐を束ねて形成される一対の房から構成され、アーム部３８０が往復移動することで、房状体３７２の房が左右に揺れて演出効果を発揮するものである。前記箱状ケース体３７０の前面を覆うように設けられるケース前面カバー３７３は、例えば、金色等に着色された装飾板であって、ケース前面カバー３７３の後面にカバー用ボス受け部３７３ａが設けられている(図３７参照)。そして、ケース前面カバー３７３のカバー用ボス受け部３７３ａに前記下ケース部３７５のカバー用ボス３７８を嵌合してネジ止めすることで、ケース前面カバー３７３が下ケース部３７５(箱状ケース体３７０)に位置決めされて取付けられるようになっている。また、図３７に示すように、ケース前面カバー３７３の後面に縦型突部３８２が設けられ、該縦型突部３８２を前記上ケース部３７４のカバー用位置決め孔３７９に挿入することで、ケース前面カバー３７３が上ケース部３７４に位置決めされるよう構成される。更に、ケース前面カバー３７３には、前記アーム部３８０が挿通されるアーム挿通口３８３が設けられ、該アーム部３８０の往復移動を許容するようになっている。
【０１０９】
(裏ユニットについて)
前記裏ユニット５０は、図４,図９または図１０に示すように、前方に開口する矩形箱状に形成された箱状本体５１と、該箱状本体５１の開口前端部に形成されて当該箱状本体５１の開口外側へ延出し、前記透明板３１の後面に当接する固定部５４,５５,５６,５７とから構成されており、該固定部５４,５５,５６,５７の外郭形状が前記透明板３１の外郭形状に略整合する大きさおよび形状に形成されている。具体的には、前記箱状本体５１は、前記透明板３１に対向する矩形板状に形成された対向面部５２と、該対向面部５２における上下左右の各縁部から前方に延出する画壁部５３ａ,５３ｂ,５３ｃ,５３ｄとから前方に開口するよう形成されて、各画壁部５３ａ,５３ｂ,５３ｃ,５３ｄの前端部から箱状本体５１の開口外側へ向けて延出するよう前記固定部５４,５５,５６,５７が形成されている。前記固定部５４,５５,５６,５７には、前記透明板３１の嵌入孔３１ｄに対応して前方に突出する嵌入突部５９が形成されると共に、該透明板３１のネジ孔３１ｅに対応して前後に開口する通孔５９ａが形成されており、各嵌入突部５９を対応の嵌入孔３１ｄに嵌入すると共に通孔５９ａに挿通したネジをネジ孔３１ｅに螺挿することで、透明板３１と裏ユニット５０が固定されて遊技盤３０を構成するようになっている。なお、実施例では、前記裏ユニット５０は、黒色の合成樹脂材により形成されて、該裏ユニット５０の内部から光が外部に漏れ出るのを防止すると共に、該裏ユニット５０の裏側を視認し得ないよう構成されている。
【０１１０】
ここで、実施例に係る透明板３１の厚み寸法は、前述のように略１０ｍｍに設定されると共に、前記固定部５４,５５,５６,５７の厚み寸法は略９ｍｍに設定されて、遊技盤３０における端縁部の全体の厚み寸法が略１９ｍｍとなるよう構成される。すなわち、実施例に係る遊技盤３０(透明板３１および固定部５４,５５,５６,５７)の厚み寸法は、ベニヤ等の木材により形成された従来の遊技盤３０の厚み寸法(略１９ｍｍ)と同一になるよう構成されて、前記中枠１２の遊技盤保持部２４や前記回転保持具２５ａ,２５ａの構成を変更することなく実施例の遊技盤３０を遊技盤保持部２４に設置し得るようになっている。なお、以下の説明において、前記対向面部５２における上下左右の各縁部に対応する画壁部を、上画壁部５３ａ、下画壁部５３ｂ、左画壁部５３ｃ、右画壁部５３ｄと夫々指称し、該上下左右の画壁部５３ａ,５３ｂ,５３ｃ,５３ｄに対応する固定部を、上固定部５４、下固定部５５、左固定部５６、右固定部５７と夫々指称するものとする。ここで、図６に示すように、前記遊技盤３０を遊技盤保持部２４に設置した状態で、前記中枠１２に設けられた前記球タンク２６の下方に前記箱状本体５１が位置すると共に、該球タンク２６の前側に前記上固定部５４が位置するよう構成されて、遊技盤３０の上下の高さ寸法を大きくしている。また、前記左固定部５６および右固定部５７には、前記側部発光演出装置１７０,１７７を構成する照明手段１７２,１７９(後述)の第１固定壁１８７を固定する段差状部５６ａ,５７ａが夫々形成されている。
【０１１１】
また、図１０に示すように、前記対向面部５２における前記左右の画壁部５３ｃ,５３ｄの近傍には、上下に離間する複数箇所(実施例では夫々４箇所)に、前記側部発光演出装置１７０,１７７を構成する照明手段１７２,１７９を固定する支持ボス８６ａ,８７ａが後方に突出するよう形成されている。なお、以下の説明では、前記対向面部５２における前記左画壁部５３ｃの近傍に位置する支持ボスを左支持ボス８６ａと指称すると共に、該対向面部５２における右画壁部５３ｄの近傍に位置する支持ボスの内、下側に位置する３つを第１右支持ボス８７ａと指称し、最上部に位置する１つを第２右支持ボス１１３と指称する。そして、前記各左支持ボス８６ａが、後述する第１基板収容空間８６(図８１参照)に臨むと共に、前記第１および第２右支持ボス８７ａ,１１３が、後述する第２基板収容空間８７(図８２参照)に臨むようになっている。なお、前記右画壁部５３ｄの外面には、前記シャッター装置５００に接続するアース線(図示せず)が接続されるアース金具５８が設けられており、中枠１２の遊技盤保持部２４に遊技盤３０を配設した際に、該中枠１２の金属性の右枠部材２３にアース金具５８が接触してアースし得るようになっている。
【０１１２】
また、前記箱状本体５１における対向面部５２には、図１０または図１２に示すように、前後に開口する前記開口部５２ａが開設されると共に、該対向面部５２の後面側に前記図柄表示装置１９を取り付ける設置手段５２ｂが形成されており、該設置手段５２ｂに取り付けた図柄表示装置１９の表示面１９ａが開口部５２ａ内に臨むようになっている。そして、前記対向面部５２に形成した開口部５２ａの前側に前記シャッター装置５００が配設されると共に、該シャッター装置５００の外周を囲繞するよう前記発光装飾装置９０,１０５,１２０,１４５,１６７が配設されている。また、前記側部発光演出装置１７０,１７７は、発光装飾装置９０,１０５,１２０,１４５,１６７の前面側にシャッター装置５００の外周を囲繞するよう設けられる。すなわち、前記発光装飾装置９０,１０５,１２０,１４５,１６７や側部発光演出装置１７０,１７７は、前記対向面部５２の開口部５２ａを囲繞するよう構成されている。ここで、前記裏ユニット５０(対向面部５２)に形成される開口部５２ａは、略扇面形状をなすよう形成されて、該開口部５２ａの開口形状が前記シャッター装置５００に設けられた表示空間５０１(後述)の開口端縁に略整合するようになっている。
【０１１３】
なお、前記箱状本体５１(対向面部５２)の後面側には、前記図柄表示装置１９の下方位置に中継基板設置部５２ｃが形成されており、該中継基板設置部５２ｃに設置された中継基板７０２(図１３参照)に対して、透明板３１に配設された前記演出ユニット２０１や、裏ユニット５０に配設された前記シャッター装置５００、発光装飾装置９０,１０５,１２０,１４５,１６７および側部発光演出装置１７０,１７７からの配線が接続されている(図１３参照)。この中継基板７０２には、前記中枠１２の裏側に配設した制御装置７００からの配線が接続されており、前記演出ユニット２０１、シャッター装置５００、発光装飾装置９０,１０５,１２０,１４５,１６７および側部発光演出装置１７０,１７７の各装置を対応の制御装置７００からの制御信号に基づいて制御し得るようになっている。
【０１１４】
また、図１０または図１１に示すように、前記対向面部５２には、前記シャッター装置５００の上方位置に、前方へ突出する第１区画壁６０が前方へ突出するよう形成されると共に、該シャッター装置５００の左右端部に略整合する位置に、前方へ突出する第２区画壁６１が前方へ突出するよう形成されている。前記第１区画壁６０は、前記対向面部５２の左上部および右上部位置に略左右対称の形状で夫々形成されており、前記左右の画壁部５３ｃ,５３ｄに近接する端部から対向面部５２における左右方向の中央に向かうにつれて、前記上画壁部５３ａに近接するよう延在している。そして、前記対向面部５２の左上部に位置する第１区画壁６０と、上画壁部５３ａと、左画壁部５３ｃとにより囲まれる領域(以下、第１上設置領域６２という)に、前記発光装飾装置を構成する左上部発光装飾装置９０が配設され、該対向面部５２の右上部に位置する第１区画壁６０と、上画壁部５３ａと、右画壁部５３ｄとにより囲まれる領域(以下、第２上設置領域６３という)に、発光装飾装置を構成する右上部発光装飾装置１０５が配設されると共に、対向面部５２に形成される開口部５２ａの開口上縁部と左右の第１区画壁６０に囲まれる領域(以下、中央設置領域６４という)に、発光装飾装置を構成する中央発光装飾装置１６７が配設される。そして、前記シャッター装置５００の左端部に略整合する前記第２区画壁６１と、前記左画壁と、シャッター装置５００の下端部と、前記第１および第２仕切り壁７６,７７の左側面とにより囲まれる領域(以下、左側部設置領域６５という)に、前記発光装飾装置を構成する左側部発光装飾装置１２０が配設され、シャッター装置５００の右端部に略整合する第２区画壁６１と、前記右画壁と、シャッター装置５００の下端部と、第１および第２仕切り壁７６,７７の右側面とにより囲まれる領域(以下、右側部設置領域６６という)に、発光装飾装置を構成する右側部発光装飾装置１４５が配設される。
【０１１５】
ここで、前記裏ユニット５０の対向面部５２には、図１０,図６９,図７０,図７１または図７２に示すように、前記各発光装飾装置９０,１０５,１２０,１４５,１６７を構成しているＬＥＤ基板９１,１０６,１２１,１２３,１２５,１４６,１４８,１５０,１６８(後述)を位置決め固定するための位置決め突部６７やネジ孔６８が、前記各設置領域６２〜６６毎に複数形成されると共に、各発光装飾装置９０,１０５,１２０,１４５,１６７を構成している装飾カバー９３,１０８,１２７,１５２(後述)の固定用のネジを挿通する通孔６９が、各設置領域６２〜６６毎に複数形成されている。なお、位置決め突部６７やネジ孔６８、通孔６９の形成数は、各設置領域６２〜６６に取り付けられるＬＥＤ基板９１,１０６,１２１,１２３,１２５,１４６,１４８,１５０,１６８や装飾カバー９３,１０８,１２７,１５２の大きさ・形状によって適宜決定することができる。また、前記対向面部５２には、前記上画壁との境界位置における左右方向の略中央位置(枠状装飾体２００の演出ユニット２０１と前後に重なる位置)に、前後に開口する配線挿通口(以下、上部中央配線挿通口７１という)が開設されており、前記枠状装飾体２００に設けられた演出ユニット２０１の配線が上部中央配線挿通口７１に挿通されて裏ユニット５０の裏側に導出される。更に、前記対向面部５２における前記各設置領域６２〜６６に対応する位置には、前後に開口する配線挿通口(以下、ＬＥＤ配線挿通口７２という)が複数開設されており、このＬＥＤ配線挿通口７２を介して、前記各発光装飾装置９０,１０５,１２０,１４５,１６７を構成しているＬＥＤ基板９１,１０６,１２１,１２３,１２５,１４６,１４８,１５０,１６８に接続される配線が挿通されるようになっている。なお、前記対向面部５２における左画壁部５３ｃとの境界位置には、上下方向の略中央位置に、後述する複合表示装置１４２に接続する配線を挿通する配線口７３が前後に開口するよう形成されている。また、前記対向面部５２における上部中央配線挿通口７１の下方位置には、左右に離間する位置に、前後に開口するソレノイド挿通口７４が夫々形成されており、該ソレノイド挿通口７４に前記演出ユニット２０１に設けられた駆動ソレノイド３６９の後端部を挿通するようになっている。
【０１１６】
また、前記箱状本体５１の対向面部５２(収容凹部７８)には、前記始動入賞装置３８の装置本体４１の上方および左右側方を囲繞する第１仕切り壁(仕切り壁)７６が前方に向けて突出するよう形成されており、該第１仕切り壁７６により画成される第１収容部７６ａに、始動入賞装置３８の装置本体４１が収容される。同様に、前記箱状本体５１の対向面部５２には、前記特別入賞装置４３の装置本体４５の上方および左右側方を囲繞する第２仕切り壁(仕切り壁)７７が前方に向けて突出するよう形成されており、該第２仕切り壁７７により画成される第２収容部７７ａに、特別入賞装置４３の装置本体４５が収容されている。すなわち、前記第１および第２収容部７６ａ,７７ａを区画する第１および第２仕切り壁７６,７７により、前記裏ユニット５０において前記シャッター装置５００、発光装飾装置９０,１０５,１２０,１４５,１６７、側部発光装飾装置９０,１０５,１２０,１４５,１６７が配設される領域と、前記始動入賞装置３８および特別入賞装置４３の収容部とを区画している。なお、前記箱状本体５１の下画壁部５３ｂは、前記第２収容部７７ａに対応する位置で前後および下方に開口するよう構成されており、前記第２仕切り壁７７が箱状本体５１の下面を画成する壁部としても機能している。
【０１１７】
ここで、図１０に示すように、前記第１仕切り壁７６の下端部は、前記第２仕切り壁７７の上面に連接するよう形成されると共に、第１収容部７６ａと第２収容部７７ａとを上下に連通する連通口７７ｂが該第２仕切り壁７７に形成されており、前記始動入賞装置３８の上下の入賞口に入賞したパチンコ球や、該始動入賞装置３８に接続する配線を、該連通口７７ｂを介して第２収容部７７ａ側に案内し得るよう構成されている。また、前記下固定部５５には、前記透明板３１の下部に形成された球排出切欠き部３１ｆと対応する位置に、前後および上下に開口する配線挿通用切欠き部(切欠き部)５５ａが形成されている。すなわち、前記透明板３１に形成された前記アウト口３６ｃおよび球排出切欠き部３１ｆを通過したパチンコ球は、前記配線挿通用切欠き部５５ａを介して遊技盤３０の裏側に排出し得るようになっている。そして、前記配線挿通用切欠き部５５ａは、前記第２収容部７７ａに連通するよう構成されており、前記透明板３１に配設された前記始動入賞装置３８および特別入賞装置４３の配線を、前記裏ユニット５０(下固定部５５)の配線挿通用切欠き部５５ａを介して裏ユニット５０の裏側に挿通し得るようになっている。
【０１１８】
(シャッター装置５００のカバーの設置領域および固定ボス)
また、前記対向面部５２には、前記第２仕切り壁７７と前記開口部５２ａとの間に、後方へ凹む収容凹部７８が形成されており、該収容凹部７８に前記シャッター装置５００における作動手段の駆動伝達部(歯車５６５,５７６)を保護するカバー体５８３(後述)が収容されるようになっている。すなわち、前記シャッター装置５００のカバー体５８３を前記収容凹部７８に収容することで、シャッター装置５００の前後の奥行き寸法を小さくし、裏ユニット５０にシャッター装置５００を配設し得るようにしている。また、前記収容凹部７８には、前記第１仕切り壁７６との境界位置に、前記シャッター装置５００の駆動モータ５６１,５６３や検出手段５４７(後述)に接続する配線を挿通する第１シャッター配線挿通口７９が左右に離間する２箇所に形成されると共に、該収容凹部７８の上方位置に、該シャッター装置５００に設けられる飾り用ＬＥＤ基板６０７(後述)に接続する配線を挿通する第２シャッター配線挿通口８０が前後に開口するよう形成されている。
【０１１９】
また、図１０,図６９,図７０,図７１または図７２に示すように、前記対向面部５２および収容凹部７８には、前記シャッター装置５００を固定するシャッター固定ボス８１,８２が前記開口部５２ａを囲繞するよう複数箇所(実施例では１２箇所)に、前方に突出するよう形成されて、各シャッター固定ボス８１,８２の前端部にネジ孔８１ｃが夫々形成されている。具体的には、前記シャッター固定ボス８１は、前記対向面部５２における前記開口部５２ａの上部に、該開口部５２ａの開口縁に沿って左右方向に離間する５箇所に形成され、前記収容凹部７８において左右に離間する２箇所に形成される。更に、前記シャッター固定ボス８２は、前記対向面部５２における開口部５２ａの左右下方位置に、上下に離間する２箇所に形成されると共に、該開口部５２ａの左右方向の略中央下部に１つ形成されている。なお、前記対向面部５２における前記開口部５２ａの上部に形成された５つのシャッター固定ボス８１および前記収容凹部７８形成された２つのシャッター固定ボス８１は、対向面部５２および収容凹部７８側の大径部８１ａと、該大径部８１ａに較べて小径に形成された前端部側の小径部８１ｂとから構成されて、小径部８１ｂにネジ孔８１ｃが形成されている。
【０１２０】
(照明用窓部について）
図５,図１０,図１１,図１２,図７３に示すように、前記裏ユニット５０における前記上固定部５４の前面には、前方および下方に開放する上部段差部８３が形成されており、前記上画壁部５３ａから上固定部５４(上部段差部８３)に亘って連続する照明用窓部８４が形成されている。すなわち、前記上画壁部５３ａに対応する位置では、前記照明用窓部８４が上下および前方に開口すると共に、前記上固定部５４(上部段差部８３)に対応する位置では、該照明用窓部８４が前後および下方に開口して、該上画壁部５３ａの開口と上固定部５４(上部段差部８３)とが連続するようになっている。なお、以下の説明において、前記上画壁部５３ａに形成される照明用窓部８４を第１窓部８４ａと指称し、前記上固定部５４(上部段差部８３)に形成される照明用窓部８４を第２窓部８４ｂと指称して区別する場合もある。ここで、前記第１窓部８４ａの前方開口幅寸法および前記第２窓部８４ｂの下方開口幅寸法は同一に設定されて、第１窓部８４ａおよび第２窓部８４ｂの全体が連通するようになっている。そして、この照明用窓部８４(第２窓部８４ｂ)の前側には、前記発光装飾装置９０,１０５,１２０,１４５,１６７(左右の上部発光装飾装置９０,１０５)を構成する装飾板部９９,１１５(後述)が位置するよう構成されて、該照明用窓部８４を介して該装飾板部９９,１１５に光を照射し得るよう構成されている。
【０１２１】
また、図４,図９,図１０,図１１に示すように、前記上部段差部８３の上端縁は、上方に膨出する円弧状に形成されている。この上部段差部８３の上端縁は、前記透明板３１に配設された前記外レール３５と前後に略整合する位置に設けられており、該上部段差部８３の略全体が前記遊技領域３２の内側に臨むようになっている。そして、前記上部段差部８３の大部分が開口するよう前記第２窓部８４ｂ(照明用窓部８４)が形成されている。また、前記第２窓部８４ｂの開口上縁部は、前記上部段差部８３の上端縁に沿って延在する円弧状に形成されており、該第２窓部８４ｂ(照明用窓部８４)を介して照射される光により、前記左右の上部発光装飾装置９０,１０５を構成する装飾板部９９,１１５が明輝されることで、前記遊技領域３２の形状に合わせて遊技領域３２の上部を照明し得るようになっている
【０１２２】
(シャッター装置について)
前記裏ユニット５０には、前記開口部５２ａの前側に、前記図柄表示装置１９の表示面(表示部)１９ａを遮蔽および開放可能なシャッター装置５００が配設されている。このシャッター装置５００は、図５０に示す如く、前記図柄表示装置１９の表示面１９ａを前側から視認可能とする表示空間５０１を画成したベース枠体５０２と、該ベース枠体５０２に移動自在に配設され、表示空間５０１を遮蔽可能なシャッター部材５０３と、該シャッター部材５０３を、表示空間５０１を遮蔽する遮蔽位置および該表示空間５０１を開放する開放位置の間を移動させる作動手段５０４とから基本的に構成される。
【０１２３】
(ベース枠体について)
前記ベース枠体５０２は、図５０および図５４に示す如く、上下の枠部を構成する上レール部材５０５および下レール部材５０６と、左右の枠部を構成する左シャッター収納部材５０７および右シャッター収納部材５０８とから基本的に構成される。上レール部材５０５の下端縁は、下側に凹となる円弧形に形成されると共に、下レール部材５０６の上端縁(後述する案内部５１９の上端縁)は、上側に凸となる円弧形に形成され、また左右のシャッター収納部材５０７,５０８の対向縁は、下レール部材５０６側から上レール部材５０５側に向かうにつれて相互に離間するよう形成されて、これら４つの部材５０５,５０６,５０７,５０８によって上側に凸となる扇面形の前記表示空間５０１が画成される。
【０１２４】
前記表示空間５０１は、前記裏ユニット５０の開口部５０ａと略整合する大きさに設定されている。すなわち、前記上レール部材５０５の下端縁および下レール部材５０６の上端縁が、裏ユニット５０の開口部５０ａの上下の縁端に略整合すると共に、左シャッター収納部材５０７の右端縁および右シャッター収納部材５０８の左端縁が、裏ユニット５０の開口部５０ａの左右の端縁に略整合している。これにより、前記シャッター部材５０３で表示空間５０１を遮蔽した際には、裏ユニット５０の開口部５０ａの裏側に臨む図柄表示装置１９の表示面１９ａの全体が覆われ、該シャッター部材５０３で表示空間５０１を開放した際には、裏ユニット５０の開口部５０ａの裏側に臨む図柄表示装置１９の表示面１９ａの全体が開放するようになっている。
【０１２５】
(上レール部材について)
前記上レール部材５０５は、図５４に示す如く、全体が略円弧形状を呈して、左右方向の中央を上下に通る中央線を挟んで略左右対称の形状に形成される。上レール部材５０５の左右両端部の前面には、前記左右のシャッター収納部材５０７,５０８の上端部が着脱自在に取付けられる上部取付部５０９,５０９が所定長さで垂設されている。また上レール部材５０５の前部は、左右方向の側部から中央に向かうにつれて後方に凹む階段状に形成される。実施例の上レール部材５０５は略左右対称に形成されているから、主に左側の構成について説明し、右側の対応する部位、部材には同じ符号を付して詳細な説明は省略する。
【０１２６】
前記上レール部材５０５における左側半分の前面には、後述する最後部に位置する後上レール溝５１５が形成される部位に対して前側に２段の段状部が形成され、最前部に位置する段状部を前段状部５１０と指称し、その後側に位置する段状部を中段状部５１１と指称するものとする。また、中段状部５１１の後側に位置する部位は基準となる部位で段状とはなっていないが、説明の便宜上、後段状部５１２と指称するものとする。
【０１２７】
前記上レール部材５０５における下レール部材５０６と対向する下面(対向面)には、図６０に示す如く、前記各段状部５１０,５１１,５１２に対応して下方に開口して左右方向に円弧状に延在する上レール溝５１３,５１４,５１５が前後に並列に形成されている。３つの上レール溝５１３,５１４,５１５については、各段状部５１０,５１１,５１２と対応して前上レール溝５１３、中上レール溝５１４および後上レール溝５１５と指称する。そして、各レール溝５１３,５１４,５１５における上レール部材５０５の左端から右方(中央)へ延在する左右方向の長さは、各段状部５１０,５１１,５１２に対応して異なるように形成される。すなわち、前上レール溝５１３が最も短かく、中上レール溝５１４、後上レール溝５１５の順で長くなるよう設定され、左右の後上レール溝５１５,５１５は相互に連通している。そして、３つの上レール溝５１３,５１４,５１５には、後述する左遮蔽板５３４,５３５,５３６の上端部が夫々摺動可能に挿入されて、該上レール溝５１３,５１４,５１５に沿って左遮蔽板５３４,５３５,５３６が左右方向に移動するよう構成される。また、前上レール溝５１３および中上レール溝５１４に沿って移動する左遮蔽板５３４,５３５は、該上レール溝５１３,５１４の中央側の端部を画成する段状部５１０,５１１の壁によって、それ以上の中央側への移動が規制されるようになっている。なお、前述したように左右の後上レール溝５１５,５１５は相互に連通しており、該後上レール溝５１５,５１５に沿って移動する左右の遮蔽板５３６,５３９の対向する側端縁が左右方向の中央で当接し得るよう構成される。
【０１２８】
前記上レール部材５０５の上面には、前端から後方に偏倚する位置に、上方に突出する固定部５１６が左右方向の略全長に亘って形成され、該固定部５１６には、前記裏ユニット５０に突設されたシャッター固定ボス８１が後側から嵌挿される固定凹部５１７が、左右方向に所定間隔離間して複数形成されている。そして、各シャッター固定ボス８１を固定凹部５１７に嵌挿した状態で、該固定凹部５１７に対応して設けた通孔に前側から挿通したネジをシャッター固定ボス８１のネジ孔８１ｃに螺挿することで、上レール部材５０５(シャッター装置５００のベース枠体５０２)が裏ユニット５０に位置決め固定されるようになっている。なお、固定凹部５１７に嵌挿されるシャッター固定ボス８１は、後側の大径部８１ａの前端に小径部８１ｂが突設された２段形状に形成されて、細径部８１ｂを固定凹部５１７に嵌挿した際には、大径部８１ａの前端が固定部５１６の裏面に当接して、該上レール部材５０５は確実に位置決めされる。また固定部５１６の前面には、複数の上部金属補強板５１８(図５４)が相互に接触した状態で配設されており、裏ユニット５０に配設されたアース線(図示せず)を上部金属補強板５１８に接続することで、シャッター装置５００のアースがなされるようにしてある。
【０１２９】
(下レール部材について)
前記下レール部材５０６は、図５４〜図５６に示す如く、上向き凸状に形成された案内部５１９の下面に、所定長さで垂下する取付盤部５２０が形成されると共に、該取付盤部５２０の左右両端部には、前記左右のシャッター収納部材５０７,５０８の下端部が着脱自在に取り付けられる下部取付部５２１,５２１が、案内部５１９より所定長さ上方に延出するように形成されている。この下レール部材５０６は、左右方向の中央を上下に通る中央線を挟んで左右対称の形状に形成されており、主に左側の構成について説明し、右側の対応する部位、部材には同じ符号を付して詳細な説明は省略する。
【０１３０】
前記案内部５１９の上レール部材５０５と対向する上面(対向面)には、前記上レール部材５０５に形成されている前、中、後の各上レール溝５１３,５１４,５１５と対応する上方に開口する前下レール溝５２２、中下レール溝５２３および後下レール溝５２４が前後に並列に形成されている。そして、３つの下レール溝５２２,５２３,５２４には、後述する左遮蔽板５３４,５３５,５３６の下端部が夫々摺動可能に挿入されて、該下レール溝５２２,５２３,５２４に沿って左遮蔽板５３４,５３５,５３６が左右方向に移動するよう構成される。また、３つの下レール溝５２２,５２３,５２４の左右方向の長さは、上レール溝５１３,５１４,５１５と対応して前側から後側へ順に長くなるよう設定され、前下レール溝５２２および中下レール溝５２３に沿って移動する左遮蔽板５３４,５３５は、該下レール溝５２２,５２３の中央側の端部を画成する壁によって、それ以上の中央側への移動が規制されるようになっている。すなわち、前の上下レール溝５１３,５２２で案内される左遮蔽板５３４および中の上下レール溝５１４,５２３で案内される左遮蔽板５３５は、上下の端部が何れもレール溝５１３,５２２,５１４,５２３を画成する壁によって位置規制されるよう構成してある。なお、左右の後下レール溝５２４,５２４については、上レール部材５０５に形成されている左右の後上レール溝５１５,５１５と同様に相互に連通して、該後下レール溝５２４,５２４に沿って移動する左右の遮蔽板５３６,５３９の対向する側端縁が左右方向の中央で当接し得るよう構成される。
【０１３１】
(シャッター収納部材について)
前記左右のシャッター収納部材５０７,５０８の構成は、略左右対称であるので、主に左側に位置する左シャッター収納部材５０７の構成について説明し、右側に位置する右シャッター収納部材５０８の対応する部位、部材には同じ符号を付して詳細な説明は省略する。
【０１３２】
前記左シャッター収納部材５０７は、図５４および図５５に示す如く、略扇面形に形成された前板５２５と、該前板５２５における左端縁(表示空間５０１から離間する端縁)から後方に所定長さで延出する側板５２６と、該側板５２６の外側下部に形成された側部取付部５２７とを備え、前板５２５の上下端部および側部取付部５２７が、前記上レール部材５０５の上部取付部５０９、固定部５１６および前記下レール部材５０６の取付盤部５２０、下部取付部５２１に、ボスやピン等の位置決め手段を介して位置決めされた状態でネジ止め固定されるよう構成してある。そして、上下のレール部材５０５,５０６間に取り付けられた左シャッター収納部材５０７の後側に、前板５２５および側板５２６により右側(表示空間５０１側)および後方に開放する収納空間が画成され、後述する左シャッター部材５３２が表示空間５０１の開放位置で該収納空間に収納されるよう構成される。
【０１３３】
前記前板５２５(左シャッター収納部材５０７の前面)における表示空間５０１側には、後方に一段低くなる段差面５２８ａおよび該段差面５２８ａにおける表示空間５０１から離間する左端縁に沿って立上がる側壁５２８ｂからなる段部５２８が形成されている。側壁５２８ｂには、段差面５２８ａ側に偏位する位置に左右方向に貫通する挿通孔５２８ｃが上下方向に離間して複数(実施例では２つ)形成されており、各挿通孔５２８ｃに、後述する透明保護板６０９の位置決め突部６１０が挿脱自在に挿通されるよう構成される。また前板５２５の裏面には、各挿通孔５２８ｃと対応する位置に保護板用ボス５２９が設けられ(図６４〜図６６参照)、挿通孔５２８ｃに挿通された位置決め突部６１０が該保護板用ボス５２９にネジ止め固定されるようになっている。
【０１３４】
前記段部５２８の側壁５２８ｂは、前記枠状装飾体２００における左側端部の形状に略倣うように形成されており、前記透明板３１に前側から枠状装飾体２００を配設した際に、該枠状装飾体２００の左側部後端部(第１内周壁２３０および球通路部２７４)が、段部５２８に収容されるようになっている。なお、前板５２５における段部５２８が形成されていない前面および段差面５２８ａには不透明な装飾が施されており、前記シャッター部材５０３で表示空間５０１を遮蔽した際に、左右の遮蔽板５３４,５３５,５３６,５３７,５３８,５３９の前面に施されている装飾を含めて１つの絵柄が完成するよう構成してある。
【０１３５】
前記前板５２５の裏面には、側壁５２８ｂに近接する側に側部金属補強板５３０が上下方向の略全長に亘って配設されて、当該左シャッター収納部材５０７を補強するよう構成される(図５１参照)。また、側壁５２８ｂにおける収納空間側の面(表示空間５０１を指向する面)の上部に、収納空間に収納される各左遮蔽板５３４,５３５,５３６の側端が当接する緩衝部材５３１が配設されている。この緩衝部材５３１としては、ゴムやスポンジ等の弾性を有するものが好適に使用される。
【０１３６】
(シャッター部材について)
前記表示空間５０１を遮蔽および開放する前記シャッター部材５０３は、図５０に示す如く、表示空間５０１の左半分を遮蔽および開放可能な左シャッター部材５３２と、表示空間５０１の右半分を遮蔽および開放可能な右シャッター部材５３３とから構成される。左シャッター部材５３２は、表示空間５０１を部分的に遮蔽可能な３枚の略扇面形の左遮蔽板５３４,５３５,５３６からなり、３枚の左遮蔽板５３４,５３５,５３６が左右に連なった状態で表示空間５０１の左半分を遮蔽し得ると共に、前記左シャッター収納部材５０７の後側(ベース枠体５０２の左側部)において３枚の左遮蔽板５３４,５３５,５３６が前後方向に重なり合った状態で表示空間５０１を開放し得るよう構成される。また、右シャッター部材５３３は、表示空間５０１を部分的に遮蔽可能な３枚の略扇面形の右遮蔽板５３７,５３８,５３９からなり、３枚の右遮蔽板５３７,５３８,５３９が左右に連なった状態で表示空間５０１の右半分を遮蔽すると共に、前記右シャッター収納部材５０８の後側(ベース枠体５０２の右側部)において３枚の右遮蔽板５３７,５３８,５３９が前後方向に重なり合った状態で表示空間５０１を開放し得るよう構成される。左シャッター部材５３２および右シャッター部材５３３の構成は、基本的には左右対称であるので、左シャッター部材５３２の構成について主に説明し、右シャッター部材５３３の対応する部位、部材には同じ符号を付して詳細な説明は省略する。
【０１３７】
前記左シャッター部材５３２は、図６０に示す如く、３枚の左遮蔽板５３４,５３５,５３６を前後に重ね合わせることが可能な位置関係で構成されて、最前部に位置する前左遮蔽板５３４が、前記前の上下レール溝５１３,５２２に上下端部が挿入された状態で左右方向に移動自在に案内されるよう配設され、中に位置する中左遮蔽板５３５が、前記中の上下レール溝５１４,５２３に上下端部が挿入された状態で左右方向に移動自在に案内されるよう配設され、最後部に位置する後左遮蔽板５３６が、前記後の上下レール溝５１５,５２４に上下端部が挿入された状態で左右方向に移動自在に案内されるよう配設される。なお、前、中、後の各左遮蔽板５３４,５３５,５３６の構成は基本的には同じであるので、基本的な構成部分については後左遮蔽板５３６について説明し、前、中の各左遮蔽板５３５,５３６の同一部位、部材には同じ符号を付して説明は省略する。
【０１３８】
前記後左遮蔽板５３６は、上下端部が後の上下レール溝５１５,５２４に挿入可能な寸法の略扇面形に形成され、４つの角部の夫々に回転体としてのボールベアリング５４０が回転自在に配設される。そして、上下の端部が後の上下レール溝５１５,５２４に挿入された後左遮蔽板５３６は、４つのボールベアリング５４０が上下のレール部材５０５,５０６に当接して転動しつつ後の上下レール溝５１５,５２４に沿って左右方向に移動するよう構成される。後左遮蔽板５３６の前面上部における左端部に、上部前閉鎖用係合片５４１(図６０,図６１参照)が前側に向けて突設されると共に、該後左遮蔽板５３６の前面下部における左端部に、下部前閉鎖用係合片５４２が前側に向けて突設される。これに対し、中左遮蔽板５３５については、上下の前閉鎖用係合片５４１,５４２が後左遮蔽板５３６と同じ位置に設けられる他に、裏面上部における右端部に、後左遮蔽板５３６の上部前閉鎖用係合片５４１が左側から係合可能な上部裏閉鎖用係合片５４３が後側に向けて突設されると共に、裏面下部における右端部に、後左遮蔽板５３６の下部前閉鎖用係合片５４２が左側から係合可能な下部裏閉鎖用係合片５４４が後側に向けて突設されている。更に、中左遮蔽板５３５の裏面下部における左端部に、後左遮蔽板５３６の下部前閉鎖用係合片５４２が右側から係合可能な下部裏開放用係合片５４５が後側に向けて突設されている。また前左遮蔽板５３４については、上下の裏閉鎖用係合片５４３,５４４および下部裏開放用係合片５４５が中左遮蔽板５３５と同じ位置に設けられ、該前左遮蔽板５３４の上下の裏閉鎖用係合片５４３,５４４には、中左遮蔽板５３５の上下の前閉鎖用係合片５４１,５４５が左側から係合可能に構成されると共に、前左遮蔽板５３４の下部裏開放用係合片５４５には、中左遮蔽板５３５の下部前閉鎖用係合片５４２が右側から係合可能に構成されている。
【０１３９】
そして、前記開放位置において前、中、後の左遮蔽板５３４,５３５,５３６が前後方向に重なり合った状態(図５２および図６６)から、後左遮蔽板５３６が後述する左作動手段５５８により遮蔽位置に向けて右方に移動される際には、後左遮蔽板５３６における上下の前閉鎖用係合片５４１,５４２が中左遮蔽板５３５における上下の裏閉鎖用係合片５４３,５４４に左側から係合することで該後左遮蔽板５３６と共に中左遮蔽板５３５が移動し、更に中左遮蔽板５３５における上下の前閉鎖用係合片５４１,５４２が前左遮蔽板５３４における上下の裏閉鎖用係合片５４３,５４４に左側から係合することで該中左遮蔽板５３５と共に前左遮蔽板５３４が移動するよう構成される。また、前記遮蔽位置において前、中、後の左遮蔽板５３４,５３５,５３６が左右方向に連なった状態から、後左遮蔽板５３６が左作動手段５５８により開放位置に向けて左方に移動される際には、後左遮蔽板５３６における下部前閉鎖用係合片５４２が中左遮蔽板５３５における下部裏開放用係合片５４５に右側から係合することで該後左遮蔽板５３６と共に中左遮蔽板５３５が移動し、更に中左遮蔽板５３５における下部前閉鎖用係合片５４２が前左遮蔽板５３４における下部裏開放用係合片５４５に右側から係合することで該中左遮蔽板５３５と共に前左遮蔽板５３４が移動するよう構成される。すなわち、中および後の左遮蔽板５３５,５３６に設けられる下部前閉鎖用係合片５４２は、前および中の左遮蔽板５３４,５３５を開放する開放用係合片として兼用されるようになっている。
【０１４０】
前記左シャッター部材５３２の遮蔽位置においては、後左遮蔽板５３６における上下の前閉鎖用係合片５４１,５４２が中左遮蔽板５３５における上下の裏閉鎖用係合片５４３,５４４の左側に係合し、中左遮蔽板５３５における上下の前閉鎖用係合片５４１,５４２が前左遮蔽板５３４における上下の裏閉鎖用係合片５４３,５４４の左側に係合した状態で左右方向に連なった状態となる(図６５参照)。すなわち、３枚の左遮蔽板５３４,５３５,５３６は、側端部が所定長さだけ前後に重なり合った状態で左右方向に連なっており、３枚の左遮蔽板５３４,５３５,５３６の相互間に隙間は生じないようになっている。また、前記前の上下レール溝５１３,５２２に沿って右方(中央)に向けて移動する前左遮蔽板５３４が前の上下レール溝５１３,５２２の中央側の端部を画成する壁によって位置規制される位置において、該前左遮蔽板５３４の左側端部が所定長さだけ前記左シャッター収納部材５０７の後側に重なるよう設定されて、左シャッター収納部材５０７と前左遮蔽板５３４との間にも隙間が生じないよう構成される。なお、３枚の左遮蔽板５３４,５３５,５３６が前後方向に重なり合った状態で開放位置に臨んだときには、該左遮蔽板５３４,５３５,５３６の右端部が左シャッター収納部材５０７の右端縁から表示空間５０１側に延出しないよう設定される(図６４または図６６参照)。すなわち、左右のシャッター部材５３２,５３３の開放位置においては、表示空間５０１の全体を開放するよう構成されている。
【０１４１】
前記左右の各遮蔽板５３４,５３５,５３６,５３７,５３８,５３９の前面には所要の装飾が施されており、これらの装飾は、６枚の遮蔽板５３４,５３５,５３６,５３７,５３８,５３９が遮蔽位置に臨む状態で、前記左右のシャッター収納部材５０７,５０８に施されている装飾と合わせて１つの絵柄が完成するよう構成されている。なお実施例では、左右の各遮蔽板５３４,５３５,５３６,５３７,５３８,５３９は透明な合成樹脂材により形成されており、装飾が施されている箇所のみが不透明となるよう構成される。
【０１４２】
(検出手段について)
前記後左遮蔽板５３６における左端縁の下部には、左方に延出する検出片５４６が設けられており、該検出片５４６は、遮蔽位置において左側に隣り合う中左遮蔽板５３５の裏側に臨むよう構成されている(図５１は背面図であるので左右逆となっている)。なお、遮蔽位置において中左遮蔽板５３５における検出片５４６の前側に臨む前面には前記装飾が施されており、該遮蔽位置において検出片５４６は中左遮蔽板５３５の裏側に隠れて前側から視認不能になっている。また、前記下レール部材５０６における下部取付部５２１には、前記検出片５４６を検出可能な検出手段５４７が配設されている。この検出手段５４７は、前記後左遮蔽板５３６が開放位置に到来した際に検出片５４６を検出し、その検出信号に基づいて後述する左駆動モータ５６１が前記制御装置７００(図１３参照)により制御されるように構成される。
【０１４３】
前記下レール部材５０６の下部取付部５２１には、上方および後方に開口するセンサ設置部５４８が設けられ、該センサ設置部５４８に前記検出手段５４７が収容状態で設置され、該センサ設置部５４８の左右両側に設けられたセンサ用ボス５４９,５４９にネジを介して検出手段５４７が固定される。また、センサ設置部５４８の下側の壁部にはコネクタ用切欠部５４８ａが形成されており、検出手段５４７に設けられたコネクタ受け部５４７ａが該コネクタ用切欠部５４８ａに嵌り込んだ状態で下方に延出することで、センサ設置部５４８に対する検出手段５４７の位置決めを確実に行ない得るよう構成してある。なお、検出手段５４７における一対の検出部がセンサ設置部５４８から上方に延出し、両検出部の間に前記検出片５４６が臨むことで後左遮蔽板５３６の開放位置への到来を検出するようになっている。前記検出手段５４７としては、受光素子および発光素子を備えた光学式センサが採用されるが、前記検出片５４６を検出可能なその他の形型の各種センサを用いることができる。
【０１４４】
前記下レール部材５０６における取付盤部５２０の裏面には、前記センサ設置部５４８に近接する下方位置に配線結束片５５０が設けられ、前記コネクタ受け部５４７ａにコネクタ差込み部を介して接続する配線(図示せず)が、該配線結束片５５０に結束具(図示せず)を介して結束されるよう構成される。また、取付盤部５２０における配線結束片５５０の配設位置より中央側に、前後に開口する配線通孔５５１が形成されており、配線結束片５５０に結束された後の配線は該配線通孔５５１を介して取付盤部５２０の前側に引き出されるようになっている。
【０１４５】
なお、前記下レール部材５０６における取付盤部５２０の前面左側から前記左シャッター収納部材５０７の側部取付部５２７の前面に亘って、後述する左側部発光装飾装置１２０の第２左側部ＬＥＤ基板１２３が配設されている。そして、該第２左側部ＬＥＤ基板１２３の裏面に配設されるコネクタ受け部は、対応する左側に位置する前記配線通孔５５１を介して裏側に挿通されるようになっており、該コネクタ受け部に接続される配線は、前記裏ユニット５０の対応するＬＥＤ配線挿通口７２を介して裏側に引き出されて前記中継基板７０２に接続される。また下レール部材５０６の取付盤部５２０の前面右側から前記右シャッター収納部材５０８の側部取付部５２７の前面に亘って、後述する右側部発光装飾装置１４５の第２右側部ＬＥＤ基板１４８が配設されており、該第２右側部ＬＥＤ基板１４８の裏面に配設されるコネクタ受け部が、対応する右側に位置する前記配線通孔５５１を介して裏側に挿通されるよう構成される。なお、第２右側部ＬＥＤ基板１４８の裏面に配設されるコネクタ受け部に接続される配線は、右側部発光装飾装置１４５の右下部ＬＥＤ基板１５０に接続される。
【０１４６】
(磁石について)
前記左右のシャッター部材５３２,５３３における後左遮蔽板５３６および後右遮蔽板５３９の対向する側端縁(以後、当接縁と指称する)は、遮蔽位置において前記表示空間５０１の左右方向の中央で全長に亘って当接するよう構成される。後左遮蔽板５３６の裏側には、上下方向の略中央において当接縁と面一となる左当接面５５２が後方に向けて突設され(図５７参照)、該左当接面５５２の左側に左永久磁石５５３が左固定部材５５４を介して配設される。また後右遮蔽板５３９の裏側には、上下方向の略中央において当接縁と面一となる右当接面５５５が後方に向けて突設され、該右当接面５５５の右側に右永久磁石(磁着部材)５５６が右固定部材５５７を介して配設される。そして、左右のシャッター部材５３２,５３３を遮蔽位置に移動した際には、後左遮蔽板５３６および後右遮蔽板５３９の当接縁および当接面５５２,５５５が当接した状態で、永久磁石５５３,５５６同士が磁力により磁着(吸着)して、両遮蔽板５３６,５３９の当接状態を維持し得るよう構成してある(図５１参照)。なお、当接面５５２,５５５、永久磁石５５３,５５６および固定部材５５４,５５７は、後の左右遮蔽板５３６,５３９における前記装飾が施された位置に配設されており、装飾によって当接面５５２,５５５、永久磁石５５３,５５６および固定部材５５４,５５７を前側から視認不能にしている。
【０１４７】
(作動手段について)
前記シャッター部材５０３を作動する作動手段５０４は、前記左シャッター部材５３２を、左シャッター収納部材５０７の後側に収納する開放位置および前記表示空間５０１の左半分を遮蔽する遮蔽位置の間で移動させる左作動手段５５８と、前記右シャッター部材５３３を、右シャッター収納部材５０８の後側に収納する開放位置および表示空間５０１の右半分を遮蔽する遮蔽位置の間で移動させる右作動手段５５９とから構成される。左作動手段５５８および右作動手段５５９の構成は左右対称であるので、左作動手段５５８の構成について主に説明し、右作動手段５５９の対応する部位、部材には同じ符号を付して詳細な説明は省略する。
【０１４８】
前記左作動手段５５８は、前記下レール部材５０６の取付盤部５２０の裏側に一端が揺動自在に枢支されると共に、他端が左シャッター部材５３２における後左遮蔽板５３６の裏側に連繋されて、揺動により後左遮蔽板５３６を前記後の上下レール溝５１５,５２４に沿って左右方向に往復移動する板状の左作動部材５６０と、取付盤部５２０に配設されて前記左作動部材５６０を往復揺動させる左駆動手段としての左駆動モータ５６１とから基本的に構成される。左シャッター部材５３２における最後部に位置する後左遮蔽板５３６は、左作動部材５６０により直に作動されるものであって、該後左遮蔽板５３６が作動用の遮蔽板として機能する。なお、右作動手段５５９における左作動部材５６０および左駆動モータ５６１と対応する部材については、右作動部材５６２および右駆動モータ５６３として区別して指称するものとする。
【０１４９】
(作動部材について)
前記左作動部材５６０は、前記取付盤部５２０に後方に延出するように突設された枢軸５６４に長手方向の一端が揺動自在に枢支されており、該左作動部材５６０の一端には従動歯車５６５が一体的に回動するよう配設されている。また左作動部材５６０は、後左遮蔽板５３６に連繋される他端から取付盤部５２０の後側に臨む位置までに亘って後左遮蔽板５３６と平行に延在する連繋アーム部５６６と、該連繋アーム部５６６に連設されて連繋アーム部５６６より後方に変位する状態で一端まで延在する枢支アーム部５６７とから形成された薄板状の部材であって、該枢支アーム部５６７の端部に前記従動歯車５６５が配設される。連繋アーム部５６６は、図６に示す如く、当該シャッター装置５００を前記裏ユニット５０の対向面部５２に配設した状態で後左遮蔽板５３６に近接して平行に延在し、シャッター装置５００を配設するために前記開口部５２ａの前側に必要となる前後寸法を小さく抑えることができるようになっている。また、連繋アーム部５６６に対して枢支アーム部５６７を後側に変位することで、連繋アーム部５６６を後左遮蔽板５３６から後側に離間させることなく従動歯車５６５を後述する駆動歯車５７６と噛合可能な位置に配置することができるようになっている。そして、枢支アーム部５６７の後側への変位によって、後述するように左駆動モータ５６１の前側への突出寸法を抑え得るよう構成される。また、左作動部材５６０の他端部に長孔５６８が形成され、該長孔５６８に、後左遮蔽板５３６の裏側における上下方向の中間に配設された連結部材５６９が摺動自在に嵌挿されて(図６２参照)、左作動部材５６０の揺動に伴い連結部材５６９が長孔５６８に沿って移動しつつ後左遮蔽板５３６が左右方向に移動するよう構成される。なお、枢支アーム部５６７に対して従動歯車５６５は、ピンとリブとによって周方向の設定位置でのみ正しく配設可能となっており、右作動部材５６２および左作動部材５６０に配設される従動歯車５６５を間違えることがないようにしてある。
【０１５０】
前記左作動部材５６０の他端部の構成を更に詳しく述べれば、左作動部材５６０における後左遮蔽板５３６の裏面に対向する前面に、前記長孔５６８の外縁に沿って前方に突出する突部５７０が突設されると共に、該左作動部材５６０の裏面には、長孔５６８を囲むように後方に開口する凹溝５７１が形成されている。これに対し、前記後左遮蔽板５３６に配設される前記連結部材５６９は、図６２に示す如く、後左遮蔽板５３６の裏面に突設される略円盤状の前フランジ５７２と、該前フランジ５７２から後方に突出する軸部５７３と、該軸部５７３の突出端に配設される後フランジ５７４とから構成され、前後のフランジ５７２,５７４の間に臨む軸部５７３が、前記左作動部材５６０の長孔５６８に摺動自在に挿通されることで、該左作動部材５６０が後左遮蔽板５３６に連繋されている。また左作動部材５６０と後左遮蔽板５３６との連繋状態で、左作動部材５６０の突部５７０が連結部材５６９における前フランジ５７２の裏面に接触して、該左作動部材５６０の全体が後左遮蔽板５３６に接触しないよう構成される。更に、左作動部材５６０と後左遮蔽板５３６との連繋状態で、連結部材５６９の後フランジ５７４が左作動部材５６０の凹溝５７１に臨んで該左作動部材５６０が連結部材５６９から抜けるのを防止している。なお、連結部材５６９の後フランジ５７４は、軸部５７３に対して着脱自在にネジ止めされており、該後フランジ５７４を軸部５７３から取り外すことで、後左遮蔽板５３６と左作動部材５６０との連繋を解除し得るようになっている。
【０１５１】
前記取付盤部５２０における前記枢軸５６４の配設位置(左作動部材５６０の枢支位置)は、前記後左遮蔽板５３６が開放位置と遮蔽位置との間を移動する範囲の中央に設定される。また前記左作動部材５６０に形成される前記長孔５６８は、枢軸５６４の中心(揺動中心)と前記連結部材５６９の中心とを結ぶ線上に直線状に延在するよう形成されて、該左作動部材５６０の揺動時には連結部材５６９の軸部５７３が長孔５６８内を円滑に摺動するよう構成される。また左作動部材５６０は、図５１に示す如く、左シャッター部材５３２の遮蔽位置における背面視において略逆く字状に形成されて、後左遮蔽板５３６が開放位置および遮蔽位置の間を移動する間は常に左遮蔽板５３４,５３５,５３６の後側に隠れるよう構成されて、該左作動部材５６０が前側から視認されることがないようにしてある。より詳しくは、左シャッター部材５３２の遮蔽位置においては、図５１に示す如く、左作動部材５６０における後左遮蔽板５３６との連繋部から前記連繋アーム部５６６が中左遮蔽板５３５側に向けて斜めに延在し、該中左遮蔽板５３５の後側で屈曲して前記案内部５１９より下方の位置まで延在する。また左シャッター部材５３２の開放位置においては、図５２に示す如く、左作動部材５６０の連繋アーム部５６６は、後左遮蔽板５３６の後方から表示空間５０１側にはみ出すことなく該連繋アーム部５６６の側端縁が後左遮蔽板５３６の表示空間側の側端縁と略平行に延在した状態で案内部５１９の下方まで延在するよう構成される。そして、左作動部材５６０が後左遮蔽板５３６を遮蔽位置に向けて揺動する際には、前記連繋アーム部５６６における後左遮蔽板５３６の表示空間側の側端縁と略平行に延在する部分が後左遮蔽板５３６の移動方向とは逆方向に変位することで、該後左遮蔽板５３６が遮蔽位置に至るまでの間、当該左作動部材５６０は左シャッター部材５３２に常に隠れた状態で揺動するよう構成される。なお、右作動部材５６２は、左作動部材５６０と左右対称の形状であって、該左作動部材５６０と同様に、右シャッター部材５３３の開放位置においては、図５３に示す如く、右作動部材５６２の連繋アーム部５６６は、後右左遮蔽板５３９の後方から表示空間５０１側にはみ出すことなく該連繋アーム部５６６の側端縁が後右遮蔽板５３９の表示空間側の側端縁と略平行に延在した状態で案内部５１９の下方まで延在するよう構成される。すなわち、左右の作動部材５６０,５６２は、両シャッター部材５３２,５３３の開放位置において、図５３に示す如く、表示空間５０１に臨まないと共に、両シャッター部材５３２,５３３を開放位置から遮蔽位置に移動させる際にも後の左右遮蔽板５３６,５３９からはみ出すことなく、前記図柄表示装置１９の表示面１９ａで行なわれる図柄変動演出を阻害しないよう構成されている。
【０１５２】
前記左作動部材５６０は、裏面の略全体が肉抜きされて軽量化を図るよう構成されるが、後述する前後のガイド部材５７７,５７８におけるリブ５７９,５８２が当接する部位の前後面は平坦に形成されて、リブ５７９,５８２に沿って円滑に摺動し得るよう構成してある(図６２参照)。
【０１５３】
(駆動モータについて)
前記下レール部材５０６の取付盤部５２０には、モータ支持体５７５を介して前記左駆動モータ５６１が出力軸を後方に向けた後向き姿勢で配設されている。モータ支持体５７５から後方に延出する左駆動モータ５６１の出力軸に駆動歯車５７６が配設され、該駆動歯車５７６が前記左作動部材５６０に配設された従動歯車５６５に噛合するよう構成される。すなわち、左駆動モータ５６１を正逆回転することで、両歯車５７６,５６５の噛合作用下に左作動部材５６０が左右方向に揺動し、これに伴って左後遮蔽板５３６が左右方向に移動するようになっている。
【０１５４】
前記モータ支持体５７５には、左右の駆動モータ５６１,５６３が左右方向の中央を挟んで対称な位置に配設されており、両駆動モータ５６１,５６３が配設されたモータ支持体５７５が、前記取付盤部５２０に対して後側から着脱自在に取り付けられるようになっている。そして、モータ支持体５７５を取付盤部５２０に取り付けた状態で、各駆動モータ５６１,５６３の出力軸が取付盤部５２０の後側に突出すると共に、各駆動モータ５６１,５６３の本体部分が取付盤部５２０の前側に所定長さだけ延出するよう設定してある。ここで、取付盤部５２０は、前記案内部５１９における前後方向の略中央から垂下するように設けられており、該取付盤部５２０に対して出力軸を後側、本体部分を前側に突出するように配設される駆動モータ５６１,５６３における案内部５１９に対する前後の突出寸法を少なく抑えている。
【０１５５】
また、モータ支持体５７５を介して取付盤部５２０に取り付けられた左右の駆動モータ５６１,５６３は、前記ステージ部２７１より下方で、かつ前記始動入賞装置３８における透明板３１後方に延出する部位(具体的には前記第１仕切り壁７６)を挟む左右両側に位置するよう配置される。なお、左駆動モータ５６１における取付盤部５２０の前側に臨む部位から導出される配線(図示せず)は、前記対応する左側の検出手段５４７における前記配線通孔５５１から取付盤部５２０の前側に引き出される配線と共通のコネクタ差込み部(図示せず)に接続されている。そして、左側の駆動モータ５６１および検出手段５４７から導出する配線は、前記裏ユニット５０に形成された第１シャッター配線挿通口７９を介して裏側に引き出されて、前記中継基板７０２に接続される。
【０１５６】
(ガイド部材について)
前記下レール部材５０６における取付盤部５２０には、左作動部材５６０および右作動部材５６２を前後から支持する前ガイド部材５７７および後ガイド部材５７８が夫々対応して配設されている。左右の作動部材５６０,５６２を支持する前ガイド部材５７７および後ガイド部材５７８は左右対称であるので、左作動部材５６０を支持する前ガイド部材５７７および後ガイド部材５７８の構成について主に説明し、右作動部材５６２を支持する前ガイド部材５７７および後ガイド部材５７８の対応する部位、部材には同じ符号を付して詳細な説明は省略する。
【０１５７】
前記取付盤部５２０の裏面に、左作動部材５６０の前側に臨む前ガイド部材５７７が着脱自在に配設されている。この前ガイド部材５７７の裏面(後ガイド部材５７８との対向面)には、図５９に示す如く、前記案内部５１９の円弧(左作動部材５６０の移動方向)に沿って延在する複数の前リブ(リブ)５７９が、上下方向(左作動部材５６０の移動方向と交差する方向)に離間して並列に突設されている。この前リブ５７９の突出端(後端)は、前記案内部５１９の裏面より僅かに後方に延出し(図６２参照)、前記左作動部材５６０の前面に当接可能に構成される。また前ガイド部材５７７は、前記後左遮蔽板５３６を開放位置と遮蔽位置との間を移動する際の左作動部材５６０の揺動範囲と略同じ長さで左右方向に延在し、該左作動部材５６０が揺動する際には常に前リブ５７９で当接支持し得るようになっている(図５１および図５２参照)。
【０１５８】
前記取付盤部５２０の裏面には、前記前ガイド部材５７７の配設位置に対応して、該前ガイド部材５７７の後側に位置する左作動部材５６０の後側に臨む後ガイド部材５７８が着脱自在に配設される。後ガイド部材５７８は、図５８および図５９に示す如く、略円弧状に形成された弧状部５８０の両端部に、前方に延出する取付部５８１が夫々設けられ、後ガイド部材５７８を両取付部５８１,５８１を介して取付盤部５２０に位置決め固定することで、前記弧状部５８０と前ガイド部材５７７との前後間隔が一定に保持されるよう構成される。また弧状部５８０における前面(前ガイド部材５７７との対向面)には、左作動部材５６０の移動方向に沿って延在する複数の後リブ(リブ)５８２が、上下方向に離間して並列に突設されている。この後リブ５８２の突出端(前端)と前記前リブ５７９の突出端との前後方向の離間間隔が、前記左作動部材５６０の前後方向の厚み寸法より僅かに広く設定され、前後のリブ５７９,５８２の間を左作動部材５６０が円滑に揺動し得るようになっている(図６２参照)。なお、後ガイド部材５７８の弧状部５８０は、前記後左遮蔽板５３６を開放位置と遮蔽位置との間を移動する際の左作動部材５６０の揺動範囲より左右方向に長く延在し、該左作動部材５６０が揺動する際には常に後リブ５８２で当接支持し得るよう構成してある。
【０１５９】
なお、前記左作動部材５６０は、図６２に示す如く、前記後左遮蔽板５３６と平行に延在する前記連繋アーム部５６６が前後のガイド部材５７７,５７８で前後から挟まれるよう構成されて、該連繋アーム部５６６が下レール部材５０６における案内部５１９の裏面に接触するのを防止するようにしてある。また、前後のガイド部材５７７,５７８におけるリブ５７９,５８２は、連繋アーム部５６６における前後の平坦面に当接するよう位置決めされて、左作動部材５６０の揺動時におけるリブ５７９,５８２との接触抵抗を極力抑えるようにしてある。更に、前リブ５７９と後リブ５８２とは、上下方向にずれた位置で左作動部材５６０に夫々当接可能に位置設定される。
【０１６０】
(カバー体について)
前記下レール部材５０６における取付盤部５２０の裏面には、図５２に示す如く、前記左右の駆動歯車５７６,５７６および左右の従動歯車５６５,５６５からなる駆動伝達部を被覆するカバー体５８３が着脱自在に配設されている。このカバー体５８３には、左右の枢軸５６４,５６４と対応する位置に、各枢軸５６４における従動歯車５６５から後方に突出する端部が挿通される軸通孔５８４が夫々穿設されている(図６２参照)。すなわち、各軸通孔５８４に対応する枢軸５６４の端部を挿通した状態で、該カバー体５８３を取付盤部５２０に取り付けることで、左右の作動部材５６０,５６２の軸方向への移動を規制するよう構成される。またカバー体５８３の左右両端部には、前後方向に貫通する抜き孔５８５が夫々形成されており、前記裏ユニット５０に突設したシャッター固定ボス８１が該抜き孔５８５に挿通されて、該シャッター固定ボス８１が取付盤部５２０にネジ止め固定されるようになっている。なお、カバー体５８３における左右方向の中央下部は、上側に向けて凹設されて、前記始動入賞装置３８を囲繞する第１仕切り壁７６と干渉しないよう構成してある。
【０１６１】
(上弧状装飾体について)
前記上レール部材５０５は、前側に上弧状装飾体５８６を備える。この上弧状装飾体５８６は、図６７または図６８に示す如く、上レール部材５０５の曲率よりは小さな曲率の円弧形状に形成されると共に、縦断面において後方に開口するコ字状に形成されており、パチンコ機１０を前側から見たときには、該上弧状装飾体５８６の下壁によって上レール部材５０５の下面が直に見えないよう構成してある。なお、上弧状装飾体５８６の下壁５８６ａは、上レール部材５０５における前部の階段形状に整合する階段状に形成されている。
【０１６２】
前記上弧状装飾体５８６における左右方向の中央には、前記上レール部材５０５の後段状部５１２,５１２と対応する位置、すなわち左右の中段状部５１１,５１１の間で最も後側に凹む部分に、後方に凹んで上下および前方に開放する切欠部５８７が形成されている。そして、前記枠状装飾体２００における窓口２００ａを画成する上部内縁から垂下する前記上部発光演出装置３０２の一部が、前記上弧状装飾体５８６の切欠部５８７内に臨むと共に、該上弧状装飾体５８６から下方に突出する上部発光演出装置３０２の下部が、前記表示空間５０１内に延出するよう構成してある(図４９参照)。すなわち、前記左右のシャッター部材５３２,５３３を遮蔽位置に移動したときに、最後部に位置する左右の後遮蔽板５３６,５３９の前側に、上部発光演出装置３０２の下部が重なるようになっている(図６１参照)。
【０１６３】
(下弧状装飾体について)
前記下レール部材５０６には、前記案内部５１９を前側から被覆する下弧状装飾体５８８が配設されている。この下弧状装飾体５８８は、図６７または図６８に示す如く、下レール部材５０６における案内部５１９と同一の曲率の円弧形状に形成されると共に、縦断面において後方に開口するコ字状に形成されている。また下弧状装飾体５８８の上壁５８９は、前記左右のシャッター部材５３２,５３３を遮蔽位置に位置決めしたときに、前、中、後の各遮蔽板５３４,５３５,５３６,５３７,５３８,５３９および左右のシャッター収納部材５０７,５０８の前側に形成される階段形状に対応する階段状に形成されている。すなわち、左右のシャッター部材５３２,５３３を遮蔽位置に位置決めしたときには、下レール部材５０６における案内部５１９の上面は下弧状装飾体５８８で略覆われて直に見えないようにして、見栄えの低下を防止し得るようになっている。
【０１６４】
前記下弧状装飾体５８８の下壁５９０には、左右方向の両端近傍に、下方に向けて延出する固定脚５９１が夫々形成されると共に、各固定脚５９１には、ピン孔５９１ａと通孔５９１ｂが形成されている。これに対し、前記下レール部材５０６の取付盤部５２０には、各固定脚５９１と対応する前面位置に、該固定脚５９１が前側から着脱自在に嵌合する嵌凹部５９２が夫々形成されている。また各嵌凹部５９２には、固定脚５９１のピン孔５９１ａおよび通孔５９１ｂと対応するピン５９２ａおよびネジ孔５９２ｂが形成されている(図５０参照)。すなわち、各固定脚５９１を対応する嵌凹部５９２に嵌合すると共にピン５９２ａをピン孔５９１ａに挿通することで、下レール部材５０６に下弧状装飾体５８８が位置決めされる。そして、各固定脚５９１の通孔５９１ｂに前側から挿通したネジをネジ孔５９２ｂに螺挿することで、下レール部材５０６に対して下弧状装飾体５８８が正しい位置に固定されるよう構成される。
【０１６５】
前記下レール部材５０６における取付盤部５２０の前面には、左右方向の中央に、前方に開口する第１位置決め凹部５９３が上下方向に延在するよう形成されている。また第１位置決め凹部５９３内の上部には、該第１位置決め凹部５９３より更に後方に凹む収容部５９４が凹設されている。前記下弧状装飾体５８８の下壁５９０には、左右方向の中央に、前記収容部５９４に収容される第１被規制部５９５が設けられている(図６３参照)。この第１被規制部５９５には、前方に延出する係合片５９５ａが形成してある。また下弧状装飾体５８８の下壁５９０には、両固定脚５９１,５９１を介して下レール部材５０６に下弧状装飾体５８８を位置決めした際に、前記取付盤部５２０の前面に当接する複数の第２被規制部５９６が下方に向けて延出形成されている。なお、取付盤部５２０における前記収容部５９４に対応する位置の裏側に固定凹部５９４ａが形成され、該固定凹部５９４ａに前記裏ユニット５０に設けたシャッター固定ボス８２が嵌挿された状態でネジ止めされるよう構成され、該取付盤部５２０は、第１位置決め凹部５９３の形成部位が裏ユニット５０に確実に位置決め固定されるようになっている。
【０１６６】
(飾り部材について)
前記下レール部材５０６における取付盤部５２０の前面中央には、前記ステージ部２７１の後方に位置して該ステージ部２７１を後方から装飾する位置決め部材としての飾り部材５９７が配設されている。この飾り部材５９７は、図６７および図６８に示す如く、前飾り板５９８と、該前飾り板５９８の端縁から後方に延出する側壁５９９,６００とから後方に開口する箱状に形成される。前飾り板５９８は、上端縁が前記下弧状装飾体５８８における下端縁の円弧に一致する円弧状に形成されると共に、下端縁は逆向きの円弧状に形成されて、全体として略葉状を呈している。そして、該前飾り板５９８の前面に所要の装飾が施され、該装飾が前記ステージ部２７１を透して視認可能になっている。なお、飾り部材５９７は全体が透明樹脂材により形成されると共に、前記前飾り板５９８に施される装飾は、光を透明可能なものとされる。
【０１６７】
前記飾り部材５９７における下側壁６００の左右両側には、下方に延出する固定板部６０１が夫々形成されると共に、各固定板部６０１には、小径のピン孔６０１ａと大径の通孔６０１ｂが形成されている。これに対し、前記下レール部材５０６における取付盤部５２０の前面には、各固定板部６０１と対応する位置の夫々に、該固定板部６０１のピン孔６０１ａおよび通孔６０１ｂと対応する飾り用ピン６０２および飾り用ボス６０３が形成されている。また前飾り板５９８の左右方向の中央には、前記取付盤部５２０の第１位置決め凹部５９３に前側から嵌合可能な嵌合突部６０４が上下方向に延在するよう形成されている。すなわち、嵌合突部６０４を第１位置決め凹部５９３に嵌合すると共に各ピン孔６０１ａおよび通孔６０１ｂに対応する飾り用ピン６０２および飾り用ボス６０３を挿通することで、取付盤部５２０に対して飾り部材５９７が位置決めされるようになっている。
【０１６８】
前記飾り部材５９７における嵌合突部６０４の上端に、後方に突出する規制片６０４ａが形成されており、前記嵌合突部６０４を第１位置決め凹部５９３に嵌合した際に、図６３に示す如く、該規制片６０４ａが前記第１被規制部５９５における係合片５９５ａの上側に係脱自在に係合して、飾り部材５９７の下方への移動が規制されるよう構成される。なお、取付盤部５２０に飾り部材５９７を設置した状態で、上側壁５９９が前記下弧状装飾体５８８の下壁５９０に略全面的に当接することで該飾り部材５９７の上方への移動も規制されるようになっている。また、飾り部材５９７における上側壁５９９の後端縁には、左右方向に離間して複数の位置決め用切欠５９９ａが形成されており、前記嵌合突部６０４を第１位置決め凹部５９３に嵌合した際に、各位置決め用切欠５９９ａに対応する前記第２被規制部５９６が夫々係脱自在に係合して、飾り部材５９７の左右方向の移動が規制されるよう構成してある。すなわち、取付盤部５２０に対して飾り部材５９７は、嵌合突部６０４と第１位置決め凹部５９３、ピン孔６０１ａおよび通孔６０１ｂと飾り用ピン６０２および飾り用ボス６０３、規制片６０４ａと下弧状装飾体５８８の第１被規制部５９５、位置決め用切欠５９９ａと下弧状装飾体５８８の第２被規制部５９６、の夫々が嵌合や係合することで正確かつ確実に位置決めされるようになっている。そして、後述する左側部発光装飾装置１２０の第２左側部ＬＥＤ基板１２３および右側部発光装飾装置１４５の第２右側部ＬＥＤ基板１４８を取付盤部５２０の前側に配置した際に、該両ＬＥＤ基板１２３,１４８における固定板部６０１,６０１の前側に重なる位置に設けた通孔に挿通されたネジを対応する飾り用ボス６０３,６０３のネジ孔に螺挿することで、飾り部材５９７は両ＬＥＤ基板１２３,１４８と共に取付盤部５２０に固定されるよう構成される。
【０１６９】
前記飾り部材５９７における前飾り板５９８には、前記嵌合突部６０４と対応する位置に、前側に開口する第２位置決め凹部６０５が上下方向に延在するよう形成されると共に、該第２位置決め凹部６０５を挟む左右両側に、前後に貫通する位置決め挿通孔(位置決め孔)６０６が夫々形成されている。そして、前記枠状装飾体２００が配設された前記透明板３１を裏ユニット５０に配設する際に、前記ステージ部２７１に設けられている垂直通路２８９を画成する通路形成部(後部球通路部)２８８(図２５)が第２位置決め凹部６０５に前側から嵌合すると共に、通路形成部２８８を挟む左右両側において後方に延出するようにステージ部２７１に設けられている位置決めボス２７３,２７３が位置決め挿通孔６０６,６０６に前側から嵌挿されることで、ステージ部２７１と飾り部材５９７との相対的な位置決めがなされるよう構成される。
【０１７０】
前記下レール部材５０６の取付盤部５２０における飾り部材５９７の配設位置に対応する前面には、前記第１位置決め凹部５９３を挟む左右両側に、該飾り部材５９７に収容される状態で飾り用ＬＥＤ基板６０７が夫々配設されている。各飾り用ＬＥＤ基板６０７は、前面に複数のＬＥＤ６０７ａが配設されて、該ＬＥＤ６０７ａを発光することで、飾り部材５９７における前飾り板５９８を裏側から照明するよう構成される。前記取付盤部５２０には、各飾り用ＬＥＤ基板６０７の裏側に設けられたコネクタ受け部が挿通されるコネクタ挿通口６０８が夫々形成されており(図４９参照)、該コネクタ受け部にコネクタ差込み部を介して接続された配線は、前記裏ユニット５０に形成された第２シャッター配線挿通口８０を介して裏側に引き出されて、前記中継基板７０２に接続される。
【０１７１】
(透明保護板について)
前記シャッター装置５００における左右のシャッター収納部材５０７,５０８間に、前記透明板３１の貫通口３１ａと該シャッター装置５００の表示空間５０１とを前後に仕切り、パチンコ球がシャッター装置５００側に入るのを防止するための透明保護板６０９が配設されている。この透明保護板６０９は、前記表示空間５０１を全面的に覆うことが可能な形状に形成されると共に、左右両端部が、左右のシャッター収納部材５０７,５０８に形成されている前記段部５２８,５２８の段差部面５２８ａ,５２８ａの前面に当接するよう構成される(図６４参照)。また透明保護板６０９の左右両端には、各段部５２８の側壁５２８ｂに形成されている前記各挿通孔５２８ｃと対応する位置に、該挿通孔５２８ｃに挿脱自在に挿通される位置決め突部６１０が夫々形成されている。そして、各位置決め突部６１０を対応する挿通孔５２８ｃに夫々挿通することで、透明保護板６０９は左右のシャッター収納部材５０７,５０８間に位置決めされるよう構成される。
【０１７２】
前記各位置決め突部６１０には、前記挿通孔５２８ｃに挿通されてシャッター収納部材５０７,５０８の前板裏側に臨む位置に通孔６１０ａが形成されており、該通孔６１０ａに挿通したネジを前記保護板用ボス５２９のネジ孔に螺挿することで、透明保護板６０９がシャッター収納部材５０７,５０８に固定されるようになっている。
【０１７３】
前記両シャッター収納部材５０７,５０８に形成される各段部５２８の段差面５２８ａから前側へ側壁５２８ｂが立上がる寸法は、図６５および図６６に示す如く、前記透明保護板６０９の前後方向の厚み寸法より大きく設定されており、段差面５２８ａに透明保護板６０９を当接した状態で配設した際に、該透明保護板６０９が前記前板５２５の前面(シャッター収納部材５０７,５０８の最も前側に位置する面)より前方に突出しないよう構成される。また透明保護板６０９の左右両端部には、前記枠状装飾体２００における段部５２８に収容される前記第１内周壁２３０および球通路部２７４と対応する形状の切欠凹部６１１が形成されており(図４９参照)、該第１内周壁２３０および球通路部２７４を透明保護板６０９と干渉することなくより後方側に臨ませ得るようになっている。
【０１７４】
前記透明保護板６０９の上端部における左右方向の中央には、前記上弧状装飾体５８６の切欠部５８７と対応する寸法で下側に凹む凹部６１２が形成されており、切欠部５８７から下方に延出する前記上部発光演出装置３０２の下部は、該凹部６１２の前側に臨むよう構成される(図５２または図６１参照)。この凹部６１２は、上部発光演出装置３０２の外形形状に略倣う形状に形成され、該上部発光演出装置３０２の下部裏側の全体が透明保護板６０９で塞がれることがないようにしてある。
【０１７５】
(発光装飾装置について)
前記発光装飾装置は、前記裏ユニット５０(箱状本体５１)の左上部に設けられた前記第１上設置領域６２に配設される左上部発光装飾装置９０と、裏ユニット５０(箱状本体５１)の右上部に設けられた前記第２上設置領域６３に配設される右上部発光装飾装置１０５と、前記裏ユニット５０(箱状本体５１)の左側部に設けられた前記左側部設置領域６５に配設される左側部発光装飾装置１２０と、裏ユニット５０(箱状本体５１)の右側部に設けられた前記右側部設置領域６６に配設される右側部発光装飾装置１４５と、左右上部の発光装飾装置９０,１０５およびシャッター装置５００の間に設けられた前記中央設置領域６４に配設され、前記枠状装飾体２００の演出ユニット２０１を後方から照明する中央発光装飾装置１６７とから構成されて、これら各発光装飾装置９０,１０５,１２０,１４５,１６７により前記シャッター装置５００(対向面部５２の開口部５２ａ)の外周を囲繞するよう構成されている。すなわち、前記各発光装飾装置９０,１０５,１２０,１４５,１６７は、前記裏ユニット５０(箱状本体５１)において前記シャッター装置５００の設置部を除く全体に配設されており、各発光装飾装置９０,１０５,１２０,１４５,１６７を発光させることで、透明板３１の盤面(遊技領域３２)の全体を照明し得るよう構成される。
【０１７６】
また、前記裏ユニット５０(箱状本体５１)の左画壁部５３ｃと、前記左上部発光装飾装置９０および左側部発光装飾装置１２０との間には、前方に開口すると共に前記対向面部５２の左支持ボス８６ａが突出する第１基板収容空間８６が画成されて、前記側部発光演出装置１７０,１７７の左側照明手段１７２(後述)を収容し得るよう構成される。更に、前記裏ユニット５０(箱状本体５１)の右画壁部５３ｄと、前記右上部発光装飾装置１０５および右側部発光装飾装置１４５との間には、前方に開口すると共に前記対向面部５２の第１右支持ボス８７ａが突出する第２基板収容空間８７が画成されて、側部発光演出装置１７０,１７７の右側照明手段１７９(後述)を収容し得るよう構成されている。なお、前記各発光装飾装置９０,１０５,１２０,１４５,１６７は、前記中枠１２の裏側に設置された前記制御装置７００に対して電気的に接続されており、該制御装置７００からの制御信号に基づいて発光制御される(図１３参照)。
【０１７７】
(左上部発光装飾装置について)
前記左上部発光装飾装置９０は、図９,図１０,図６９に示すように、前記裏ユニット５０(箱状本体５１)の左上部に設けられた第１上設置領域６２に配設され、前方へ光を照射する複数のＬＥＤ(発光体)８９が実装された左上部ＬＥＤ基板９１(第１の発光体基板)と、該左上部ＬＥＤ基板９１の前側を覆う光透過性の左上部装飾カバー(装飾カバー)９３とからなり、該左上部ＬＥＤ基板９１のＬＥＤ８９を発光することで、左上部装飾カバー９３が明輝されるようになっている。ここで、前記左上部ＬＥＤ基板９１には、前記第１上設置領域６２に対応して前記裏ユニット５０の対向面部５２に形成された前記各位置決め突部６７と対応する位置に、前後に貫通する複数の位置決め孔９１ａが形成されると共に、該第１上設置領域６２に対応して対向面部５２に形成された各ネジ孔６８に対応する位置に、前後に貫通する複数の通孔９１ｂが形成されている。また、前記左上部ＬＥＤ基板９１の上端縁部および左端縁部には、前記裏ユニット５０の対向面部５２に形成された前記左上部装飾カバー９３の取付け用の各通孔６９に対応する位置に、該通孔６９より大径に設定された嵌合切欠き部(嵌合孔部)９１ｃが夫々形成されている。なお、ＬＥＤ８９としては、単色またはフルカラーの何れのタイプも使用し得るが、演出に合わせて発光色を変化させる点でフルカラーのタイプが好適である。
【０１７８】
すなわち、前記裏ユニット５０(箱状本体５１)の第１上設置領域６２に設けた各位置決め突部６７を前記左上部ＬＥＤ基板９１の位置決め孔９１ａに挿通することで左上部ＬＥＤ基板９１が第１上設置領域６２に位置決めされ、この状態で左上部ＬＥＤ基板９１の通孔９１ｂに挿通したネジを第１上設置領域６２に設けた対応のネジ孔６８に螺挿することで、左上部ＬＥＤ基板９１が第１上設置領域６２に固定される。このとき、前記左上部ＬＥＤ基板９１に形成された前記各嵌合切欠き部９１ｃに、前記左上部装飾カバー９３の取付け用の各通孔６９が臨んで、該嵌合切欠き部９１ｃを介して前記裏ユニット５０の対向面部５２が前面側に露出している。
【０１７９】
また、前記左上部ＬＥＤ基板９１には、図１２または図７５に示すように、裏面左下部および裏面右上部にコネクタ受け部９２が夫々取り付けられると共に、前記裏ユニット５０の対向面部５２には、各コネクタ受け部９２に対応して前記ＬＥＤ配線挿通口７２が夫々開設されており、各対応のＬＥＤ配線挿通口７２を介してコネクタ受け部９２が裏ユニット５０(対向面部５２)の裏側に露出するようになっている。そして、前記対向面部５２の上部中央に開設された前記上部中央配線挿通口７１に挿通された前記演出ユニット２０１に接続する配線が、前記左上部ＬＥＤ基板９１の裏面右上部に位置するコネクタ受け部９２に接続され、左上部ＬＥＤ基板９１の裏面左下部に位置するコネクタ受け部９２に接続された配線が、前記裏ユニット５０に設けられた前記中継基板７０２に接続される(図１３参照)。
【０１８０】
図７５に示すように、前記左上部装飾カバー９３は、前記左上部ＬＥＤ基板９１の前側を被覆するよう前記裏ユニット５０の箱状本体５１(対向面部５２)に取り付けられ、透明な合成樹脂材から形成された左上部取付台(取付台)９４と、該左上部取付台９４の前側に取り付けられるカバー本体(以下、左上部カバー本体９８という)とから構成されている。すなわち、前記左上部ＬＥＤ基板９１のＬＥＤ８９からの光は、前記左上部取付台９４を透過して前記左上部カバー本体９８に照射されるようになっている。
【０１８１】
前記左上部取付台９４は、図７５に示すように、前記左上部ＬＥＤ基板９１(第１上設置領域６２)の前側を被覆可能な大きさに形成された前面板部９５と、該前面板部９５の外周縁から後方に延出する後側支持板部９７とから後方に開口する箱状に形成されている。前記左上部取付台９４の前面板部９５には、前記裏ユニット５０の対向面部５２に形成された前記左上部装飾カバー９３の取付け用の各通孔６９(左上部ＬＥＤ基板９１の嵌合切欠き部９１ｃ)に対応する位置に、後側取付ボス(取付ボス)９６が後方へ突出するよう形成されており、各後側取付ボス９６の後端部にネジ孔９６ａが形成されている。
【０１８２】
そして、前記左上部装飾カバー９３(左上部取付台９４)を前記裏ユニット５０の箱状本体５１(第１上設置領域６２)に配設した際に、前記後側取付ボス９６の後端部が嵌合切欠き部９１ｃに嵌合して前記対向面部５２に当接して、左上部取付台９４の前面板部９５が左上部ＬＥＤ基板９１の前方に離間して位置する位置で位置規制されるようになっている。ここで、前記左上部取付台９４を前記裏ユニット５０の箱状本体５１(第１上設置領域６２)に取り付けた状態では、前記箱状本体５１の上画壁部５３ａに開設された前記第１窓部８４ａ(照明用窓部８４)の開口後端縁と略一致する位置に、前記前面板部９５が位置するよう構成されており、前記左上部取付台９４を透過した前記左上部ＬＥＤ基板９１のＬＥＤ８９からの光が、該第１窓部８４ａを介して上画壁部５３ａ(箱状本体５１)の上方前方へ照射され得るようになっている。
【０１８３】
また、前記後側支持板部９７には、図７５に示すように、後端部近傍に複数の弾性変形可能な係合フック９７ａが形成されている。この係合フック９７ａは、前記後側取付ボス９６を前記嵌合切欠き部９１ｃに嵌合させた際に、前記裏ユニット５０の箱状本体５１に対応して形成された係合孔８５(図５に一部の係合孔８５のみ図示)に係脱可能に係合し得るようになっており、該後側取付ボス９６を嵌合切欠き部９１ｃに嵌合すると共に係合フック９７ａが係合孔８５に係合することで、前記裏ユニット５０の箱状本体５１(第１上設置領域６２)に対して左上部装飾カバー９３(左上部取付台９４)が位置決めされるようになっている。そして、前記裏ユニット５０の対向面部５２に形成された前記左上部装飾カバー９３の取付け用の各通孔６９に挿通したネジを、前記後側取付ボス９６のネジ孔９６ａに螺挿することで、左上部装飾カバー９３(左上部取付台９４)が裏ユニット５０に固定される。
【０１８４】
前記左上部カバー本体９８は、図７５に示すように、前記左上部取付台９４の前面板部９５に対向すると共に前記左上部ＬＥＤ基板９１(第１上設置領域６２)の前側を被覆可能な大きさに形成された装飾板部９９と、該装飾板部９９の外周縁から後方に延出する前側支持板部１００とから後方に開口する箱状に形成されている。すなわち、前記左上部ＬＥＤ基板９１に設けたＬＥＤ８９の光は、前記左上部取付台９４を透過して前記左上部カバー本体９８の装飾板部９９に照射される。ここで、前記左上部カバー本体９８の装飾板部９９は、光透過性の合成樹脂材により略一定厚みの平板状に形成されて、その表裏面に微小な凹凸状模様が設けられると共に前面(装飾面)に所要の図柄が描かれており、前記左上部ＬＥＤ基板９１のＬＥＤ８９の光が照射された際に、該装飾板部９９の前面全体が明輝されるようになっている。
【０１８５】
また、前記左上部カバー本体９８の装飾板部９９の後面には、図７５に示すように、後端部にネジ孔１０１ａが形成された前側取付ボス１０１が後方へ向けて突出するよう形成されると共に、前記前側支持板部１００より後方へ突出する位置決め突部１０２が形成されている。そして、前記左上部取付台９４の前面板部９５には、前記装飾板部９９に形成された位置決め突部１０２および前側取付ボス１０１のネジ孔１０１ａに対応する位置に、前後に貫通する通孔９５ｂが夫々形成されており、該装飾板部９９から後方に突出する位置決め突部１０２を左上部取付台９４の対応する位置決め孔９５ａに挿入した状態で、該左上部取付台９４の通孔９５ｂに挿通したネジを左上部カバー本体９８(前側取付ボス１０１)のネジ孔１０１ａに螺挿することで、左上部取付台９４と左上部カバー本体９８とが固定される。このとき、前記前側支持板部１００および前側取付ボス１０１の後端部が前記左上部取付台９４の前面板部９５に当接し、該左上部取付台９４の前方に離間して前記装飾板部９９が位置するよう構成されている。
【０１８６】
ここで、図７５に示すように、前記左上部装飾カバー９３の装飾板部９９は、前記裏ユニット５０(箱状本体５１)の上固定部５４に形成された前記上部段差部８３の前側に臨むよう形成されており、該上固定部５４に形成された前記第２窓部８４ｂ(照明用窓部８４)の一部を左上部装飾カバー９３の装飾板部９９で被覆するようになっている。また、前記前側支持板部１００には、前記上画壁部５３ａに形成された照明用窓部８４と対応する位置に、上下に開口する照明用切欠き部１００ａが形成されている。すなわち、前記前側支持板部１００に照明用切欠き部１００ａを形成することで、前記左上部取付台９４の前面板部９５が上固定部５４の第２窓部８４ｂに臨んで、該前面板部９５を透過した前記左上部ＬＥＤ基板９１の発光体の光を、前記上画壁部５３ａおよび上固定部５４に連続して形成された照明用窓部８４を介して前記上部段差部８３に位置する装飾板部９９に照射し得るようになっている(図７３,図７４参照)。
【０１８７】
(右上部発光装飾装置について)
前記右上部発光装飾装置１０５は、図９,図１０,図７０に示すように、前記裏ユニット５０(箱状本体５１)の右上部に設けられた第２上設置領域６３に配設され、前方へ光を照射する複数のＬＥＤ(発光体)８９が実装された右上部ＬＥＤ基板(第１の発光体基板)１０６と、該右上部ＬＥＤ基板１０６の前側を覆う光透過性の右上部装飾カバー(装飾カバー)１０８とからなり、該右上部ＬＥＤ基板１０６のＬＥＤ８９を発光することで、右上部装飾カバー１０８が明輝されるようになっている。ここで、前記右上部ＬＥＤ基板１０６には、前記第２上設置領域６３に対応して前記裏ユニット５０の対向面部５２に形成された前記各位置決め突部６７と対応する位置に、前後に貫通する複数の位置決め孔１０６ａが形成されると共に、該第２上設置領域６３に対応して対向面部５２に形成された各ネジ孔６８対応する位置に、前後に貫通する複数の通孔１０６ｂが形成されている。また、前記右上部ＬＥＤ基板１０６の上端縁部には、前記裏ユニット５０の対向面部５２の上画壁部５３ａに近接する右側に形成された前記右上部装飾カバー１０８の取付け用の通孔６９に対応する位置に、該通孔６９より大径に設定された嵌合切欠き部(嵌合孔部)１０６ｃが夫々形成されている。
【０１８８】
すなわち、前記裏ユニット５０(箱状本体５１)の第２上設置領域６３に設けた各位置決め突部６７を前記右上部ＬＥＤ基板１０６の位置決め孔１０６ａに挿通することで右上部ＬＥＤ基板１０６が第２上設置領域６３に位置決めされ、この状態で右上部ＬＥＤ基板１０６の通孔１０６ｂに挿通したネジを第２上設置領域６３に設けた対応のネジ孔６８に螺挿することで、右上部ＬＥＤ基板１０６が第２上設置領域６３に固定される。このとき、前記右上部ＬＥＤ基板１０６に形成された前記嵌合切欠き部１０６ｃに、前記右上部装飾カバー１０８の取付け用の各通孔６９が臨むと共に、該嵌合切欠き部１０６ｃを介して前記裏ユニット５０の対向面部５２が前面側に露出している。
【０１８９】
また、前記右上部ＬＥＤ基板１０６には、図７６に示すように、裏面上部の左右に離間する位置にコネクタ受け部１０７が夫々取り付けられる。そして、前記裏ユニット５０の対向面部５２には、前記右上部ＬＥＤ基板１０６の右上部に位置するコネクタ受け部１０７に対応して前記ＬＥＤ配線挿通口７２が前後に開口するよう開設されており、該コネクタ受け部１０７に接続された配線が対応のＬＥＤ配線挿通口７２を介して前記裏ユニット５０の裏側に導出されて前記中継基板７０２に接続される(図１３参照)。また、前記右上部ＬＥＤ基板１０６の左上部に位置するコネクタ受け部１０７に接続された配線は、前記裏ユニット５０(対向面部５２)に設けられた前記配線挿通用凹部５２ｄを介して前記中央発光装飾装置１６７の中央ＬＥＤ基板１６８に接続されている(図１３参照)。なお、前記裏ユニット５０の対向面部５２には、前記右上部ＬＥＤ基板１０６の左上部に位置するコネクタ受け部１０７に対応して前後に開口する確認用窓口７５が開設されており、該コネクタ受け部１０７に対する配線の接続状況を確認し得るようになっている。
【０１９０】
図７６に示すように、前記右上部装飾カバー１０８は、前記右上部ＬＥＤ基板１０６の前側を被覆するよう前記裏ユニット５０の箱状本体５１(対向面部５２)に取り付けられ、透明な合成樹脂材から形成された右上部取付台(取付台)１０９と、該右上部取付台１０９の前側に取り付けられるカバー本体(以下、右上部カバー本体１１４という)とから構成されている。すなわち、前記右上部ＬＥＤ基板１０６のＬＥＤ８９からの光は、前記右上部取付台１０９を透過して前記右上部カバー本体１１４に照射されるようになっている。
【０１９１】
前記右上部取付台１０９は、図７６に示すように、前記右上部ＬＥＤ基板１０６(第２上設置領域６３)の前側を被覆可能な大きさに形成された前面板部１１０と、該前面板部１１０の外周縁から後方に延出する後側支持板部１１２とから後方に開口する箱状に形成されている。前記右上部取付台１０９の前面板部１１０には、前記裏ユニット５０の対向面部５２に形成された前記右上部装飾カバー１０８の取付け用の各通孔６９(右上部ＬＥＤ基板１０６の嵌合切欠き部１０６ｃ)に対応する位置に、後側取付ボス(取付ボス)１１１が後方へ突出するよう形成されており、後側取付ボス１１１の後端部にネジ孔１１１ａが形成されている。
【０１９２】
そして、前記右上部装飾カバー１０８(右上部取付台１０９)を前記裏ユニット５０の箱状本体５１(第２上設置領域６３)に配設した際に、前記後側取付ボス１１１の後端部が嵌合切欠き部１０６ｃに嵌合すると共に前記対向面部５２に当接して、右上部取付台１０９の前面板部１１０が右上部ＬＥＤ基板１０６の前方に離間する位置で位置規制されるようになっている。ここで、前記右上部取付台１０９を前記裏ユニット５０の箱状本体５１(第２上設置領域６３)に取り付けた状態では、前記箱状本体５１の上画壁部５３ａに開設された前記第１窓部８４ａ(照明用窓部８４)の開口後端縁と略一致する位置に、前記前面板部１１０が位置するよう構成されており(図７３,図７４参照)、前記右上部取付台１０９を透過した前記右上部ＬＥＤ基板１０６のＬＥＤ８９からの光が、該第１窓部８４ａを介して上画壁部５３ａ(箱状本体５１)の上方前方へ照射され得るようになっている。また、前記右上部取付台１０９には、前記装飾板部１１５の前面右端部に、前端部にネジ孔１１３ａが形成された第２右支持ボス１１３が前方へ突出するよう形成されており、前記側部発光演出装置１７０,１７７の第２右側照明手段１７９が該第２右支持ボス１１３に固定されるようになっている。
【０１９３】
また、前記後側支持板部１１２には、図７６に示すように、後端部近傍に複数の弾性変形可能な係合フック１１２ａが形成されている。この係合フック１１２ａは、前記後側取付ボス１１１を前記嵌合切欠き部１０６ｃに嵌合させた際に、前記裏ユニット５０の箱状本体５１に対応して形成された係合孔８５(図５に一部の係合孔８５のみ図示)に係脱可能に係合し得るようになっており、該後側取付ボス１１１を嵌合切欠き部１０６ｃに嵌合すると共に係合フック１１２ａが係合孔８５に係合することで、前記裏ユニット５０の箱状本体５１(第２上設置領域６３)に対して右上部装飾カバー１０８(右上部取付台１０９)が位置決めされるようになっている。そして、前記裏ユニット５０の対向面部５２に形成された前記右上部装飾カバー１０８の取付け用の各通孔６９に挿通したネジを、前記後側取付ボス１１１のネジ孔１１１ａに螺挿することで、右上部装飾カバー１０８(右上部取付台１０９)が第２上設置領域６３に固定される。
【０１９４】
前記右上部カバー本体１１４は、図７６に示すように、前記右上部取付台１０９の前面板部１１０に対向すると共に前記右上部ＬＥＤ基板１０６(第２上設置領域６３)の前側を被覆可能な大きさに形成された装飾板部１１５と、該装飾板部１１５の外周縁から後方に延出する前側支持板部１１６とから後方に開口する箱状に形成されている。すなわち、前記右上部ＬＥＤ基板１０６に設けたＬＥＤ８９の光は、前記右上部取付台１０９を透過して前記右上部カバー本体１１４の装飾板部１１５に照射される。ここで、前記右上部カバー本体１１４の装飾板部１１５は、光透過性の合成樹脂材により略一定厚みの平板状に形成されて、その表裏面に微小な凹凸状模様が設けられると共に前面(装飾面)に所要の図柄が描かれており、前記右上部ＬＥＤ基板１０６のＬＥＤ８９の光が照射された際に、該装飾板部１１５の前面全体が明輝されるようになっている。また、前記右上部カバー本体１１４の装飾板部１１５は、前記左上部カバー本体９８の装飾板部９９と略同一面に位置するよう構成される。
【０１９５】
前記右上部カバー本体１１４の装飾板部１１５の後面には、図７６に示すように、後端部にネジ孔１１７ａが形成された前側取付ボス１１７が後方へ向けて突出するよう形成されると共に、前記前側支持板部１１６より後方へ突出する位置決め突部１１８が形成されている。そして、前記右上部取付台１０９の前面板部１１０には、前記装飾板部１１５に形成された前側取付ボス１１７および位置決め突部１１８に対応する位置に、前後に貫通する通孔１００ｂおよび位置決め孔１１０ａが夫々形成されており、該装飾板部１１５の位置決め突部１１５ａを右上部取付台１０９の対応する位置決め孔１１０ａに挿入した状態で、該右上部取付台１０９の通孔１１０ｂに挿通したネジを右上部カバー本体１１４(前側取付ボス１１７)のネジ孔１１７ａに螺挿することで、右上部取付台１０９と右上部カバー本体１１４とが固定される。このとき、前記前側支持板部１１６および前側取付ボス１１７の後端部が前記右上部取付台１０９の前面板部１１０に当接し、該右上部取付台１０９の前方に離間して前記装飾板部１１５が位置するよう構成されている。
【０１９６】
ここで、図７６に示すように、前記右上部装飾カバー１０８の装飾板部１１５は、前記裏ユニット５０(箱状本体５１)の上固定部５４に形成された前記上部段差部８３の前側に臨むよう形成されており、該上固定部５４に形成された前記第２窓部８４ｂ(照明用窓部８４)の一部を右上部装飾カバー１０８の装飾板部１１５で被覆するようになっている。すなわち、前記上固定部５４に開設された前記照明用窓部８４は、前記左上部装飾カバー９３の装飾板部９９および右上部装飾カバー１０８の装飾板部１１５により被覆される。ここで、前記右上部装飾カバー１０８における装飾板部１１５の左側端部は、左方に向かうにつれて下方傾斜する傾斜状に形成されて、前記左上部装飾カバー９３の装飾板部９９の下端部に当接して、前記上固定部５４に開設された前記第２窓部８４ｂ(照明用窓部８４)を左上部装飾カバー９３の装飾板部９９および右上部装飾カバー１０８の装飾板部１１５で隙間なく被覆し得るようになっている。
【０１９７】
また、前記右上部装飾カバー１０８の前側支持板部１１６には、前記上画壁部５３ａに形成された第２窓部８４ｂ(照明用窓部８４)と対応する位置に、上下に開口する照明用切欠き部１１６ａが形成されている。すなわち、前記左上部装飾カバー９３と同様に、前記右上部装飾カバー１０８の前側支持板部１１６に照明用切欠き部１１６ａを形成することで、前記右上部取付台１０９の前面板部１１０が上固定部５４の第２窓部８４ｂに臨んで、該前面板部１１０を透過した前記右上部ＬＥＤ基板１０６の発光体の光を、前記上画壁部５３ａおよび上固定部５４に連続して形成された照明用窓部８４を介して前記上部段差部８３に位置する装飾板部１１５に照射し得るようになっている。また、前記右上部カバー本体１１４の右端部には、前後および右方に開口する凹状部１１９が形成されて、該凹状部１１９の下部位置に、前記右上部取付台１０９に形成された第２右支持ボス１１３が突出するようになっている。そして、前記側部発光演出装置１７７の第２右側照明手段１７９を構成する第２右パネル用ＬＥＤ基板１８４を保持した上部遮蔽部材１８１が第２右支持ボス１１３に固定されて、該第２右パネル用ＬＥＤ基板１８４が凹状部１１９内に収容されている。前記右上部カバー本体１１４における凹状部１１９を画成する壁部は、下方に向かうにつれて左方向に傾斜するよう傾斜している。なお、この傾斜した壁部を傾斜壁部１１４ａと指称する。
【０１９８】
(左側部発光装飾装置について)
前記左側部発光装飾装置１２０は、図９,図１０,図７１に示すように、前記裏ユニット５０(箱状本体５１)の左側部に設けられた左側部設置領域６５に配設され、前方へ光を照射する複数のＬＥＤ(発光体)８９が実装された第１左側部ＬＥＤ基板(第１の発光体基板)１２１と、前記シャッター装置５００における前記ベース枠体５０２の左下部前面に配設された前記第２左側部ＬＥＤ基板(第２の発光体基板)１２３と、該裏ユニット５０(箱状本体５１)の左下部に配設されてシャッター装置５００の下方に位置し、前方へ光を照射する複数のＬＥＤ(発光体)８９が実装された第１左下部ＬＥＤ基板(第１の発光体基板)１２５と、該第１および第２左側部ＬＥＤ基板１２１,１２３、左下部ＬＥＤ基板１２５の前側を覆う光透過性の左側部装飾カバー(装飾カバー)１２７とからなり、各ＬＥＤ基板１２１,１２３,１２５のＬＥＤ８９を発光することで、左側部装飾カバー１２７が明輝されるようになっている。なお、第２左側部ＬＥＤ基板１２３の構成に関しては、シャッター装置５００の説明に合わせて説明したので、改めての説明は省略する。
【０１９９】
ここで、前記第１左側部ＬＥＤ基板１２１には、前記左側部設置領域６５に対応して前記裏ユニット５０の対向面部５２に形成された前記各位置決め突部６７と対応する位置に、前後に貫通する複数の位置決め孔１２１ａが形成されると共に、該左側部設置領域６５に対応して対向面部５２に形成された各ネジ孔６８対応する位置に、前後に貫通する複数の通孔１２１ｂが形成されている。また、前記第１左側部ＬＥＤ基板１２１の上下に離間する複数箇所には、前記裏ユニット５０の対向面部５２に形成された前記左側部装飾カバー１２７の取付け用の各通孔６９に対応する位置に、該通孔６９より大径に設定された嵌合孔部１２１ｃが夫々形成されている。同様に、前記左下部ＬＥＤ基板１２５には、前記裏ユニット５０の対向面部５２に形成された前記各位置決め突部６７と対応する位置に、前後に貫通する複数の位置決め孔１２５ａが形成されると共に、該対向面部５２に形成された各ネジ孔６８対応する位置に、前後に貫通する複数の通孔１２５ｂが形成されている。また、前記左下部ＬＥＤ基板１２５には、前記裏ユニット５０の対向面部５２に形成された前記左側部装飾カバー１２７の取付け用の各通孔６９に対応する位置に、該通孔６９より大径に設定された嵌合孔部１２５ｃが形成されている。
【０２００】
すなわち、前記裏ユニット５０(箱状本体５１)の左側部設置領域６５に設けた各位置決め突部６７を前記第１左側部ＬＥＤ基板１２１の位置決め孔１２１ａに挿通することで第１左側部ＬＥＤ基板１２１が左側部設置領域６５に位置決めされ、この状態で第１左側部ＬＥＤ基板１２１の通孔１２１ｂに挿通したネジを左側部設置領域６５に設けた対応のネジ孔６８に螺挿することで、第１左側部ＬＥＤ基板１２１が左側部設置領域６５に固定される。このとき、前記第１左側部ＬＥＤ基板１２１に形成された嵌合孔部１２１ｃに、前記左側部装飾カバー１２７の取付け用の各通孔６９が臨むと共に、該嵌合孔部１２１ｃを介して前記裏ユニット５０の対向面部５２が前面側に露出している。また、前記裏ユニット５０(箱状本体５１)の各位置決め突部６７を前記左下部ＬＥＤ基板１２５の位置決め孔１２５ａに挿通することで左下部ＬＥＤ基板１２５が位置決めされ、この状態で左下部ＬＥＤ基板１２５の通孔１２５ｂに挿通したネジを対応のネジ孔６８に螺挿することで、左下部ＬＥＤ基板１２５が固定される。このとき、前記第１左下部ＬＥＤ基板１２５に形成された嵌合孔部１２５ｃに、前記左側部装飾カバー１２７の取付け用の各通孔６９が臨むと共に、該嵌合孔部１２５ｃを介して前記裏ユニット５０の対向面部５２が前面側に露出する。
【０２０１】
また、前記第１左側部ＬＥＤ基板１２１には、図７７または図７８に示すように、前面右下部、前面左上部および裏面左上部にコネクタ受け部１２２が夫々取り付けられており、前面右下部に位置するコネクタ受け部１２２に接続する配線が前記裏ユニット５０の中継基板７０２に接続され、裏面左上部に位置するコネクタ受け部１２２に接続する配線が側部発光演出装置１７０,１７７の上側に位置する左パネル用ＬＥＤ基板１７４(後述)に接続され、前面左上部に位置するコネクタ受け部１２２に接続する配線が前記側部発光演出装置１７０,１７７の下側に位置する左パネル用ＬＥＤ基板１７４(後述)に接続されている(図１３参照)。また、前記左下部ＬＥＤ基板１２５には、裏面に複数のコネクタ受け部１２６が取り付けられており、裏面左上部に位置するコネクタ受け部１２６に接続する配線が、前記シャッター装置５００に配設された前記第２左側部ＬＥＤ基板１２３のコネクタ受け部１２４に接続され、その他のコネクタ受け部１２６に接続する配線が前記裏ユニット５０の中継基板７０２に接続される(図１３参照)。なお、前記裏ユニット５０の対向面部５２には、前記第１左側部ＬＥＤ基板１２１の前面右下部および裏面左上部に位置するコネクタ受け部１２２に対応して前記ＬＥＤ配線挿通口７２が開設されると共に、前記左下部ＬＥＤ基板１２５の各コネクタ受け部１２６に対応してＬＥＤ配線挿通口７２が開設されており、これらのコネクタ受け部１２２,１２６に接続する配線を裏ユニット５０の裏側に導出し得るようになっている。
【０２０２】
図７７または図７８に示すように、前記左側部装飾カバー１２７は、前記第１左側部ＬＥＤ基板１２１の前面上部を被覆するよう前記裏ユニット５０の箱状本体５１に取り付けられ、透明な合成樹脂材から形成された左側部取付台(取付台)１２８と、該第１左側部ＬＥＤ基板１２１の前面下部および前記左下部ＬＥＤ基板１２５の前側を被覆するよう箱状本体５１に取り付けられ、透明な合成樹脂材から形成された左下部取付台(取付台)１３２と、該左側部取付台１２８および左下部取付台１３２の前側に取り付けられ、第１左側部ＬＥＤ基板１２１、第２左側部ＬＥＤ基板１２３および左下部ＬＥＤ基板１２５の前側を被覆するカバー本体(以下、左側部カバー本体１３６という)とから構成されている。すなわち、前記第１左側部ＬＥＤ基板１２１、第２左側部ＬＥＤ基板１２３および左下部ＬＥＤ基板１２５のＬＥＤ８９からの光は、前側に位置する左側部取付台１２８および左下部取付台１３２を透過して前記左側部カバー本体１３６に照射されるようになっている。なお、実施例では、前記左側部取付台１２８および左下部取付台１３２の２つの取付台を設けたが、１つの取付台としてもよい。
【０２０３】
前記左側部取付台１２８は、図７７または図７８に示すように、前記第１左側部ＬＥＤ基板１２１の前面上部に対向する前面板部１２９と、該前面板部１２９の外周縁から後方に延出する後側支持板部１３１とから後方に開口する箱状に形成される。前記左側部取付台１２８の前面板部１２９には、前記第１左側部ＬＥＤ基板１２１の上側２つの嵌合孔部１２１ｃに対応する位置に、該嵌合孔部１２１ｃに嵌合可能な後側取付ボス(取付ボス)１３０が後方へ突出するよう形成されている。同様に、前記左下部取付台１３２は、図７７または図７８に示すように、前記第１左側部ＬＥＤ基板１２１の前面下部および前記左下部ＬＥＤ基板１２５に対向する前面板部１２９と、該前面板部１２９の外周縁から後方に延出する後側支持板部１３５とから後方に開口する箱状に形成される。前記左下部取付台１３２の前面板部１３３には、前記左下部ＬＥＤ基板１２５の左下部に設けられた嵌合孔部１２５ｃに対応する位置に、該嵌合孔部１２５ｃに嵌合可能な後側取付ボス(取付ボス)１３４が後方へ突出するよう形成されている。
【０２０４】
そして、前記左側部装飾カバー１２７(左側部取付台１２８および左下部取付台１３２)を前記裏ユニット５０の箱状本体５１(左側部設置領域６５)に配設した際に、左側部取付台１２８および左下部取付台１３２の前記後側取付ボス１３０,１３４の後端部が対応する第１左側部ＬＥＤ基板１２１および左下部ＬＥＤ基板１２５の嵌合孔部１２１ｃ,１２５ｃに夫々嵌合して前記対向面部５２に当接して、左側部取付台１２８および左下部取付台１３２の前面板部１２９,１３３が第１左側部ＬＥＤ基板１２１および左下部ＬＥＤ基板１２５の前方に離間する位置で位置規制されるようになっている。ここで、前記左側部取付台１２８の右側面は、前記対向面部５２に形成された前記第２区画壁６１の左側面(左画壁との対向面)と整合する形状に形成されており、該左側部取付台１２８の右側面を第２区画壁６１に整合することで、左側部取付台１２８(左側部発光装飾装置１２０)を位置決めされるようになっている。
【０２０５】
また、前記左側部取付台１２８および左下部取付台１３２の後側支持板部１３１,１３５には、図７７または図７８に示すように、後端部近傍に複数の弾性変形可能な係合フック１３１ａ,１３５ａが形成されている。この係合フック１３１ａ,１３５ａは、前記左側部取付台１２８および左下部取付台１３２の後側取付ボス１３０,１３４を前記対応の嵌合孔部１２１ｃ,１２５ｃに嵌合させた際に、前記裏ユニット５０の箱状本体５１に対応して形成された係合孔８５(図５に一部の係合孔８５のみ図示)に係脱可能に係合し得るようになっており、該後側取付ボス１３０,１３４を嵌合孔部１２１ｃ,１２５ｃに嵌合すると共に係合フック１３１ａ,１３５ａが係合孔８５に係合することで、前記前記裏ユニット５０の箱状本体５１(左側部設置領域６５)に対して左側部装飾カバー１２７が位置決めされるようになっている。また、前記後側取付ボス１３０,１３４の後端部には、前記第１左側部ＬＥＤ基板１２１および左下部ＬＥＤ基板１２５の嵌合孔部１２１ｃ,１２５ｃに臨む通孔６９に対応してネジ孔１３０ａ,１３４ａが形成されており、該通孔６９に挿通したネジを対応の後側取付ボス１３０,１３４のネジ孔１３０ａ,１３４ａに螺挿することで、左側部装飾カバー１２７が左側部設置領域６５に固定される。
【０２０６】
前記左側部カバー本体１３６は、図７７または図７８に示すように、前記第１左側部ＬＥＤ基板１２１、第２左側部ＬＥＤ８９および左下部ＬＥＤ基板１２５の前側を被覆可能な大きさに形成された装飾板部１３７と、該装飾板部１３７の外周縁から後方に延出する前側支持板部１３８とから後方に開口する箱状に形成されている。すなわち、前記箱状本体５１の左画壁とシャッター装置５００におけるベース枠体５０２の左端部(左シャッター収納部材５０７の左端部)との間、箱状本体５１の下画壁部５３ｄとシャッター装置５００における下弧状装飾体５８８の左端部(左シャッター収納部材５０７の左端部)と第１および第２仕切り壁７６,７７の左側面との間に亘って、前記左側部装飾カバー１２７の装飾板部１３７が位置するよう構成されている。そして、前記第１左側部ＬＥＤ基板１２１、第２左側部ＬＥＤ８９および左下部ＬＥＤ基板１２５に設けたＬＥＤ８９の光が、前記装飾板部１３７に照射されるようになっている。ここで、前記左側部カバー本体１３６の装飾板部１３７は、光透過性の合成樹脂材により略一定厚みの平板状に形成されて、その表裏面に微小な凹凸状模様が設けられると共に前面(装飾面)に所要の図柄が描かれており、前記第１および第２左側部ＬＥＤ基板１２１,１２３および左下部ＬＥＤ基板１２５のＬＥＤ８９の光が照射された際に、該装飾板部１３７の前面全体が明輝されるようになっている。また、前記左側部カバー本体１３６の装飾板部１３７は、前記左右上部のカバー本体９８,１１４の装飾板部９９,１１５と同一面上に位置するよう構成される。
【０２０７】
前記左側部カバー本体１３６の装飾板部１３７の後面には、後端部にネジ孔１３９ａが形成された前側取付ボス１３９が後方へ向けて突出するよう複数箇所に形成されると共に、前記前側支持板部１３８より後方へ突出する位置決め突部１４０が複数箇所に形成されている。そして、前記左側部取付台１２８および左下部取付台１３２の前面板部１２９,１３３には、前記装飾板部１３７に形成された前側取付ボス１３９および位置決め突部１４０に対応する位置に、前後に貫通する通孔１２９ｂ,１３３ｂおよび位置決め孔１２９ａ,１３３ａが夫々形成されており、該左側部カバー本体１３６の装飾板部１３７の位置決め突部１４０を左側部取付台１２８および左下部取付台１３２の対応する位置決め孔１２９ａ,１３３ａに挿入した状態で、該左側部取付台１２８および左下部取付台１３２の通孔１２９ｂ,１３３ｂに挿通したネジを左側部カバー本体１３６(前側取付ボス１３９)のネジ孔１３９ａに螺挿することで、左側部取付台１２８および左下部取付台１３２と左側部カバー本体１３６とが固定される。このとき、前記前側支持板部１３８および前側取付ボス１３９の後端部が前記左側部取付台１２８の前面板部１２９に当接し、該左側部取付台１２８の前方に離間して前記装飾板部１３７が位置するよう構成されている。
【０２０８】
図７７または図７８に示すように、前記左側部装飾カバー１２７の装飾板部１３７には、前記透明板３１の左側に位置する第２装着口３１ｃに配設された前記普通入賞装置４８の後方位置に、該普通入賞装置４８に連通する球通路が形成された左側球排出飾り部材１４１が配設されており、該普通入賞装置４８に入賞したパチンコ球が左側球排出飾り部材１４１を介して前記中枠１２に設けた前記球回収部に排出案内されるようになっている。ここで、前記左側球排出飾り部材１４１は、前記左側部装飾カバー１２７の装飾板部１３７の前面に突出するよう構成されて、該左側球排出飾り部材１４１の前面が前記透明板３１の裏面に近接位置するようになっている。
【０２０９】
また、前記左側部装飾カバー１２７の装飾板部１３７には、特別図柄表示部１４３および普通図柄表示部１４４を備えた複合表示装置１４２が配設されており、前記透明板３１を介して前側から複合表示装置１４２を視認し得るようになっている。ここで、前記複合表示装置１４２は、前記左側部装飾カバー１２７の装飾板部１３７に前方に開口するよう形成された設置凹部１３６ａに埋め込むよう配設されており、該左側部装飾カバー１２７の装飾板部１３７の前面と略同一面上に複合表示装置１４２の前面が位置するようになっている。なお、前記特別図柄表示部１４３は、基板上に複数の特別用ＬＥＤ(図示せず)を備えて、前記始動入賞装置３８へのパチンコ球の入賞により該特別用ＬＥＤの発光および消灯が変動表示された結果での特別用ＬＥＤの発光位置によって、特別図柄を表示するものである。そして、特定の発光位置の特別用ＬＥＤが発光することで、前記特別入賞装置４３の駆動ソレノイドが駆動されて前記特別入賞口４４ａを開放するようになっている。また、前記普通図柄表示部１４４は、基板上に複数の普通用ＬＥＤ(何れも図示せず)を備えて、前記枠状装飾体２００に設けた球検出センサ２１３のパチンコ球の検出により該普通用ＬＥＤの変動表示された結果での普通用ＬＥＤの発光位置によって、普通図柄を表示するものである。そして、特定の発光位置の普通用ＬＥＤが発光することで、前記始動入賞装置３８の駆動ソレノイド４１ａが駆動されて前記下部入賞口を開放するよう構成される。
【０２１０】
(右側部発光装飾装置について)
前記右側部発光装飾装置１４５は、図９,図１０,図７２に示すように、前記裏ユニット５０(箱状本体５１)の右側部に設けられた右側部設置領域６６に配設され、前方へ光を照射する複数のＬＥＤ(発光体)８９が実装された第１右側部ＬＥＤ基板(第１の発光体基板)１４６と、前記シャッター装置５００における前記ベース枠体５０２の右下部前面に配設された前記第２右側部ＬＥＤ基板(第２の発光体基板)１４８と、該裏ユニット５０(箱状本体５１)の右下部に配設されてシャッター装置５００の下方に位置し、前方へ光を照射する複数のＬＥＤ(発光体)８９が実装された第１右下部ＬＥＤ基板１５０(第１の発光体基板)と、該第１および第２右側部ＬＥＤ基板１４６,１４８、右下部ＬＥＤ基板１５０の前側を覆う光透過性の右側部装飾カバー(装飾カバー)１５２とからなり、各ＬＥＤ基板１４６,１４８,１５０のＬＥＤ８９を発光することで、右側部装飾カバー１５２が明輝されるようになっている。なお、第２右側部ＬＥＤ基板１４８の構成に関しては、シャッター装置５００の説明に合わせて説明したので、改めての説明は省略する。
【０２１１】
ここで、前記第１右側部ＬＥＤ基板１４６には、前記右側部設置領域６６に対応して前記裏ユニット５０の対向面部５２に形成された前記各位置決め突部６７と対応する位置に、前後に貫通する複数の位置決め孔１４６ａが形成されると共に、該右側部設置領域６６に対応して対向面部５２に形成された各ネジ孔６８対応する位置に、前後に貫通する複数の通孔１４６ｂが形成されている。また、前記第１右側部ＬＥＤ基板１４６の上下に離間する複数箇所には、前記裏ユニット５０の対向面部５２に形成された前記右側部装飾カバー１５２の取付け用の各通孔６９に対応する位置に、該通孔６９より大径に設定された嵌合孔部１４６ｃが夫々形成されている。同様に、前記右下部ＬＥＤ基板１５０には、前記裏ユニット５０の対向面部５２に形成された前記各位置決め突部６７と対応する位置に、前後に貫通する複数の位置決め孔１５０ａが形成されると共に、該対向面部５２に形成された各ネジ孔６８対応する位置に、前後に貫通する複数の通孔１５０ｂが形成されている。
【０２１２】
すなわち、前記裏ユニット５０(箱状本体５１)の右側部設置領域６６に設けた各位置決め突部６７を前記第１右側部ＬＥＤ基板１４６の位置決め孔１４６ａに挿通することで第１右側部ＬＥＤ基板１４６が右側部設置領域６６に位置決めされ、この状態で第１右側部ＬＥＤ基板１４６の通孔１４６ｂに挿通したネジを右側部設置領域６６に設けた対応のネジ孔６８に螺挿することで、第１右側部ＬＥＤ基板１４６が右側部設置領域６６に固定される。このとき、前記第１右側部ＬＥＤ基板１４６に形成された嵌合孔部１４６ｃに、前記右側部装飾カバー１５２の取付け用の各通孔６９が臨むと共に、該嵌合孔部１４６ｃを介して前記裏ユニット５０の対向面部５２が前面側に露出している。また、前記裏ユニット５０(箱状本体５１)の位置決め突部６７を前記右下部ＬＥＤ基板１５０の位置決め孔１５０ａに挿通することで右下部ＬＥＤ基板１５０が位置決めされ、この状態で右下部ＬＥＤ基板１５０の通孔１５０ｂに挿通したネジを対応のネジ孔６８に螺挿することで、右下部ＬＥＤ基板１５０が固定される。
【０２１３】
また、前記第１右側部ＬＥＤ基板１４６には、図７９または図８０に示すように、前面右側部中央、裏面右上部および下部にコネクタ受け部１４７が夫々取り付けられており、裏面右下部に位置するコネクタ受け部１４７に接続する配線が前記裏ユニット５０の中継基板７０２に接続され、裏面右上部に位置するコネクタ受け部１４７に接続する配線が右側部発光演出装置１７７における上側の第１右パネル用ＬＥＤ基板１８２(後述)に接続され、前面右側部中央に位置するコネクタ受け部１８３に接続する配線が右側部発光演出装置１７７における下側に位置する右パネル用ＬＥＤ基板１８２(後述)に接続されている(図１３参照)。また、前記右下部ＬＥＤ基板１５０には、裏面に複数のコネクタ受け部１５１が取り付けられており、各コネクタ受け部１５１に接続する配線が前記裏ユニット５０の中継基板７０２に接続される。なお、前記裏ユニット５０の対向面部５２には、前記第１右側部ＬＥＤ基板１４６の裏面右上部および裏面右下部に位置するコネクタ受け部１４７に対応して前記ＬＥＤ配線挿通口７２が開設されると共に、前記右下部ＬＥＤ基板１５０の各コネクタ受け部１５１に対応してＬＥＤ配線挿通口７２が開設されており、これらのコネクタ受け部１４７,１５１に接続する配線を裏ユニット５０の裏側に導出し得るようになっている。
【０２１４】
図７９または図８０に示すように、前記右側部装飾カバー１５２は、前記第１右側部ＬＥＤ基板１４６の前面上部を被覆するよう前記裏ユニット５０の箱状本体５１に取り付けられ、透明な合成樹脂材から形成された右側部取付台(取付台)１５３と、該第１右側部ＬＥＤ基板１４６の前面下部および前記右下部ＬＥＤ基板１５０の前側を被覆するよう箱状本体５１に取り付けられ、透明な合成樹脂材から形成された右下部取付台(取付台)１５７と、該右側部取付台１５３および右下部取付台１５７の前側に取り付けられ、第１右側部ＬＥＤ基板１４６、第２右側部ＬＥＤ基板１４８および右下部ＬＥＤ基板１５０の前側を被覆するカバー本体(以下、右側部カバー本体１６１という)とから構成されている。すなわち、前記第１右側部ＬＥＤ基板１４６、第２右側部ＬＥＤ基板１４８および右下部ＬＥＤ基板１５０のＬＥＤ８９からの光は、前側に位置する右側部取付台１５３および右下部取付台１５７を透過して前記右側部カバー本体１６１に照射されるようになっている。
【０２１５】
前記右側部取付台１５３は、図７９または図８０に示すように、前記第１右側部ＬＥＤ基板１４６の前面上部に対向する前面板部１５４と、該前面板部１５４の外周縁から後方に延出する後側支持板部１５６とから後方に開口する箱状に形成される。前記右側部取付台１５３の前面板部１５４には、前記第１右側部ＬＥＤ基板１４６の上側２つの嵌合孔部１４６ｃに対応する位置に、該嵌合孔部１４６ｃに嵌合可能な後側取付ボス(取付ボス)１５５が後方へ突出するよう形成されている。そして、前記右下部取付台１５７は、図７９または図８０に示すように、前記第１右側部ＬＥＤ基板１４６の前面下部および前記右下部ＬＥＤ基板１５０に対向する前面板部１５８と、該前面板部１５８の外周縁から後方に延出する後側支持板部１６０とから後方に開口する箱状に形成される。
【０２１６】
前記右側部装飾カバー１５２を前記裏ユニット５０の箱状本体５１(右側部設置領域６６)に配設した際に、右側部取付台１５３の前記後側取付ボス１５５の後端部が対応する嵌合孔部１４６ｃに夫々嵌合して前記対向面部５２に当接して、右側部取付台１５３および右下部取付台１５７の前面板部１５４,１５８が第１右側部ＬＥＤ基板１４６の前方に離間する位置で位置規制されるようになっている。ここで、前記右側部取付台１５３の左側面は、前記対向面部５２に形成された前記第２区画壁６１の右側面(右画壁との対向面)と整合する形状に形成されており、該右側部取付台１５３の左側面を第２区画壁６１に整合することで、右側部取付台１５３(右側部発光装飾装置１４５)を位置決めし得るようになっている。
【０２１７】
また、前記右側部取付台１５３および右下部取付台１５７の後側支持板部１５６,１６０には、図７９または図８０に示すように、後端部近傍に複数の弾性変形可能な係合フック１５６ａ,１６０ａが形成されている。この係合フック１５６ａ,１６０ａは、前記右側部取付台１５３の後側取付ボス１５５を前記対応の嵌合孔部１４６ｃに嵌合させた際に、前記裏ユニット５０の箱状本体５１に対応して形成された係合孔８５(図５に一部の係合孔８５のみ図示)に係脱可能に係合し得るようになっており、該後側取付ボス１５５を嵌合孔部１４６ｃに嵌合すると共に係合フック１５６ａ,１６０ａが係合孔８５に係合することで、前記前記裏ユニット５０の箱状本体５１(右側部設置領域６６)に対して右側部装飾カバー１５２が位置決めされるようになっている。また、前記後側取付ボス１５５の後端部には、前記第１右側部ＬＥＤ基板１４６の嵌合孔部１４６ｃに臨む通孔６９に対応してネジ孔１５５ａが形成されており、該通孔６９に挿通したネジを対応の後側取付ボス１５５のネジ孔１５５ａに螺挿することで、右側部装飾カバー１５２が右側部設置領域６６に固定される。
【０２１８】
前記右側部カバー本体１６１は、図７９または図８０に示すように、前記第１右側部ＬＥＤ基板１４６、第２右側部ＬＥＤ８９および右下部ＬＥＤ基板１５０の前側を被覆可能な大きさに形成された装飾板部１６２と、該装飾板部１６２の外周縁から後方に延出する前側支持板部１６３とから後方に開口する箱状に形成されている。すなわち、前記箱状本体５１の右画壁とシャッター装置５００におけるベース枠体５０２の右端部(右シャッター収納部材５０８の右端部)との間、箱状本体５１の下画壁とシャッター装置５００における下弧状装飾体５８８の右端部(右シャッター収納部材５０８の右端部)と第１および第２仕切り壁７６,７７の右側面との間に亘って、前記右側部装飾カバー１５２の装飾板部１６２が位置するよう構成されている。そして、前記第１右側部ＬＥＤ基板１４６、第２右側部ＬＥＤ８９および右下部ＬＥＤ基板１５０に設けたＬＥＤ８９の光は、前記装飾板部１６２に照射されるようになっている。ここで、前記右側部カバー本体１６１の装飾板部１６２は、光透過性の合成樹脂材により略一定厚みの平板状に形成されて、その表裏面に微小な凹凸状模様が設けられると共に前面(装飾面)に所要の図柄が描かれており、前記第１および第２右側部ＬＥＤ基板１４６,１４８および右下部ＬＥＤ基板１５０のＬＥＤ８９の光が照射された際に、該装飾板部１６２の前面全体が明輝されるようになっている。また、前記右側部カバー本体１６１の装飾板部１６２は、前記左右上部のカバー本体９８,１１４および左側部カバー本体１３６の装飾板部９９,１１５,１３７と同一面上に位置するよう構成される。
【０２１９】
前記右側部カバー本体１６１の装飾板部１６２の後面には、後端部にネジ孔１６４ａが形成された前側取付ボス１６４が後方へ向けて突出するよう複数箇所に形成されると共に、前記前側支持板部１６３より後方へ突出する位置決め突部１６５が複数箇所に形成されている。そして、前記右側部取付台１５３および右下部取付台１５７の前面板部１５４,１５８には、前記装飾板部１６２に形成された前側取付ボス１６４のネジ孔１６４ａおよび位置決め突部１６５に対応する位置に、前後に貫通する通孔１５４ｂ,１５８ｂおよび位置決め孔１５４ａ,１５８ａが夫々形成されており、該右側部カバー本体１６１の装飾板部１６２の位置決め突部１６５を右側部取付台１５３および右下部取付台１５７の対応する位置決め孔１５４ａ,１５８ａに挿入した状態で、該右側部取付台１５３および右下部取付台１５７の通孔１５４ｂ,１５８ｂに挿通したネジを右側部カバー本体１６１(前側取付ボス１６４)のネジ孔１６４ａに螺挿することで、右側部取付台１５３および右下部取付台１５７と右側部カバー本体１６１とが固定される。このとき、前記前側支持板部１６３および前側取付ボス１６４の後端部が前記右側部取付台１５３および右下部取付台１５７の前面板部１５４,１５８に当接し、該右側部取付台１５３の前方に離間して前記装飾板部１６２が位置するよう構成されている。
【０２２０】
図７９または図８０に示すように、前記右側部装飾カバー１５２の装飾板部１６２には、前記透明板３１の右側に位置する第２装着口３１ｃに配設された前記普通入賞装置４８の後方位置に、該普通入賞装置４８に連通する球通路が形成された右側球排出飾り部材１６６が配設されており、該普通入賞装置４８に入賞したパチンコ球を前記中枠１２に設けた前記球回収部に排出案内するようになっている。ここで、前記右側球排出飾り部材１６６は、前記右側部装飾カバー１５２の装飾板部１６２の前面に突出するよう構成されて、該右側球排出飾り部材１６６の前面が前記透明板３１の裏面に近接位置するようになっている。
【０２２１】
ここで、前記左右上部の装飾カバー９３,１０８および左右側部の装飾カバー１２７,１５２を裏ユニット５０に固定した状態において、左右上部のカバー本体９８,１１４および左右側部のカバー本体１３６,１６１の装飾板部９９,１１５,１３７,１６２の前面(装飾面)は、前記裏ユニット５０(箱状本体５１)における各画壁部５３ａ,５３ｂ,５３ｃ,５３ｄの開口前端部により画成される開口面と略同一面に位置すると共に、前記透明板３１の裏面に対して装飾板部９９,１１５,１３７,１６２が略平行となる位置に保持されている(図４,図６,図８１,図８２参照)。ここで、実施例では、前記左右上部のカバー本体９８,１１４および左右側部のカバー本体１３６,１６１の装飾板部９９,１１５,１３７,１６２は、前記裏ユニット５０(箱状本体５１)における各画壁部５３ａ,５３ｂ,５３ｃ,５３ｄの開口前端部により画成される開口面よりも、前記側部発光演出装置１７０,１７７の左側透明パネル１７１(後述)および固定壁１８７,１９１の厚み寸法分だけ後方に位置している。すなわち、「裏ユニット５０における画壁部５３ａ,５３ｂ,５３ｃ,５３ｄの開口前端部と略同一面に位置する」構成としては、前記装飾板部９９,１１５,１３７,１６２が完全に各画壁部５３ａ,５３ｂ,５３ｃ,５３ｄの開口前端部がなす開口面と同一面にある構成に限らず、該装飾板部９９,１１５,１３７,１６２の前面側に位置する板状体(透明パネルや固定壁部)が各画壁部５３ａ,５３ｂ,５３ｃ,５３ｄの開口前端部がなす開口面域と同一面に位置している状態も含み、装飾板部９９,１１５,１３７,１６２が透明板３１の裏面に対して近接している構成であればよい。
【０２２２】
(中央発光装飾装置について)
前記中央発光装飾装置１６７は、前記裏ユニット５０(箱状本体５１)の上部に設けられた中央設置領域６４に配設され、前方へ光を照射する複数のＬＥＤ(発光体)８９が実装された中央ＬＥＤ基板１６８と、該左上部ＬＥＤ基板９１の前側を覆う光透過性の透明保護カバー１６９とからなり、該中央ＬＥＤ基板１６８のＬＥＤ８９を発光することで、前記枠状装飾体２００に取り付けられた演出ユニット２０１を裏側から照明し得るよう構成される。そして、前記透明板３１と裏ユニット５０との組付け時等に、前記中央ＬＥＤ基板１６８に各種部材が接触するのを透明保護カバー１６９により防止している。なお、前記中央ＬＥＤ基板１６８および透明保護カバー１６９は、前記対向面部５２に形成した前記ソレノイド挿通口７４に対応する位置で切欠いてある。
【０２２３】
(側部発光演出装置について)
前記左右上部および左右側部発光装飾装置９０,１０５,１２０,１４５の前面側に配設される前記側部発光演出装置１７０,１７７は、図４,図９,図８１,図８２に示すように、前記透明板３１の裏面に対向し、前記遊技領域３２の左側に所要の図柄を発光表示可能な左側部発光演出装置１７０と、該透明板３１の裏面に対向し、遊技領域３２の右側に所要の図柄を発光表示可能な右側部発光演出装置１７７とから構成されて、該左右側部の発光演出装置１７０,１７７により遊技領域３２の全体に図柄を発光表示して装飾し得るようになっている。なお、前記各側部発光演出装置１７０,１７７は、前記中枠１２の裏側に設置された前記制御装置７００に対して電気的に接続されており、該制御装置７００からの制御信号に基づいて図柄の表示・非表示が制御される(図１３参照)。
【０２２４】
ここで、前記左側部発光演出装置１７０は、前記左上部発光装飾装置９０の左上部装飾カバー９３(装飾板部９９)および左側部発光装飾装置１２０の左側部装飾カバー１２７(装飾板部１３７)の前面を前側から透視可能に被覆する左側透明パネル(透明パネル)１７１と、該左側透明パネル１７１の左側端部に設けられ、該左側透明パネル１７１の端面に向けて光を照射する左側照明手段１７２とから構成されている。同様に、前記右側側部発光演出装置１７０,１７７は、前記右上部発光装飾装置１０５の右上部装飾カバー１０８(装飾板部１１５)および右側部発光装飾装置１４５の右側部装飾カバー１５２(装飾板部１６２)の前面を前側から透視可能に被覆する右側透明パネル(透明パネル)１７８と、該右側透明パネル１７８の右側端部に設けられ、該右側透明パネル１７８の端面に向けて光を照射する右側照明手段１７９とから構成されている。
【０２２５】
(左右の透明パネルについて)
前記左側透明パネル１７１における前記左上部発光装飾装置９０の装飾板部９９と重なる部位は、該左上部発光装飾装置９０の装飾板部９９の外形形状に略整合する形状に形成されると共に、該左側透明パネル１７１における前記左側部発光装飾装置１２０の装飾板部１３７と重なる部位は、該左側部発光装飾装置１２０の装飾板部１３７の外形形状に略整合する形状に形成されている(図９参照)。また、前記左側透明パネル１７１は、前記シャッター装置５００における左シャッター収納部材５０７の前側に重なるように延在している。同様に、前記右側透明パネル１７８における前記右上部発光装飾装置１０５の装飾板部１１５と重なる部位は、該右上部発光装飾装置１０５の装飾板部１１５の外形形状に略整合する形状に形成されると共に、前記右側透明パネル１７８における前記右側部発光装飾装置１４５の装飾板部１６２と重なる部位は、該右側部発光装飾装置１４２の装飾板部１６２の外形形状に略整合する形状に形成されている。また、前記右側透明パネル１７８は、前記シャッター装置５００における右シャッター収納部材５０８の前側に重なるように延在している。ここで、前記右側透明パネル１７８において、前記右上部発光装飾装置１０５の前記凹状部１１９を画成する傾斜壁部１１４ａに整合する端面を、傾斜端面１７８ｄ(図８５参照)と指称する。
【０２２６】
前記左側透明パネル１７１には、図８３に示すように、前記左上部発光装飾装置９０の左上部装飾カバー９３(装飾板部９９)および左側部発光装飾装置１２０の左側部装飾カバー１２７(装飾板部１３７)の前面側に形成された位置決め突部９９ａ,１３７ａおよびネジ孔９９ｂ,１３７ｂ(図７５,図７７参照)と前後に対応する位置に、前後に貫通する位置決め孔１７１ａおよび通孔１７１ｂが夫々形成されており、各位置決め突部９９ａ,１３７ａを対応の位置決め孔１７１ａに挿通すると共に、通孔１７１ｂに挿通したネジをネジ孔９９ｂ,１３７ｂに螺挿することで、該左上部装飾カバー９３および左側部装飾カバー１２７に対して左側透明パネル１７１が固定されるようになっている。同様に、前記右側透明パネル１７８には、図８４に示すように、前記右上部発光装飾装置１０５の右上部装飾カバー１０８(装飾板部１１５)および右側部発光装飾装置１４５の右側部装飾カバー１５２(装飾板部１６２)の前面側に形成された位置決め突部１１５ａ,１６２ａおよびネジ孔１１５ｂ,１６２ｂ(図７６,図７８参照)と前後に対応する位置に、前後に貫通する位置決め孔１７８ａおよび通孔１７８ｂが夫々形成されており、各位置決め突部１１５ａ,１６２ａを対応の位置決め孔１７８ａに挿通すると共に、通孔１７８ｂに挿通したネジをネジ孔１１５ｂ,１６２ｂに螺挿することで、該右上部装飾カバー１０８および右側部装飾カバー１５２に対して右側透明パネル１７８が固定される。
【０２２７】
ここで、前記左側透明パネル１７１には、前記左側部発光装飾装置１２０の左側部装飾カバー１２７に設けられた前記左側球排出飾り部材１４１と対応する位置に、該左側球排出飾り部材１４１を挿入可能な挿通孔１７１ｃが形成されると共に、前記右側透明パネル１７８には、前記右側部発光装飾装置１４５の右側部装飾カバー１５２に設けられた前記右側球排出飾り部材１６６と対応する位置に、該右側球排出飾り部材１６６を挿入可能な挿通孔１７８ｃが形成されて、各透明パネル１７１,１７８を夫々対応の装飾カバー９３,１０８,１２７,１５２の装飾板部９９,１１５,１３７,１６２に対して当接させ得るようになっている。そして、前記左側透明パネル１７１および右側透明パネル１７８を組み合わせた状態では、前記裏ユニット５０(箱状本体５１)の各画壁部５３ａ〜５３ｄにより形成される開口前端側を、両パネル１７１,１７８で全面的に被覆するよう構成される。
【０２２８】
ここで、前記左側透明パネル１７１および右側透明パネル１７８を組み合わせた状態では、前記透明板３１の貫通口３０ａに略整合する開口領域が画成されるようになっており(図４または図９参照)、該透明板３１の後方へ突出する前記枠状装飾体２００の上部外周壁２２５が該開口領域の内側に臨んで、左右の透明パネル１７１,１７８における開口領域側(透明板３１の貫通口３１ａ側)の端面に対向するようになっている。すなわち、前記左右の透明パネル１７１,１７８は、前記裏ユニット５０における対向面部５２の開口部５２ａの略全周を囲繞するよう形成され、透明板３１を介して前側から視認可能な領域全体に、該左右の透明パネル１７１,１７８が位置している。そして、前記左上部発光装飾装置９０の装飾板部９９と、右上部発光装飾装置１０５の装飾板部１１５とが整合する位置と前後に合った同じ位置で、前記左右の透明パネル１７１,１７８が整合するようになっており、該左右の透明パネル１７１,１７８の整合部位が判別し難くしている。
【０２２９】
前記左右の透明パネル１７１,１７８の裏面には、微小な凹凸を形成することで所要の図柄(実施例では星形を例に挙げているが、遊技機のモチーフとなるキャラクターに関連する形状、その他のものであってもよい)が描かれており、外周端面から透明パネル１７１,１７８の内部に導入された光が図柄を表す微小凹凸部分で反射されることで、該図柄が明輝されて前側から視認し得るよう構成される。ここで、前記左右の透明パネル１７１,１７８に描かれた図柄は、前記各発光装飾装置９０,１０５,１２０,１４５の装飾カバー９３,１０８,１２７,１５２の前面側に重なることで、該装飾カバー９３,１０８,１２７,１５２に描かれた図柄に紛れて前側から視認し難くなっている。また、左右の透明パネル１７１,１７８に対して前面および後面から照射される光は前記図柄を表す微小凹凸部分で殆ど反射することなく透過して、該図柄を前側から殆ど視認し得ないよう構成される。すなわち、左右の透明パネル１７１,１７８の図柄は、裏側に位置する前記各発光装飾装置９０,１０５,１２０,１４５のＬＥＤ１９７からの光が裏面に照射されたときには浮き出るように表示されることなく、前記照明手段１７２,１７９から照射された光が外周端面から内部に導入されたときに前側から視認可能となって浮き出るように表示される。なお、前記左右の透明パネル１７１,１７８に対する図柄の形成方法としては、前記上部発光演出装置３０２の円形透明パネル３２６に対する図柄の形成方法と同様に、レーザー彫刻方法等、各種の方法を用いることが可能である。また、ＬＥＤ１９７としては、単色またはフルカラーの何れのタイプも使用し得るが、演出に合わせて発光色を変化させる点でフルカラーのタイプが好適である。
【０２３０】
(左右の側照明手段について)
前記左側照明手段１７２は、図８３,図８４に示すように、前記左側透明パネル１７１の左側端部を覆う不透明な合成樹脂材により形成された非光透過性の左側遮蔽部材１７３と、該左側遮蔽部材１７３に配設され、左側透明パネル１７１の左側端面に光を照射可能な複数のＬＥＤ(発光体)１９７が実装された左パネル用ＬＥＤ基板１７４とから構成されている。そして、前記左パネル用ＬＥＤ基板１７４が前記中枠１２の裏側に設置された前記制御装置７００に対して電気的に接続され(図１３参照)、該制御装置７００からの制御信号に基づいて該基板１７４のＬＥＤ１９７を発光させることで、左側透明パネル１７１に設けられた図柄が明輝表示されるようになっている。
【０２３１】
また、前記右側照明手段１７９は、図８５,図８６に示すように、前記右側透明パネル１７８の右側端部を覆う不透明な合成樹脂材により形成された非光透過性の右側遮蔽部材１８０と、前記右上部発光装飾装置１０５の右上部装飾カバー１０８に形成した凹状部１１９を覆う不透明な合成樹脂材により形成された非光透過性の上部遮蔽部材１８１と、該右側遮蔽部材１８０に配設され、右側透明パネル１７８の右側端面に光を照射可能な複数のＬＥＤ(発光体)１９７が実装された第１右パネル用ＬＥＤ基板１８２と、該上部遮蔽部材１８１に配設され、右側透明パネル１７８の凹状部１１９側に臨む傾斜端面１７８ｄに光を照射可能な複数のＬＥＤ(発光体)１９７が実装された第２右パネル用ＬＥＤ基板１８４とから構成されている。そして、前記第１および第２右パネル用ＬＥＤ基板１８２,１８４が前記中枠１２の裏側に設置された前記制御装置７００に対して電気的に接続され(図１３参照)、該制御装置７００からの制御信号に基づいて該基板１８２,１８４のＬＥＤ１９７を発光させることで、右側透明パネル１７８に設けられた図柄が明輝表示される。
【０２３２】
前記左側透明パネル１７１の左側外周端面を覆う左側遮蔽部材１７３は、前記裏ユニット５０の左画壁部５３ｃの上下の全長に亘って延在するよう形成されて、該左側透明パネル１７１の左側端面(特定の外周端面)の全体を覆うよう構成される(図４または図９参照)。なお、前記右側透明パネル１７８の右側外周端面を覆う右側遮蔽部材１８０は、前記裏ユニット５０の右画壁部５３ｄの上下の略３／４に亘って延在するよう形成されている。ここで、前記左側照明手段１７２の左側遮蔽部材１７３と、前記右側照明手段１７９の右側遮蔽部材１８０の基本的な構成は同じであるので、主として左側遮蔽部材１７３の構成につき説明して、右側遮蔽部材１８０には同一の構成に関して同一の符号を付して詳細な説明を省略する。前記左側遮蔽部材１７３は、前記裏ユニット５０の左固定部５６に設けた前記左段差状部５６ａ(右側遮蔽部材１８０では右固定部５７の右段差状部５７ａ)に固定される平板状の第１固定壁１８７と、該第１固定壁１８７の右側端部に設けられて前記第１基板収容空間８６(右側遮蔽部材１８０では第２基板収容空間８７)に臨むよう後方に延在し、前記左側透明パネル１７１の左側端面に対向する第１基板支持部１８８と、当該第１固定壁１８７の右側端部(右側遮蔽部材１８０では左側端部)に設けられ、該左側透明パネル１７１(右側遮蔽部材１８０では右側透明パネル１７８)の前面に対向する平板状の第１遮蔽壁１８９とから構成されて、左側遮蔽部材１７３を左段差状部５６ａに固定した状態で、第１固定壁１８７および第１遮蔽壁１８９の前面が左固定部５６の前面と同一面上に位置して前記透明板３１の裏面に当接するようになっている。なお、実施例における左側遮蔽部材１７３の第１基板支持部１８８は、上下に複数(実施例では３つ)に分割され、右側遮蔽部材１８０の第１基板支持部１８８は、上下に複数(実施例では２つ)に分割されている。
【０２３３】
前記第１固定壁１８７の後面側には、前記裏ユニット５０(箱状本体５１)に形成された前記左支持ボス８６ａ(右側遮蔽部材１８０では第１右支持ボス８７ａ)に対応する位置に、後方に開口する第１筒状支持部１９０が形成されており、該左支持ボス８６ａを第１筒状支持部１９０に内挿することで、左側遮蔽部材１７３が位置決めされるようになっている。また、前記第１固定壁１８７には、前記左段差状部５６ａ(右側遮蔽部材１８０では右段差状部５７ａ)のネジ孔５６ｂ(図９参照)に対応して前後に貫通する通孔１８７ａ(図９,図８３には左側遮蔽部材１７３の最上部に位置する第１筒状支持部１９０の通孔１９０ａのみ図示)が形成されており、該第１固定壁１８７の通孔１８７ａに挿通したネジを対応する左段差状部５６ａのネジ孔５６ｂに螺挿すると共に、前記第１筒状支持部１９０の通孔１９０ａに挿通したネジを左支持ボス８６ａのネジ孔８６ｂに螺挿することで、左側遮蔽部材１７３が裏ユニット５０に固定される。ここで、前記左側遮蔽部材１７３を裏ユニット５０に固定した状態では、前記第１遮蔽壁１８９が前記左側透明パネル１７１(右側遮蔽部材１８０では右側透明パネル１７８)の前面に重なるように位置して、前記第１基板収容空間８６(右側遮蔽部材１８０では第２基板収容空間８７)の前方開口を閉成するようになっている。
【０２３４】
図８３,図８４に示すように、前記左パネル用ＬＥＤ基板１７４は、上下方向に長尺な矩形状に形成された上下２つの基板から構成されて、各基板の実装面に直交(交差)する方向に光を照射するようＬＥＤ１９７が実装されている。そして、各左パネル用ＬＥＤ基板１７４が前記左側遮蔽部材１７３の第１基板支持部１８８に固定されて前記第１基板収容空間８６に収容されている。また、上側に位置する左パネル用ＬＥＤ基板１７４の下端部近傍に設けられたコネクタ受け部１７５に接続された配線は、前記裏ユニット５０の対向面部５２に形成された前記左上部発光装飾装置９０の下方に形成された前記ＬＥＤ配線挿通口７２に挿通されて前記裏ユニット５０の中継基板７０２に接続されている(図１３参照)。そして、下側に位置する左パネル用ＬＥＤ基板１７４の上端部近傍には、前記左側部発光装飾装置１２０における第１左側部ＬＥＤ基板１２１の左上部に設けられたコネクタ受け部１２２に接続された配線が接続されるコネクタ受け部１７５が設けられる。
【０２３５】
また第１基板収容空間８６に収容された左パネル用ＬＥＤ基板１７４の各ＬＥＤ１９７は、図８１に示す如く、左側透明パネル１７１の左側端面に対向する姿勢に保持されて、該左側透明パネル１７１の左側端面に向けて光を照射し得るようになっている。同様に、前記第２基板収容空間８７に収容された第１右パネル用ＬＥＤ基板１８２の各ＬＥＤ１９７は、図８２に示す如く、右側透明パネル１７８の右側端面に対向する姿勢に保持されて、該右側透明パネル１７８の右側端面に向けて光を照射し得るようになっている。ここで、左パネル用ＬＥＤ基板１７４のＬＥＤ１９７および第１右パネル用ＬＥＤ基板１８２のＬＥＤ１９７は、対応する左右の透明パネル１７１,１７８における第１および第２基板収容空間８６,８７に臨む端面と対向するよう実装され、各ＬＥＤ１９７を点灯したときに、対応する左右の透明パネル１７１,１７８の端面から内部に導入された光が透明パネル１７１,１７８に形成された図柄の微小凹凸部分で反射することで、該図柄が前側から視認可能となるよう構成される。そして、前記左側照明手段１７２のＬＥＤ１９７を点灯したときに、前記左側透明パネル１７１の右側端面に透過した光が、前記枠状装飾体２００の上部外周壁２２５を介して前記第１内周壁２３０に照射されて、該光拡散処理された第１内周壁２３０が明輝されるようになっている。同様に、前記第１右パネル用ＬＥＤ基板１８２のＬＥＤ１９７を点灯したときに、前記右側透明パネル１７８の右側端面に透過した光が、前記枠状装飾体２００の上部外周壁２２５を介して前記第２内周壁に照射されて、該光拡散処理された第２内周壁が明輝されるようになっている。
【０２３６】
前記上部遮蔽部材１８１は、前記右上部装飾カバー１０８に形成した凹状部１１９の前方開口を覆う平板状の第２固定壁１９１と、該第２固定壁１９１に設けられて凹状部１１９内に臨むよう後方に延在し、前記右側透明パネル１７８の傾斜端面に対向する第２基板支持部１９２と、当該第２固定壁１９１に設けられ、該右側透明パネル１７８の前面に対向する平板状の第２遮蔽壁１９３とから構成される。前記第２固定壁１９１部の後面側には、前記裏ユニット５０(箱状本体５１)の右画壁部５３ｄの上端部近傍に形成された前記第２右支持ボス１１３に対応する位置、および前記凹状部１１９に臨む前記右上部発光装飾装置１０５の第２右支持ボス１１３に対応する位置に、後方に開口する第２筒状支持部１９４が形成されており、該第１および第２右支持ボス８７ａ,１１３を第２筒状支持部１９４に内挿することで、上部遮蔽部材１８１の第２基板支持部１９２が前記右上部装飾カバー１０８の傾斜壁部１１４ａに対向する傾斜姿勢で位置決めされるようになっている。また、前記第２筒状支持部１９４には、第１および第２右支持ボス８７ａ,１１３のネジ孔８７ｂ,１１３ａに対応して前後に開口する通孔１９４ａが形成されており、該第２筒状支持部１９４の通孔１９４ａに挿通したネジを第１および第２右支持ボス８７ａ,１１３のネジ孔８７ｂ,１１３ａに螺挿することで、上部遮蔽部材１８１が裏ユニット５０に固定される。ここで、前記上部遮蔽部材１８１を固定した状態では、第２固定壁１９１および第２遮蔽壁１９３の前面が前記左右の遮蔽部材１７３,１８０の前面と同一面上に位置して前記透明板３１の裏面に当接すると共に、該第２遮蔽壁１９３が前記右側透明パネル１７８の前面に重なるように位置して、前記凹状部１１９の前方開口を閉成するようになっている。
【０２３７】
図８５に示すように、前記第２右パネル用ＬＥＤ基板１８４は、上下方向に長尺な矩形状に形成されて、各基板の実装面に直交(交差)する方向に光を照射するようＬＥＤ１９７が実装されている。そして、各第２右パネル用ＬＥＤ基板１８４が前記上部遮蔽部材１８１の第２基板支持部１９２に固定されて前記凹状部１１９に収容されている。また、第２右パネル用ＬＥＤ基板１８４に設けられたコネクタ受け部１８５に接続された配線が、前記第１右パネル用ＬＥＤ基板１８２の上端部近傍に設けられたコネクタ受け部１８３に接続されて、該第１右パネル用ＬＥＤ基板１８２を介して第２右パネル用ＬＥＤ基板１８４が裏ユニット５０の中継基板７０２に接続される(図１３参照)。また前記凹状部１１９に収容された第２右パネル用ＬＥＤ基板１８４の各ＬＥＤ１９７は、右側透明パネル１７８の傾斜端面１７８ｄに対向する姿勢に保持されて、該右側透明パネル１７８の上部(上固定部５４の上部段差部８３に重なる部位)に向けて光を照射し得るようになっている。すなわち、前記右側透明パネル１７８の上部(上固定部５４の上部段差部８３に重なる部位)に形成された図柄の微小凹凸部分で、前記第２右パネル用ＬＥＤ基板１８４の各ＬＥＤ１９７が反射されることで、該図柄が前側から視認可能となるよう構成され、前記遊技領域３２の上部に明瞭に図柄を表示し得るようになっている。
【０２３８】
〔実施例の作用〕
次に、前述のように構成された実施例に係るパチンコ機１０の作用につき説明する。
【０２３９】
前記中枠１２に設けられた前記打球発射装置１７から発射されて、前記遊技盤３０に設けた案内レール３４の発射通路３４ａを通過したパチンコ球は、前記遊技領域３２に打ち出されて該遊技領域３２内を流下し、流下する過程で各種入賞装置３８,４３,４８に入賞することで遊技が行なわれる。そして、このパチンコ球が前記枠状装飾体２００に配設された前記球検出センサ２１３で検出されると、前記制御装置７００において普通図柄の当り抽選が行なわれる。そして、抽選の結果、当りとなった場合は、普通図柄表示部１４４の普通用ＬＥＤにより当り図柄が表示されると共に、前記始動入賞装置３８の羽根部材４２,４２が開放されて、該始動入賞装置３８の下部始動入賞口４０ｂへのパチンコ球の入賞が許容される。また、遊技領域３２を流下するパチンコ球が前記枠状装飾体２００の球通路部２７４に通入すると、該パチンコ球が枠状装飾体２００のステージ部２７１に通出され、該ステージ部２７１を左右に転動した後に遊技領域３２に排出され、このパチンコ球は始動入賞装置や普通入賞具に入賞可能となる。
【０２４０】
前記始動入賞装置３８にパチンコ球が入賞すると、前記制御装置７００において大当り抽選が行なわれ、前記制御装置７００の制御信号に基づいて、前記図柄表示装置１９の図柄が変動開始されて所要の図柄変動演出が展開される。そして、抽選の結果、大当りとなった場合は、図柄変動演出の結果として前記図柄表示装置１９および特別図柄表示部１４３の特別用ＬＥＤに所定の図柄組合わせで図柄が停止表示され、前記特別入賞装置４３の開閉扉４７が開放されて、多数の賞球の獲得が可能となる。そして、前記図柄表示装置１９で展開される図柄変動演出に応じて前記裏ユニット５０に配設された前記シャッター装置５００のシャッター部材５０３(５３２,５３３)や前記枠状装飾体２００に設けられた演出ユニット２０１の房状体３１２が作動されて、該シャッター部材５０３(５３２,５３３)や房状体３１２の動作による動的な演出により遊技の興趣が高められる。また、裏ユニット５０に配設された前記各発光装飾装置９０,１０５,１２０,１４５,１６７や各側部発光演出装置１７０,１７７、前記枠状装飾体２００に設けられた演出ユニット２０１の上部発光演出装置３０２も、前記制御装置の制御下に発光演出を行ない、発光による演出により遊技の興趣を向上する。
【０２４１】
(遊技盤の組付けについて)
前記遊技盤３０は、前記裏ユニット５０の前側に前記透明板３１を配置して、該透明板３１の外郭と裏ユニット５０の外郭とを整合させ、当該透明板３１に形成した嵌入孔３１ｄに裏ユニット５０に形成した嵌入突部５９を嵌入した状態でネジを透明板３１に螺挿することで組付けられて、透明板３１の後面が裏ユニット５０で全面的に覆われる。ここで、前記遊技盤３０を構成する透明板３１には、該透明板３１に開設された貫通口３１ａに、前記窓口２００ａの上部位置に演出ユニット２０１を備えた枠状装飾体２００が配設されると共に、該貫通孔３１ａの下方位置に開設された第１装着口３１ｂに、始動入賞装置３８や特別入賞装置４３が配設されて、演出ユニット２０１や、始動入賞装置３８および特別入賞装置４３に接続する配線が透明板３１の裏側に導出される。また、前記遊技盤３０を構成する裏ユニット５０には、前記始動入賞装置３８および特別入賞装置４３に対応する位置に、該始動入賞装置３８の装置本体４１を収容可能な第１収容部７６ａおよび特別入賞装置４３の装置本体４５を収容可能な第２収容部７７ａが形成されると共に、該裏ユニット５０(下固定部５５)に、前後方向に開口すると共に第２収容部７７ａに連通する配線挿通用切欠き部５５ａを、裏ユニット５０(下固定部５５)の下方にも開口するよう形成されている。
【０２４２】
従って、前記透明板３１側に設けられた始動入賞装置３８や特別入賞装置４３の配線を、前記配線挿通用切欠き部５５ａを介して裏ユニット５０の裏側(第２収容部７７ａ)まで引き回すことができる。すなわち、前記始動入賞装置３８や特別入賞装置４３に接続する配線を、裏ユニット５０に形成した前記配線挿通用切欠き部５５ａに退避させた状態で透明板３１と裏ユニット５０とを組付け得るから、透明板３１および裏ユニット５０の組付け作業の作業性向上が図られる。ここで、前記始動入賞装置３８および特別入賞装置４３は、透明板３１(内レール３６の平板部３６ｂ)に形成されるアウト口３６ｃの直上方に位置すると共に、前記配線挿通用切欠き部５５ａは、アウト口３６ｃに対応して形成された透明板３６ｃの球排出用切欠き部３６ｆに前後に整合するよう形成されている。すなわち、前記透明板３１と裏ユニット５０とを組付ける際には、前記始動入賞装置３８および特別入賞装置４３に接続する配線を、透明板３１のアウト口３６ｃ側(裏ユニット５０の下方側)に引張っておくだけで、該配線を配線挿通用切欠き部５５ａに臨ませることができ、配線の引っ掛かりに対する確認を容易になし得る利点もある。ここで、前記第１収容部７６ａと第２収容部７７ａとは、該第２収容部７７ａを画成する第２仕切り壁７７に形成した連通口７７ｂを介して相互に連通するよう構成されているから、前記配線挿通用切欠き部５５ａを介して裏ユニット５０の裏側(第２収容部７７ａ)に引き回された始動入賞装置３８の配線を、連通口７７ｂを介して第１収容部７６ａまで誘導でき、該始動入賞装置３８の配線が挟み込まれることはない。
【０２４３】
また、前記裏ユニット５０には、前記透明板３１に対向する対向面部５２から前方に突出するよう形成された前記第１仕切り壁７６により前記始動入賞装置３８の装置本体４１を収容する第１収容部７６ａが画成されると共に、対向面部５２から前方に突出するよう形成された前記第２仕切り壁７７により前記始動入賞装置３８の装置本体４１を収容する第１収容部７６ａが画成されている。すなわち、前記第１仕切り壁７６および第２仕切り壁７７により、該裏ユニット５０における前記シャッター装置５００や発光装飾装置９０,１０５,１２０,１４５,１６７、側部発光演出装置１７０,１７７の配設領域と、前記始動入賞装置３８および特別入賞装置４３の収容部７６ａ,７７ａが区切られているから、該収容部７６ａ,７７ａに収容された始動入賞装置３８および特別入賞装置４３の配線がシャッター装置５００や発光装飾装置９０,１０５,１２０,１４５,１６７、側部発光演出装置１７０,１７７に引っ掛かるのを防止でき、透明板３１と裏ユニット５０との組付け作業の作業性向上が図られる。
【０２４４】
更に、前記裏ユニット５０に形成した前記第１仕切り壁７６の前端部は、前記始動入賞装置３８の第１取付ベース板３９で被覆されると共に、前記第２仕切り壁７７の前端部は、前記特別入賞装置４３の第２取付ベース板４４で被覆され、前記配線挿通用切欠き部５５ａの開口側端部は、前記アウト口３６ｃが形成された内レール３６の平板部３６ｂで被覆されるよう構成してある。このとき、前記第１および第２取付ベース板３９,４４を不透明な合成樹脂材により形成して、該第１および第２取付ベース板３９,４４、平板部３６ｂの裏側を前側から透視不能に構成すると共に、前記内レール３６の平板部３６ｂに光拡散加工を施して、該平板部３６ｂの裏側を前側から透視困難となるよう構成されているから、当該第１および第２取付ベース板３９,４４、平板部３６ｂを介して透明板３１(遊技盤３０)の前側から裏ユニット５０の裏側が視認されるのを防止できる。前記第１取付ベース板３９の下端部と前記第２取付ベース板４４の上端部とが近接し、該第２取付ベース板４４の下端部と前記平板部３６ｂの上端部とが近接するよう構成されているから、前記第１および第２収容部７６ａ,７７ａや配線挿通用切欠き部５５ａを介して透明板３１(遊技盤３０)の前側から裏ユニット５０の裏側が視認されるのを防止でき、遊技盤３０の見栄えを損なうことはない。
【０２４５】
一方、前記裏ユニット５０の上部中央には、前後に貫通する上部中央配線挿通口７１が形成されており、前記透明板３１に設けられた前記枠状装飾体２００の演出ユニット２０１に接続する配線が、該上部中央配線挿通口７１を介して裏ユニット５０の裏側に挿通される。すなわち、実施例の遊技盤３０は、前記透明板３１および裏ユニット５０を組付ける具体的な手順として、透明板３１の上部に位置する演出ユニット２０１の配線を裏ユニット５０に形成した中央配線挿通口７１に予め挿通した状態で、前述のように前記始動入賞装置３８および特別入賞装置４３に接続する配線を、該裏ユニット５０に形成した配線挿通用切欠き部５５ａに退避させることで組付けられる。或いは、前記始動入賞装置３８および特別入賞装置４３に接続する配線を、前述のように該裏ユニット５０に形成した配線挿通用切欠き部５５ａを介して裏ユニット５０の裏側に導出したさせた状態で、透明板３１の上部に位置する演出ユニット２０１の配線を裏ユニット５０に形成した中央配線挿通口７１に挿通することで、透明板３１と裏ユニット５０とを組付けることができる。このように、前記透明板３１の上方に位置する演出ユニット２０１の配線と、下方に位置する前記始動入賞装置３８および特別入賞装置４３の配線とを、裏ユニット５０の裏側に同時に導出する必要がないから、透明板３１と裏ユニット５０の組付け作業性の向上が図られる。
【０２４６】
ところで、前記上部中央配線挿通口７１を、裏ユニット５０(上固定部５４)の上方にも開口する切欠き部とすれば、前記演出ユニット２０１の配線に関しても、前述した始動入賞装置３８や特別入賞装置４３の配線と同様に、該裏ユニット５０の上方側に引張っておくだけで、該演出ユニット２０１の配線を裏ユニット５０の裏側に導出することが可能となり、該配線の引っ掛かりに対する確認も容易にできる利点がある。この場合には、裏ユニット５０の上端部と下端部に切欠き部が形成されるので、裏ユニット５０の剛性低下を招来する可能性があり、場合によっては裏ユニット５０を補強するための補強部材を別途設ける必要が生ずる。これに対して、実施例では、前記上部中央配線挿通口７１を裏ユニット５０の前後に開口するよう形成してあるだけなので、裏ユニット５０の剛性が必要以上に低下するのを防止でき、裏ユニット５０に対する補強等を特別に行なう必要性がない。
【０２４７】
(発光装飾装置による遊技盤の照明について)
次に、前述のように組付けられた遊技盤３０の盤面照明に関して説明する。前記裏ユニット５０の箱状本体５１には、該箱状本体５１の対向面部５２に開設した開口部５２ａ(開口部５２ａの前側に配設された前記シャッター装置５００の外周)を囲繞するように、左上部発光装飾装置９０、右上部発光装飾装置１０５、左側部発光装飾装置１２０、右側部発光装飾装置１４５および中央発光装飾装置１６７が配設されており、該左右上部および左右側部の発光装飾装置９０,１０５,１２０,１４５により、前記透明板３１における遊技領域３２の裏側全体が覆われている。ここで、前記左右上部および左右側部の発光装飾装置９０,１０５,１２０,１４５を構成する前記左右上部および左右側部の装飾カバー９３,１０８,１２７,１５２の装飾板部９９,１１５,１３７,１６２の前面(装飾面)は、前記裏ユニット５０(箱状本体５１)における各画壁部５３ａ,５３ｂ,５３ｃ,５３ｄの開口前端部により画成される開口面と略同一面に位置すると共に、前記透明板３１の裏面に対して各装飾板部９９,１１５,１３７,１６２が略平行となるよう構成されているから、各発光装飾装置９０,１０５,１２０,１４５のＬＥＤ基板９１,１０６,１２１,１２３,１２５,１４６,１４８,１５０のＬＥＤ８９を発光させて各装飾板部９９,１１５,１３７,１６２を明輝することで、前記透明板３１(遊技領域３２)の全体を裏側から照明することができる。
【０２４８】
このように、前記裏ユニット５０に設けた前記左右上部および左右側部の発光装飾装置９０,１０５,１２０,１４５により前記透明板３１(遊技領域３２)の全体を裏側から照明して光り装飾することで、ベニヤ板等の木材から形成された遊技盤の盤面に所要の図柄等が描かれたセルシートを貼着する構成に較べ、遊技盤３０の装飾性が格段に向上され、パチンコ機１０の付加価値の向上を図ると共に遊技の興趣の向上を図り得る。このとき、前記左右上部および左右側部の発光装飾装置９０,１０５,１２０,１４５の各装飾板部９９,１１５,１３７,１６２は、前記側部発光演出装置１７０,１７７における左右の透明パネル１７１,１７８および遮蔽壁１８９,１９３の厚み分だけ透明板３１の裏面から離間するだけで、各装飾板部９９,１１５,１３７,１６２が透明板３１の裏面に極めて近接位置するから、該各装飾板部９９,１１５,１３７,１６２の各種図柄が透明板３１に描かれているように見え、ベニヤ板等の木材から形成された遊技盤の盤面に所要の図柄等が描かれたセルシートを貼着する場合と比べて違和感なく遊技を行なうことができる。
【０２４９】
また、実施例では、前記左右上部および左右側部の発光装飾装置９０,１０５,１２０,１４５の装飾カバー９３,１０８,１２７,１５２を、前記各装飾板部９９,１１５,１３７,１６２を有する左右上部および左右側部のカバー本体９８,１１４,１３６,１６１と、前記裏ユニット５０の箱状本体５１に固定される取付台９４,１０９,１２８,１３２,１５３,１５７とから構成して、発光装飾装置９０,１０５,１２０,１４５の各ＬＥＤ基板９１,１０６,１２１,１２３,１２５,１４６,１４８,１５０から各装飾板部９９,１１５,１３７,１６２までの間に一定の距離を確保するよう構成されている。このため、前記左右上部および左右側部の発光装飾装置９０,１０５,１２０,１４５の各ＬＥＤ基板９１,１０６,１２１,１２３,１２５,１４６,１４８,１５０のＬＥＤ８９を発光させた際には、各対応の装飾板部９９,１１５,１３７,１６２を全体的に一定の輝度で照明することができ、遊技盤３０の光による装飾性を高めることができる。
【０２５０】
更に、前記左右上部および左右側部の発光装飾装置９０,１０５,１２０,１４５の各ＬＥＤ８９は、前記制御装置７００からの制御信号により発光制御されるから、前記図柄表示装置１９で展開される図柄変動演出に合わせて各発光装飾装置９０,１０５,１２０,１４５のＬＥＤ８９の発光態様(点灯・消灯や輝度等)を変化させることで、遊技盤３０の盤面全体を利用した発光演出が可能となり、遊技演出の多様化を図ることができる。ここで、前記左右上部および左右側部の発光装飾装置９０,１０５,１２０,１４５は、前記裏ユニット５０の箱状本体５１に配設されているから、前記透明板３１には各発光装飾装置９０,１０５,１２０,１４５を取り付けるための取付孔等を形成する必要がなく、透明板３１(遊技盤３０)の剛性低下を招来することはない。
【０２５１】
また、左右上部および左右側部の発光装飾装置９０,１０５,１２０,１４５の装飾カバー９３,１０８,１２７,１５２は、前記裏ユニット５０(対向面部５２)の開口部５２ａに前側に位置する前記シャッター装置５００を囲繞するよう設けられているから、該左右上部および左右側部の発光装飾装置９０,１０５,１２０,１４５により遊技盤３０の装飾性向上を図りつつ、シャッター装置５００のシャッター部材５０３(５３２,５３３)の動作により該開口部５２ａから臨む図柄表示装置１９の表示面１９ａを開閉する動作による演出を行なうことができる。ここで、前記左右側部の発光装飾装置１２０,１４５における第２左右の側部ＬＥＤ基板１２３,１４８を前記シャッター装置５００のベース枠体５０２に配設して、該第２左右の側部ＬＥＤ基板１２３,１４８の前側を対応する左右側部の装飾カバー１２７,１５２で覆うよう構成したことで、該ベース枠体５０２に画成された表示空間５０１の外周全体を光により装飾でき、遊技盤３０の装飾性が一層向上される。
【０２５２】
また、前記左右上部の発光装飾装置９０,１０５における左右上部の装飾カバー９３,１０８の装飾板部９９,１１５は、前記裏ユニット５０の上固定部５４に設けられた上部段差部８３に臨んで、該上固定部５４に形成された照明用窓部８４(第２窓部８４ｂ)を、該左右上部の装飾カバー９３,１０８の装飾板部９９,１１５で覆うよう構成されている。ここで、前記裏ユニット５０に形成される前記照明用窓部８４は、前記箱状本体５１の上画壁部５３ａに画成される第１窓部８４ａと、前記上固定部５４に形成される第２窓部８４ｂとから形成されて、該上画壁部５３ａから上固定部５４に亘って連続するよう形成されている。このため、前記裏ユニット５０の箱状本体５１の上部位置に配設された前記左右上部の発光装飾装置９０,１０５のＬＥＤ基板９１,１０６や前記中央発光装飾装置１６７のＬＥＤ基板１６８に設けたＬＥＤ８９の光を、前記第１窓部８４ａおよび第２窓部８４ｂを介して前記上固定部５４の上部段差部８３に位置する前記左右上部の装飾カバー９３,１０８の装飾板部９９,１１５に照射して、該上固定部５４の前側に位置する装飾板部９９,１１５を明輝させることができる。
【０２５３】
すなわち、前記裏ユニット５０における箱状本体５１の上画壁部５３ａおよび上固定部５４に照明用窓部８４(第１窓部８４ａおよびｂ第２窓部８４ｂ)を形成することで、前記中枠１２に設けられた球タンク２６と前後に重なり、前後の寸法を確保し得ない遊技盤３０の上部位置(上固定部５４)の前側を照明することができ、遊技盤３０の全体的な装飾性の向上を図ることができる。また、実施例では、前記上固定部５４の上部段差部８３は、上方に膨出する円弧状に形成されて、該上部段差部８３の上端縁を、前記透明板３１に配設された前記外レール３５と前後に略整合する位置に設けて、該上部段差部８３の略全体が前記遊技領域３２の内側に臨むよう構成されると共に、前記第２窓部８４ｂの開口上縁部も同様に、該上部段差部８３の上端縁(外レール３５)に沿って延在する円弧状に形成してある。このため、前記第２窓部８４ｂ(照明用窓部８４)を介して照射される光により、前記左右の上部発光装飾装置９０,１０５を構成する装飾板部９９,１１５が明輝された際に、前記遊技領域３２の形状に合わせて遊技領域３２の上部を照明することができ、遊技盤３０の装飾性が一段と向上される。
【０２５４】
また、前記左右上部の発光装飾装置９０,１０５を前記裏ユニット５０の箱状本体５１に配設した際に、該発光装飾装置９０,１０５を構成する左右上部の取付台９４,１０９の各前面板部９５,１１０が前記上画壁部５３ａに開設された前記照明用窓部８４(第１窓部８４ａ)の開口後端縁と略同一鉛直面上に位置させてあるから、該前面板部９５,１１０を透過した光を前記上固定部５４(上部段差部８３)の前側に位置する装飾板部９９,１１５に照射することができる。更に、前記左右上部の発光装飾装置９０,１０５を構成する前記左右上部の装飾カバー９３,１０８の夫々には、各装飾カバー９３,１０８の前側支持板部１００,１１６に、前記上画壁部５３ａに形成された照明用窓部８４(第１窓部８４ａ)と対応する位置に、上下に開口する照明用切欠き部１００ａ,１１６ａが夫々開設されているから、前記各前面板部９５,１１０を透過した光を、前記上画壁部５３ａおよび上固定部５４に連続して形成された照明用窓部８４を介して前記上固定部５４(上部段差部８３)の前側に位置する装飾板部９９,１１５に照射させることができる。
【０２５５】
(各発光装飾装置の組付けについて）
次に、前記裏ユニット５０の箱状本体５１に対する前記左右上部および左右側部の発光装飾装置９０,１０５,１２０,１４５の取付構造について説明する。なお、前記左右上部および左右側部の発光装飾装置９０,１０５,１２０,１４５は、具体的な形状やＬＥＤ基板や取付台等の数において相違しているものの、基本的な構成は同一であるから、以下の説明においては、前記左上部発光装飾装置９０を箱状本体５１に取り付ける場合で説明する。前記左上部発光装飾装置９０を前記裏ユニット５０の箱状本体５１に取り付けるには、先ず左上部ＬＥＤ基板９１が該箱状本体５１に取り付けられる。具体的には、前記箱状本体５１(対向面部５３)の左上部に位置する前記第１上設置領域６２に形成された位置決め突部６７を、前記左上部ＬＥＤ基板９１に形成された位置決め孔９１ａに挿通して、該第１上設置領域６２に左上部ＬＥＤ基板９１を位置決めすると共に、該左上部ＬＥＤ基板９１の通孔９１ｂに挿通したネジを螺挿すると共に、箱状本体５１(対向面部５３)の第１上設置領域６２に対応して設けられたネジ孔６８に螺挿することで、当該箱状本体５１(対向面部５３)に左上部ＬＥＤ基板９１が固定される。ここで、前記箱状本体５１の対向面部５２には、前記第１上設置領域６２を画成する第１区画壁６０が前方に突出するよう形成されて、前記上部ＬＥＤ基板９１の下縁部が該第１区画壁６０に整合するようになっているから、左上部ＬＥＤ基板９１を箱状本体５１の対向面部５２に設置した際に、該第１区画壁６０により左上部ＬＥＤ基板９１が位置規制されて所定位置に配置できる。
【０２５６】
前記箱状本体５１の対向面部５２に前記左上部ＬＥＤ基板９１を固定した状態で、該左上部ＬＥＤ基板９１の前側を覆うように前記左上部装飾カバー９３を取り付ける。このとき、前記左上部装飾カバー９３の左上部取付台９４に形成した各後側取付ボス９６が、前記左上部ＬＥＤ基板９１に設けた対応する嵌合切欠き部９１ｃに嵌合すると共に、該左上部取付台９４に形成した係合フック９７ａが裏ユニット５０(箱状本体５１)に形成した係合孔８５に係合して、該左上部装飾カバー９３が位置決めされる。そして、この状態で前記左上部ＬＥＤ基板９１の嵌合切欠き部９１ｃに臨む前記箱状本体５１(対向面部５２)の通孔６９に挿通したネジを、各後側取付ボス９６のネジ孔９６ａに螺挿することで、前記左上部装飾カバー９３が左上部ＬＥＤ基板９１の前側を覆う状態で固定され、前記裏ユニット５０の箱状本体５１(第１上設置領域６２)に前記左上部発光装飾装置９０が取り付けられる。このように、前記左上部ＬＥＤ基板９１に設けた対応する嵌合切欠き部９１ｃに、前記左上部装飾カバー９３の左上部取付台９４に形成した各後側取付ボス９６が嵌合するよう構成したことで、該左上部装飾カバー９３を裏ユニット５０の箱状本体５１の所定位置(第１上設置領域６２)に正確に位置決めできる。
【０２５７】
すなわち、前記裏ユニット５０の箱状本体５１(対向面部５２)に対して、前記左上部ＬＥＤ基板９１および左上部装飾カバー９３の夫々を正確に位置決めして固定し得るようにしたことで、左上部発光装飾装置９０を該裏ユニット５０の箱状本体５１(対向面部５２)に対して正確な位置に位置決め固定することができ、該左上部発光装飾装置９０により透明板３１(遊技盤３０)の所定位置を正確に光装飾することが可能となる。また、前記左右側部の発光装飾装置１２０,１４５では、左右側部の装飾カバー１２７,１５２の左右側部の取付台１２８,１５３の側部に、前記箱状本体５１の対向面部５２に形成した前記左側部設置領域６５および右側部設置領域６６を区画する第２区画壁６１が当接するよう構成してあるから、該左右側部の装飾カバー１２７,１５２(左右側部の取付台１２８,１５３)を前記裏ユニット５０の箱状本体５１の所定位置(左側部設置領域６５および右側部設置領域６６)に対してより正確に位置決めできる。また、前記左右側部の装飾カバー１２７,１５２の左右側部の取付台１２８,１５３の側部に対応する前記第２区画壁６１が当接することで、前記シャッター装置５００と左右側部の発光装飾装置１２０,１４５との接触を防止する効果も期待できる。
【０２５８】
また、前記左上部装飾カバー９３を構成する前記左上部取付台９４と左上部カバー本体９８とは、該左上部カバー本体９８に形成した位置決め突部１０２を、該左上部取付台９４(前面板部９５)に形成した対応の位置決め孔９５ａに挿通して、当該左上部取付台９４に対して左上部カバー本体９８を位置決めする。そして、この状態で、該左上部取付台９４(前面板部９５)の通孔に挿通したネジを、前記左上部カバー本体９８に形成した前側取付ボス１０１のネジ孔１０１ａに螺挿することで、該左上部取付台９４と左上部カバー本体９８とが固定されて、前記左上部装飾カバー９３を単一のユニット体として取扱い得るようになる。このように、前記左上部取付台９４に形成した位置決め孔９５ａおよび左上部カバー本体９８に設けた位置決め突部１０２を用いて該左上部取付台９４と左上部カバー本体９８とを正確に位置決めした状態で両部材９４,９８を固定することで、該左上部カバー本体９８の前記装飾板部９９を、左上部取付台９４に対して所定の位置関係(装飾板部９９で左上部取付台９４の前面板部９５を被覆する位置)に正確かつ容易に位置決め固定することができる。そして、前記左上部装飾カバー９３を単一のユニット体として取扱い得ることで、前述のように該左上部装飾カバー９３を前記裏ユニット５０の箱状本体５１(第１上設置領域６２)に対して正確に位置決め固定することで、該左上部装飾カバー９３の装飾板部９９を、前記左上部ＬＥＤ基板９１の前側を覆う位置に正確に位置させることができる。
【０２５９】
(側部発光演出装置による遊技盤の照明について）
また、前記左右上部および左右側部の発光装飾装置９０,１０５,１２０,１４５の前側には、前記左右側部の発光演出装置１７０,１７７が配設されて、該左右側側部の発光演出装置１７０,１７７における左右の透明パネル１７１,１７８により、該発光装飾装置９０,１０５,１２０,１４５の各装飾板部９９,１１５,１３７,１６２の前面を覆うようになっている。ここで、前記左右側部の発光演出装置１７０,１７７における左右の照明手段１７２,１７９のＬＥＤ１９７を発光していない状態では、前記左右の透明パネル１７１,１７８に形成されている図柄は、前記透明板３１を介して前側から殆ど視認できず、該透明パネル１７１,１７８を介して前記左右上部および左右側部の発光装飾装置９０,１０５,１２０,１４５の装飾板部９９,１１５,１３７,１６２を前側から視認し得る。
【０２６０】
そして、前記制御装置７００の制御下に前記左右の照明手段１７２,１７９のＬＥＤ１９７が発光されると、該ＬＥＤ１９７からの光は、各照明手段１７２,１７９に対応する左右の透明パネル１７１,１７８の側端面に向けて照射され、側転面から左右の透明パネル１７１,１７８の内部に導入され光が透明パネル１７１,１７８に描かれた図柄で反射することで、当該図柄が浮き出るように表示されて前側から視認可能となる。すなわち、遊技者には、前記左右上部および左右側部の発光装飾装置９０,１０５,１２０,１４５の前側に不意に図柄が浮き出るように表示されるから、意外性のある発光演出を行なうことができ、興趣を向上し得る。すなわち、前記左右の照明手段１７２,１７９のＬＥＤ１９７が発光・消灯に応じて、前記左右の遮蔽部材１７３,１８０に形成されている図柄を、前記左右上部および左右側部の発光装飾装置９０,１０５,１２０,１４５の装飾カバー９３,１０８,１２７,１５２に表示されている図柄に重ねて表示することができるから、バリエーションのある遊技演出が可能となり、遊技の興趣が向上される。また、前記左右の透明パネル１７１,１７８の図柄は、前記左右の照明手段１７２,１７９のＬＥＤ１９７の光が各パネル１７１,１７８の対応の端面から導入された場合に限り前側から視認可能となるので、端面から光が導入されていない状態では、当該左右の遮蔽部材１７３,１８０に設けた図柄が前記各発光装飾装置９０,１０５,１２０,１４５の装飾カバー９３,１０８,１２７,１５２に表示されている図柄の視認性を阻害することもない。
【０２６１】
特に、実施例では、前記左右の透明パネル１７１,１７８の夫々は、前記左右の照明手段１７２,１７９における固定壁１８７,１９１の厚み分だけ透明板３１の裏面から離間するだけで、各透明パネル１７１,１７８が透明板３１の裏面に殆ど当接する位置に近接位置し、更に透明パネル１７１,１７８の裏側には、微小な凹凸状模様が設けられた発光装飾装置９０,１０５,１２０,１４５の各装飾板部９９,１１５,１３７,１６２が位置しているから、左右の照明手段１７２,１７９のＬＥＤ１９７を発光していない状態では、各透明パネル１７１,１７８に形成されている図柄を前側から殆ど視認不可能となり、透明パネル１７１,１７８に図柄が浮き出るように表示された際の意外性を高めることができ、遊技の興趣をより向上することができる。また、前記左右の透明パネル１７１,１７８を組み合わせた際の整合部位を、前記左上部発光装飾装置９０の装飾板部９９と、右上部発光装飾装置１０５の装飾板部１１５とが整合する位置と前後に合う位置となるよう構成したことで、左右の透明パネル１７１,１７８の整合部位が判別し難くでき、遊技盤３０の見栄えを損なうことはない。
【０２６２】
また、実施例における左右の透明パネル１７１,１７８は、両パネル１７１,１７８を組み合わせた状態において、前記裏ユニット５０における箱状本体５１の前側開口を全面的に被覆すると共に、前記透明板３１の貫通口３０ａに略整合する開口領域が画成されるよう形成されて、前記透明板３１を介して前側から視認可能な領域全体に左右の透明パネル１７１,１７８が位置するようになっているから、遊技者の注目が遊技盤３０のどの位置に向けられていたとしても、不意に図柄が浮き出る図柄が見逃されることはない。
【０２６３】
そして、前記左側透明パネル１７１は、前記裏ユニット５０(箱状本体５１)の上下の画壁部５３ａ,５３ｂにより上下の周端面が覆われると共に、該裏ユニット５０(箱状本体５１)の左画壁部５３ｃにより左側周端面が覆われ、該裏ユニット５０(箱状本体５１)に形成された第１および第２仕切り壁７６,７７の左側面により右下端面が覆われている。更に、前記左側透明パネル１７１における前記透明板３１の貫通口３１ａ側の端面は、前記枠状装飾体２００が対向して覆われるようになっている。同様に、右側透明パネル１７８は、前記裏ユニット５０(箱状本体５１)の上下の画壁部５３ａ,５３ｂにより上下の周端面が覆われると共に、該裏ユニット５０(箱状本体５１)の右画壁部５３ｄにより右側周端面が覆われ、該裏ユニット５０(箱状本体５１)に形成された第１および第２仕切り壁７６,７７の右側面により左下端面が覆われている。更に、前記右側透明パネル１７８における前記透明板３１の貫通口３１ａ側の端面は、前記枠状装飾体２００が対向して覆われる。従って、前記左右の透明パネル１７１,１７８の周囲に配設されている前記左右上部および左右側部の発光装飾装置９０,１０５,１２０,１４５や中央発光装飾装置１６７、上部発光演出装置３０２からの直接または間接的な光が、該左右の透明パネル１７１,１７８の外周端面から導入されて前記図柄が浮き出るのを好適に防止できる。
【０２６４】
そして、前記左右の透明パネル１７１,１７８において前記左右の遮蔽部材１７３,１８０遮蔽部材で覆われていない外周端面を覆う部材・構成は、何れも透明パネル１７１,１７８の外周端面の遮光のために専用で設けられるものではなく、遊技盤３０を構成する必要構成部材・構成であるから、コストが増大することはない。また、前記左右の照明手段１７２,１７８は、前記左右の透明パネル１７１,１７８の前面側に重なる遮蔽壁１８９,１９３を備えて、該左右の透明パネル１７１,１７８にの端面に光を照射するＬＥＤ１９７の前側を遮蔽するよう構成してあるから、該ＬＥＤ１９７の光が透明板３１から前面側に直接照射されるのを防止できる。
【０２６５】
また、前記右側照明手段１７９は、前記右側透明パネル１７８において前記裏ユニット５０における上固定部５４に重なって位置する部位に向けて光を照射する第２右パネル用ＬＥＤ基板１８４を備えて、該第２右パネル用ＬＥＤ基板１８４のＬＥＤ１９７が右側透明パネル１７８の傾斜端面に対向している。従って、前記第２右パネル用ＬＥＤ基板１８４のＬＥＤ１９７を発光した際には、前記右側透明パネル１７８の傾斜端面から導入された光により、該パネル１７８において前記上固定部５４に重なる部位に形成された図柄を明輝させることができる。すなわち、前記中枠１２に設けられた球タンク２６と前後に重なるために前後の寸法を確保し得ない遊技盤３０の上部位置(上固定部５４)であっても、図柄が浮き出るよう表示される演出が可能となり、遊技盤３０の全体的な装飾性や演出性の向上が図られる。
【０２６６】
また、前記透明板３１の貫通口３１ａに配設された前記枠状装飾体２００は、該透明板３１の後方へ突出する前記上部外周壁２２５が前記左右の透明パネル１７１,１７８における貫通口３１ａ側の側端面に対向するようになっている。このため、前記左側照明手段１７２における左パネル用ＬＥＤ基板１７４のＬＥＤ１９７を発光した際に、前記左側透明パネル１７１の右側端面に透過した光が、前記枠状装飾体２００の上部外周壁２２５を介して前記第１内周壁２３０に照射されると共に、前記右側照明手段１７９における第１右パネル用ＬＥＤ基板１８２のＬＥＤ１９７を発光した際に、前記右側透明パネル１７８の左側端面に透過した光が、該枠状装飾体２００の上部外周壁２２５を介して第１内周壁２３０に照射され、当該枠状装飾体２００の第１内周壁２３０を明輝されるから、該枠状装飾体２００の装飾性が向上し、遊技の興趣が高められる。
【０２６７】
特に、前記枠状装飾体２００の第１内周壁２３０は、前記図柄表示装置１９の表示面１９ａが臨む窓口２００ａを画成しているから、遊技者の視界に枠状装飾体２００の第１内周壁２３０が入りやすいため、該第１内周壁２３０が明輝されることで、装飾性の向上を効果的に図り得る。また、前記枠状装飾体２００の第１内周壁２３０が明輝される際には、前記左右の透明パネル１７１,１７８に形成された図柄も浮き出るように表示されるため、遊技盤３０の装飾性が一段と向上される。
【０２６８】
そして、前記枠状装飾体２００の第１内周壁２３０を照明する前記左右の照明手段１７２,１７９は前記裏ユニット５０に配設されており、該第１内周壁２３０を照明する独立の照明手段を枠状装飾体２００に設ける必要はないから、枠状装飾体２００の窓口２００ａが小さくなることはない。また、実施例では、前記第１内周壁２３０に光を照明する左パネル用ＬＥＤ基板１７４を、前記箱状本体５１の左端側(左画壁部５３ｃと左上部および左側部発光装飾装置９０,１２０との間)に設けた第１基板収容空間８６に配設すると共に、前記第１右パネル用ＬＥＤ基板１８２を、箱状本体５１の右端側(右画壁部５３ｄと右上部および右側部発光装飾装置１０５,１４５との間)に設けた第２基板収容空間８７に配設したことで、枠状装飾体２００の窓口２００ａを大きくすることができ、大型の図柄表示装置１９を採用することができる。
【０２６９】
(上部発光演出装置について)
前記上部発光演出装置３０２を組付けるに際しては、先ず始めに、前記円盤状ベース部材３２８の嵌合収容部３３４に前記前方発光ＬＥＤ基板３４１を収容させる。このとき、前方発光ＬＥＤ基板３４１は、該基板３４１の外周縁が嵌合収容部３３４の内周縁に略合致した状態で収容される。また、前方発光ＬＥＤ基板３４１の後面に設けた前記第１中継線用コネクタ受け部３４１ｃ,３４１ｃおよび接続線用コネクタ受け部３４１ｄが前記ベース基板３３２に設けた各コネクタ用開口部３３９を介してベース基板３３２の後面に臨む。次に、前記側方発光ＬＥＤ基板３４３の後部を各光源保持部３４０に収容させ、該側方発光ＬＥＤ基板３４３の第２中継線用コネクタ受け部３４３ａを前記コネクタ用開口部３３９に臨ませる。
【０２７０】
また、前記光通過部材３２９を前記円盤状ベース部材３２８に前側から嵌め込んで、光通過部材３２９を嵌合収容部３３４に収容させる。このとき、前記光通過部材３２９の円状壁部３５５の外周面が前記収容壁部３３３の内周面に略一致して、光通過部材３２９は、嵌合収容部３３４に整合状態で略全体が嵌め込まれる。また、光通過部材３２９の円状壁部３５５の後端縁が前記嵌合収容部３３４に収容された前方発光ＬＥＤ基板３４１の外縁部に当接し、前方発光ＬＥＤ基板３４１が円盤状ベース部材３２８および光通過部材３２９に挟持される。すなわち、前方発光ＬＥＤ基板３４１が嵌合収容部３３４にしっかりと保持されて、前記文字用ＬＥＤ３４２を適正な位置に設置することができる。また、光通過部材３２９の各壁面凹状部３５５ｂにより、光通過部材３２９を嵌合収容部３３４に収容する際に前記光源保持部３４０および側方発光ＬＥＤ基板３４３と干渉することはない。更に、光通過部材３２９を嵌合収容部３３４に嵌め込んだ際に、各収容孔部３５７の光案内壁３５９が前方発光ＬＥＤ基板３４１の前側に臨み、該収容孔部３５７が対応の文字用ＬＥＤ３４２を前側から囲うように収容する(図４５,図４１参照)。
【０２７１】
光通過部材３２９を嵌合収容部３３４に嵌め込んだ際に、前記光源収容部３５６が対応する側方発光ＬＥＤ基板３４３を前側から収容し、該基板３４３が前記光源保持部３４０および光源収容部３５６により挟持される。これにより、側方発光ＬＥＤ基板３４３が適正な配置姿勢で確実に保持され、該基板３４３に設けられた前記パネル用ＬＥＤ３４４が適正方向を指向する。また、各パネル用ＬＥＤ３４４は、前記保持壁部３６０に設けた光通過孔３６２に臨んで、該光通過孔３６２を介して収容凹部３６１を指向する(図４１参照)。すなわち、各パネル用ＬＥＤ３４４は、側方発光ＬＥＤ基板３４３が前記光源保持部３４０および光源収容部３５６により挟持されることで照射方向が規定され、上下および左右のパネル用ＬＥＤ３４４,３４４が相互に対向して、光を十字状に照射させる。
【０２７２】
次に、前記光通過部材３２９の収容凹部３６１に前記光反射シート３６３を収容させ、該シート３６３の前側から前記円形透明パネル３２６を収容凹部３６１に嵌め込む。円形透明パネル３２６は、収容凹部３６１を画成する保持壁部３６０の内周面形状と合致する外形をなしており、円形透明パネル３２６の側端面が保持壁部３６０の内周面に略整合する。従って、前記円形透明パネル３２６が収容凹部３６１内にしっかりと保持されて、該円形透明パネル３２６がガタつくのを抑制し得る。前記収容凹部３６１に収容された円形透明パネル３２６に対し、前記パネル用ＬＥＤ３４４が光通過孔３６２を介して該円形透明パネル３２６の側端面に対向する。これにより、円形透明パネル３２６に対しパネル用ＬＥＤ３４４の光が確実に照射される。すなわち、収容凹部３６１内に安定的に収容された円形透明パネル３２６に対し、各パネル用ＬＥＤ３４４の光が適正な方向から照射されるので、該円形透明パネル３２６によって光を前方へ正確に反射させることができる。しかも、上下左右に対向する４つのパネル用ＬＥＤ３４４,３４４,３４４,３４４により光が一斉に照射されるので、円形透明パネル３２６に光がバランスよく照射されて、陰影のない光の円の図柄を前方へ反射することができる。なお、図４６に示すように、収容凹部３６１に収容された円形透明パネル３２６の前端面は、前記保持壁部３６０の前端縁と略一致する。
【０２７３】
次いで、前記演出カバー部材３２７を円盤状ベース部材３２８に対し前側から覆うように組付ける。すなわち、外縁装飾部３６６の後面に設けた各位置決め固定ボス３６６ａを、円盤状ベース部材３２８の対応する案内凹部３３８に沿って後方へ組付け、該固定ボス３６６ａの後端を前記外側ボス受け部３３７に嵌合させる。そして、前記位置決め固定ボス３６６ａを前記外側ボス受け部３３７にネジ止めすることで、演出カバー部材３２７が円盤状ベース部材３２８に取付けられる。ここで、前記外側ボス受け部３３７,３３７,３３７は、前記ベース基板３３２の後面に非正三角形状に配置されると共に、前記外縁装飾部３６６の位置決め固定ボス３６６ａ,３６６ａ,３６６ａも外側ボス受け部３３７,３３７,３３７に対応して非正三角形状に配置されている。従って、演出カバー部材３２７を円盤状ベース部材３２８に対し、常に適正な態様で設置することができる。また、外縁装飾部３６６の各位置決め固定ボス３６６ａの側面が対応の案内凹部３３８に臨んだ状態で該固定ボス３６６ａがネジ止めされるので、演出カバー部材３２７が確実に円盤状ベース部材３２８に取付けられる。なお、外縁装飾部３６６の位置決め固定ボス３６６ａや円盤状ベース部材３２８の外側ボス受け部３３７を各部材の外側に設けたので、演出カバー部材３２７および円盤状ベース部材３２８の間のスペースを有効に利用することができる。なお、前記位置決め固定ボス３６６ａは外縁装飾部３６６の後面に設けたので、該固定ボス３６６ａが前側から視認されることはない。また、円盤状ベース部材３２８の外側ボス受け部３３７は、外縁装飾部３６６により前側が覆われるので、該ボス受け部３３７についても前側から視認され難くなっている。
【０２７４】
ここで、前記演出カバー部材３２７を円盤状ベース部材３２８に取付けた際に、図４１に示すように、前記環状当接リブ３６７の後端縁が収容壁部３３３の前端縁に当接し、演出カバー部材３２７が安定的に円盤状ベース部材３２８に取付けられる。しかも、演出カバー部材３２７を円盤状ベース部材３２８に組付けた際に、同一面上に揃う前記円形透明パネル３２６の前端面および保持壁部３６０の前端縁に演出カバー部材３２７の各当接押え部３６８が前側から当接するので、円形透明パネル３２６が光反射シート３６３と共に演出カバー部材３２７および光通過部材３２９で挟持される(図４６参照)。従って、透明パネル３２６が収容凹部３６１内で確実に保持されて、該透明パネル３２６がガタついたり、位置ズレが生ずるのを防止し得る。しかも、光通過部材３２９の保持壁部３６０が当接押え部３６８により押えられるので、該光通過部材３２９が円盤状ベース部材３２８の嵌合収容部３３４に安定的に保持される。
【０２７５】
このように、上部発光演出装置３０２は、ベース部材３２８に嵌め込まれた光通過部材３２９の収容凹部３６１に対し、円形透明パネル３２６を更に嵌め込んで収容する構成としたので、各部材を前後方向にコンパクトに組付けることができ、上部発光演出装置３０２の前後の寸法を小さくし得る。また、前方発光ＬＥＤ基板３４１や円形透明パネル３２６は、ネジ止めすることなく組付けられるので、組付工程が少なくなってコストを低廉にし得ると共に、別途固定部材等を要しない。また、光通過部材３２９の収容孔部３５７を、光通孔３５８および光案内壁３５９で構成したので、前記保持基板３４５を肉厚にして収容孔部３５７を形成した場合に比べ、光通過部材３２９の軽量化を図り得る。
【０２７６】
ここで、前記ベース基板３３２の後面から突出する前記第１中継線用コネクタ受け部３４１ｃおよび第２中継線用コネクタ用コネクタ受け部３４３ａには、中継線３０２ｃのコネクタ差込み部３０２ｄが接続され、該中継線３０２ｃは前記ベース基板３３２のベース固定ボス３３５,３３５,３３５に巻き掛けられて纏められる。同様に、前記ベース基板３３２の後方に臨む接続線用コネクタ受け部３４１ｄに連結線３０２ａのコネクタ差込み部３０２ｂが接続され、該連結線３０２ａは中央下部のベース固定ボス３３５に巻き掛けられて纏められる。
【０２７７】
次いで、上部発光演出装置３０２を前記取付ベース３０１に取付ける。すなわち、ベース基板３３２の各ベース固定ボス３３５を演出装置固定部３２０の対応するボス受け孔３２１ａに嵌合させて、演出装置固定部３２０に上部発光演出装置３０２をネジ止めする。このとき、図４１に示すように、ベース基板３３２の後面が前記ベース固定ボス３３５の突出長さだけ前記演出装置固定部３２０の設置面３２１から離間して、該ベース基板３３２の後面と設置面３２１との間に配線スペース３３６が画成される。そして、この配線スペース３３６内に前記ベース固定ボス３３５,３３５,３３５に巻き掛けた中継線３０２ｃおよび連結線３０２ａを収容することができる。従って、上部発光演出装置３０２を取付ベース３０１に固定する際に、中継線３０２ｃや連結線３０２ａが邪魔とならず、設置作業が効率的となる。しかも、中継線３０２ｃや連結線３０２ａは、ベース固定ボス３３５,３３５,３３５に巻き掛けられた状態で保持されるので、これらの配線３０２ｃ,３０２ａがほつれて上部発光演出装置３０２の側方から露出して、演出ユニット２０１の見栄えが悪くなるのを防止し得る。
【０２７８】
前記演出装置固定部３２０の設置面３２１は傾斜しているため、該演出装置固定部３２０に取付けられた上部発光演出装置３０２(円盤状ベース部材３２８)は斜め下方を指向した状態で取付ベース３０１に取付けられる。すなわち、円盤状ベース部材３２８の後面は、下方に向けて後方傾斜した姿勢となる。また、前記ベース固定ボス３３５,３３５,３３５は、円盤状ベース部材３２８の後面の上側に偏倚して配設されると共に、演出装置固定部３２０は、取付べース３０１(中カバー体３１９)の下部側に偏倚して設けられている。そのため、上部発光演出装置３０２を演出装置固定部３２０に取付けた際に、該円盤状ベース部材３２８の下部側が取付ベース３０１から下方へ突出した状態となる。従って、上部発光演出装置３０２は、ベース基板３３２の後面の略下半分が取付ベース３０１の後方へ臨んだ状態となり(図３８,図４１参照)、前記連結線３０２ａを取付ベース３０１の後方へ容易に引き出すことができる。そして、取付ベース３０１の後方へ引き出した前記連結線３０２ａを、取付ベース３０１の後面に設けた演出ユニット中継基板３１１の大型コネクタ受け部３１３に下方から接続する。すなわち、前記連結線３０２ａは、上部発光演出装置３０２の後方側で引き回されるので、該連結線３０２ａを前側から視認不能として、上部発光演出装置３０２の見栄えをよくし得る。
【０２７９】
次いで、前記取付ベース３０１の左右のケース体取付凹部３０７,３０７に、可動演出装置３０３,３０３を取付け、演出ユニット２０１が完成される。このとき、図３６に示すように、取付ベース３０１に取付けられた可動演出装置３０３は、前記箱状ケース体３７０の後部が該取付ベース３０１から後方へ突出した状態となる。そして、各可動演出装置３０３から導出する配線３０３ａをベース体３０４の後面に沿って側方へ引き回し、該配線３０３ａのコネクタ差込み部３０３ｂを前記演出ユニット中継基板３１１の対応のコネクタ受け部(左用コネクタ受け部３１４または右用コネクタ受け部３１５)に接続する。すなわち、各可動演出装置３０３の配線３０３ａは、ベース体３０４の後方で引き回されて演出ユニット中継基板３１１に接続されるので、該配線３０３ａが前側から視認されることがなく、演出ユニット２０１の見栄えをよくし得る。
【０２８０】
(枠状装飾体について)
次に、枠状装飾体２００の各部材を組付ける場合について説明する。下枠体２０３については、先ず始めに、下枠ベース部材２４３に下枠装飾カバー２４２を取付ける。このとき、図２６に示すように、中央カバー部２４７の両カバー係合片２４９,２４９を、夫々、左側カバー部２４６および右側カバー部２４８の後面下縁部に係止させる。また、左側カバー部２４６および右側カバー部２４８の係合片２４９,２４９が、夫々、中央カバー部２４７の後面上縁部に係合する。すなわち、左側カバー部２４６および右側カバー部２４８は、夫々、中央カバー部２４７と相互にカバー係合片２４９,２４９が係止することで、下枠装飾カバー２４２全体が強固に連結される。従って、枠状装飾体２００を透明板３１に取付けた際に、中央カバー部２４７の球出口２５０は、透明板３１の適正な位置(前記上部始動入賞口４０ａの真上)で確実に開口する。
【０２８１】
次いで、ステージ形成部材２４４を下枠ベース部材２４３のステージ取付部２６２に前方へスライドさせて、該ステージ形成部材２４４を下枠ベース部材２４３に組付ける。このとき、前記ステージ形成部材２４４の外方案内片２７９,２７９が、前記下枠ベース部材２４３の両案内切欠２６１,２６１に沿って案内され、ステージ形成部材２４４がスムーズに下枠ベース部材２４３に組付けられる。次いで、前記ステージ形成部材２４４の後方から前記壁部材２４５を組付ける。すなわち、図２５に示すように、壁部材２４５の位置決め孔２４５ｂ,２４５ｂにステージ形成部材２４４の位置決めボス２７３,２７３を挿通させて、該壁部材２４５がステージ形成部材２４４に組付けられる。
【０２８２】
このとき、図２８に示すように、壁部材２４５の後水平通路２８３が前水平通路２５９に連通し、壁部材２４５の垂直通路２８９と共にＬ字型通路２９１が形成される。しかも、壁部材２４５は、垂直通路２８９および後水平通路２８３を挟む両側に設けたボス受け部２４５ａ,２４５ａにステージフランジ部２７２の固定ボス２７２ｃ,２７２ｃが嵌合して位置決めされると共に、壁部材２４５の位置決め孔２４５ｂ,２４５ｂにステージ形成部材２４４の位置決めボス２７３,２７３が挿通されて位置決めされる。従って、後水平通路２８３(垂直通路２８９)および前水平通路２５９の確実な連通関係が達成されて、前記Ｌ字型通路２９１によりパチンコ球を球出口２５０へ正確に案内することができる。
【０２８３】
このように、下枠装飾カバー２４２、下枠ベース部材２４３、ステージ形成部材２４４および壁部材２４５を組付けて、下枠体２０３が完成される。下枠体２０３を上枠体２０２に組付けるに際は、先ず始めに、下枠ベース部材２４３に設けた左右の固定片２６３,２６３を前記後枠部材２０５の下枠取付面２２２,２２２に臨ませる。すなわち、固定片２６３の固定筒状部２６４に前記後枠部材２０５の取付突起２２３を挿入して、固定片２６３を下枠取付面２２２に当接させる。このとき、前記下枠ベース部材２４３の各当接片部２６７が庇状部外周壁２１９の内面に案内されると共に、該当接片部２６７が庇状部外周壁２１９の内面に当接した状態となる。また、前記当接片部２６７の上端縁が前記庇状部外周壁２１９の下枠係止片２２１に臨むと共に、庇状部外周壁２１９の下端縁が固定片２６３の係合突起２６８に係止し、固定片２６３が適正に位置決めされる。
【０２８４】
次いで、図２９に示すように、前記球通路部２７４の通路取付片２９６を前記固定片２６３の固定凹状部２６５に臨ませ、該球通路部２７４の固定用通孔２９７を固定片２６３に設けた凹状部挿通孔２６６に整合させる。この状態で、図３０に示すように、前枠部材２０６の通路固定ボス２３４を固定用通孔２９７および凹状部挿通孔２６６に挿通させて、該通路固定ボス２３４を球通路固定孔２２４に整合させる。そして、これら通孔２９７,２６６,２２４を介して通路固定ボス２３４をネジ止めすることで、後枠部材２０５および前枠部材２０６が組付けられて上枠体２０２が形成されると共に、該上枠体２０２および下枠体２０３が球通路部２７４と共に組付けられ、枠状装飾体２００が完成する。このように、上枠体２０２および下枠体２０３を組付けて、枠状装飾体２００を球通路部２７４を備えた状態で１つのユニットとして取扱うことができ、枠状装飾体２００の透明板３１への取付が容易となる。
【０２８５】
また、上枠体２０２および下枠体２０３は、左右の固定片２６３,２６３を挟持したもとで組付けられるので、両者の連結強度を向上し得る。しかも、上枠体２０２および下枠体２０３の組付けと同時に球通路部２７４,２７４を一挙に取付けることができ、組付作業の効率を向上し得る。また、球通路部２７４は、通路取付片２９６が固定片２６３および前枠部材２０６に挟持して取付けられるので、球通路部２７４を容易かつ強固に組付けることができる。
【０２８６】
ここで、前枠部材２０６を後枠部材２０５に組付けた際に、装飾フランジ部２３５の後面が前記側方フランジ部２１０の突状片２１１,２１１の前端に当接して、球通過ゲート２３６が画成される。そして、球検出センサ２１３をセンサ取付口２１２に後方から挿通して、該球検出センサ２１３の前端面をセンサ支持面２３７に当接させる。すると、後枠部材２０５に設けたフック部２１６が球検出センサ２１３の後部に係合して、球検出センサ２１３がセンサ取付口２１２に取付けられる(図１７参照)。
【０２８７】
また、前枠部材２０６および後枠部材２０５を組付けた際に、該前枠部材２０６の央部内周壁２４０および後枠部材２０５の上部外周壁２２５により第２配線通路２４１が画成される。そして、前記センサ取付口２１２に取付けた球検出センサ２１３の配線２１３ａを、図２３に示すように、後枠部材２０５の配線連通路２１８を介して第１配線通路２３１へ挿通させる。更に、第１配線通路２３１から第２配線通路２４１を挿通させて、球検出センサ２１３の配線２１３ａを上枠体２０２の上部略中央位置まで案内し、前記第１通出切欠２２７(配線通出口３２３)を介して透明板３１の後方へ引き出される。このように、枠状装飾体２００に球検出センサ２１３の配線２１３ａを挿通する第１,第２配線通路２３１,２４１を設けたので、該配線２１３ａを枠状装飾体２００や他の周辺部材に引っ掛けることなく効率よく取り回して透明板３１の後方へ引出すことができる。しかも、第１配線通路２３１および第２配線通路２４１の前方は、前枠装飾部２３３や上枠装飾カバー２０７で覆われるので、両配設通路２３１,２４１に挿通された配線２１３ａが遊技者側から視認されることはなく、枠状装飾体２００の見栄えをよくし得る。しかも、第２配線通路２４１は、後枠部材２０５および前枠部材２０６を組付けることで画成されるので、第２配線通路２４１を構成する部材を枠状装飾体２００に別途設ける必要がなく、コストを低廉にし得る。
【０２８８】
次に、枠状装飾体２００の上部に、前記演出ユニット２０１を取付ける。すなわち、前記中カバー体３１９の突出取付部３２２を後枠部材２０５の取付凹部２２６に臨ませ、前記上部装飾カバー３０５を該後枠部材２０５にネジ止めすることで、演出ユニット２０１が枠状装飾体２００に取付けられる。前記枠状装飾体２００に取付けられた前記演出ユニット２０１は、該枠状装飾体２００の窓口２００ａに臨んで、前側から視認可能となる。そして、演出ユニット２０１を取付けた状態で、前記枠状装飾体２００が透明板３１の貫通口３１ａに取付けられる。このように、枠状装飾体２００に演出ユニット２０１を設けることで、前記図柄表示装置１９の表示面１９ａの周囲をより効果的に装飾することができ、演出効果の向上を図り得る。
【０２８９】
ここで、枠状装飾体２００を透明板３１に組付けた際に、前記壁部材２４５の通路形成部２８８が前記シャッター装置５００に取付けられた飾り部材５９７の第２位置決め凹部６０５に臨むようになっており、壁部材２４５が飾り部材５９７により位置決めされるよう構成される。また、ステージ形成部材２４４の位置決めボス２７３,２７３の後端が、壁部材２４５の位置決め孔２４５ｂ,２４５ｂから突出して飾り部材５９７に設けた位置決め挿通孔６０６,６０６に挿通するようになっている(図２５参照)。すなわち、壁部材２４５は、飾り部材５９７により後方から位置決めされて、前記垂直通路２８９(後水平通路２８３)および前水平通路２５９がより確実に連通することとなる。しかも、ステージ形成部材２４４の位置決めボス２７３,２７３を介して壁部材２４５および飾り部材５９７が位置決めされるので、組付作業が容易になると共に、両者の適正な位置関係を保持し得る。しかも、共通の位置決めボス２７３,２７３を利用することで、部品点数を少なくしてコストを低廉にし得る。
【０２９０】
(上部発光演出装置の発光演出について)
次に、上部発光演出装置３０２の発光演出について説明する。先ず始めに、前記制御装置７００により各パネル用ＬＥＤ３４４が発光すると、前記光通過孔３６２を介して各パネル用ＬＥＤ３４４の光が円形透明パネル３２６の側端面に４方向から照射される。すると、円形透明パネル３２６の側端面から入射した光が、該パネル３２６の後面に設けた微小な凹凸により反射されて、全体として淡い光の円(図柄)が前方へ照射される。また、前記光反射シート３６３によってパネル用ＬＥＤ３４４の光の一部(円形透明パネル３２６を透過した光や該パネル３２６で後方へ反射された光)が反射されて、前方へ淡い光の円が照射される。この光の円が前記演出カバー部材３２７のカバー前面３６５を透過することで、図４７に示すように、該カバー前面３６５に淡い光の円が浮かび上がるように投影され、趣向に富んだ発光演出が行なわれる。
【０２９１】
一方、前記制御装置７００が前記文字用ＬＥＤ３４２を一斉に発光させると、該ＬＥＤ３４２の光が前方へ照射される。このとき、収容孔部３５７は、光通孔３５８の開口前端縁３５８ａが文字用ＬＥＤ３４２の前方に位置して、該収容孔部３５７(光案内壁３５９)によって文字用ＬＥＤ３４２を前側から囲うように収容されている。従って、文字用ＬＥＤ３４２の光が収容孔部３５７の光案内壁３５９により案内され、該文字用ＬＥＤ３４２の光は、光案内壁３５９を通過することで、収容孔部３５７(光通孔３５８)の開口輪郭形状に沿った形状の光(すなわち、「天」の文字)となる。これにより、演出カバー部材３２７のカバー前面３６５に光の「天」の文字が浮かび上がるように投影させることができる。しかも、収容孔部３５７により文字用ＬＥＤ３４２を収容することで、他の光が収容孔部３５７内に侵入するのを防止して、明瞭な光の文字をカバー前面３６５に投影させることができる。しかも、収容孔部３５７を「天」の文字の一画ずつに対応して設けたので、複数画の「天」の文字のような複雑な図柄であっても、はっきりとカバー前面３６５に投影させることができる。更に、収容孔部３５７の交差部分には、文字用ＬＥＤ３４２が設けられていないので、「天」の文字の交差部分がぼんやりと投影されてしまうことがなく、「天」の文字を一画ずつ明瞭に投影させ得る。更にまた、収容孔部３５７(光案内壁３５９)の内側面は、光反射処理が施されているので、収容孔部３５７を通過する光が減衰されることがなく、カバー前面３６５に「天」の文字をはっきりと投影させることができる。
【０２９２】
また、前記制御装置７００が各収容孔部３５７に収容される文字用ＬＥＤ３４２毎に発光制御した場合、前記カバー前面３６５に「天」の文字を一画毎に投影させることができる。従って、例えば、「天」の文字を書き順に沿って一画ずつ投影させていくような興趣に富んだ発光演出が可能となる。この場合においても、収容孔部３５７が文字用ＬＥＤ３４２を前側から収容していることから、発光していない文字用ＬＥＤ３４２を収容する収容孔部３５７に、他の収容孔部３５７に収容されて発光した文字用ＬＥＤ３４２の光が侵入するのが抑制される。更に、パネル用ＬＥＤ３４４および文字用ＬＥＤ３４２を同時に発光させれば、図４５に示すように、カバー前面３６５に投影される淡い光の円の中に「天」の文字を投影させることができ、興趣の富んだ発光演出が可能となる。
【０２９３】
このように実施例に係る上部発光演出装置３０２によれば、カバー前面３６５に各種の図柄(淡い光の円や「天」の文字)を投影させることができ、興趣に富んだ発光演出を行ない得る。しかも、実施例の円形透明パネル３２６では、後面全体に設けた凹凸により該パネル３２６で光を反射させる構成としたので、該パネル３２６の形状である円形の光を反射することができる。なお、演出カバー部材３２７をハーフミラーで構成することで、該カバー部材３２７に覆われた内部を視認不能として、上部発光演出装置３０２の美感を向上し得る。しかもカバー前面３６５につや消し加工が施されているので、該前面３６５に遊技者の顔等が映り込み難くなり、遊技者が遊技に専念することができる。更に、つや消しによってカバー前面３６５に投影される図柄が明瞭となって、鮮明な図柄を発光表示することができる。
【０２９４】
(シャッター部材の開閉について)
前記裏ユニット５０に配設される前記シャッター装置５００は、図５０および図５１に示す如く、左右のシャッター部材５３２,５３３が何れも遮蔽位置に臨んで、前記表示空間５０１の全体を遮蔽しているものとする。シャッター装置５００は、前記図柄表示装置１９の表示面１９ａで実施される図柄変動ゲームに応じて前記左右の駆動モータ５６１,５６３が正逆回転されて、所要の動作演出が行なわれる。すなわち、左右の駆動モータ５６１,５６３が対応する左右の作動部材５６０,５６２を開放方向に揺動するよう回転すると、前記各駆動歯車５７６と対応する従動歯車５６５との噛合作用下に、左作動部材５６０は枢軸５６４を支点として左方に揺動し、右作動部材５６２は枢軸５６４を支点として右方に揺動する。そして、左右の作動部材５６０,５６２の揺動によって、対応する左右のシャッター部材５３２,５３３が開放位置に向けて移動する。なお、前述したように左右のシャッター部材５３２,５３３は左右対称であるので、左シャッター部材５３２および該左シャッター部材５３２を作動させる左作動手段５５８の作用について主に説明し、必要な場合に右シャッター部材５３３および該右シャッター部材５３３を作動させる右作動手段５５９の作用を併せて説明する。
【０２９５】
すなわち、前記左作動部材５６０が左方に揺動するのに伴い、該左作動部材５６０に連繋されている前記後左遮蔽板５３６が後の上下レール溝５１５,５２４に沿って左方に移動され、これにより前記表示空間５０１の左右方向の中央部が開放される。そして、後左遮蔽板５３６における下部前閉鎖用係合片５４２が中左遮蔽板５３５における下部裏開放用係合片５４５に右側から係合すると、該後左遮蔽板５３６の前側に重なった状態の中左遮蔽板５３５が中の上下レール溝５１４,５２３に沿って左方に移動され、表示空間５０１の開放領域が広がる。更に、後左遮蔽板５３６の前に重なった状態で移動する中左遮蔽板５３５における下部前閉鎖用係合片５４２が前左遮蔽板５３４における下部裏開放用係合片５４５に右側から係合すると、該中左遮蔽板５３５の前側に重なった状態の前左遮蔽板５３４が前の上下レール溝５１３,５２２に沿って左方に移動され、表示空間５０１の開放領域が更に広がる。
【０２９６】
前記後左遮蔽板５３６の検出片５４６が対応する左側の検出手段５４７で検出されると、前記左駆動モータ５６１が停止され、前記左シャッター部材５３２の３枚の左遮蔽板５３４,５３５,５３６は前後に重なり合った状態で、前記左シャッター収納部材５０７の収納空間に収納された開放位置で停止される(図５２,図６６参照)。左シャッター収納部材５０７の収納空間に移動した各左遮蔽板５３４,５３５,５３６は、該左シャッター収納部材５０７の側板５２６に設けた緩衝部材５３１に当接して支持されるから、該左遮蔽板５３４,５３５,５３６が開放位置に移動した際の衝撃が緩衝部材５３１で吸収・緩和され、損傷等の不具合が生ずるのを防止し得る。また、３枚の左遮蔽板５３４,５３５,５３６が開放位置に臨む状態では、該左遮蔽板５３４,５３５,５３６は左シャッター収納部材５０７の左端縁(表示空間５０１側の端縁)から右方に突出しておらず、表示空間５０１の左半分の全体が開放する(図５２参照)。また、右シャッター部材５３３の３枚の右遮蔽板５３７,５３８,５３９が開放位置に臨む状態においても、該右遮蔽板５３７,５３８,５３９は右シャッター収納部材５０８の右端縁(表示空間５０１側の端縁)から左方に突出しておらず、表示空間５０１の右半分の全体が開放する。すなわち、左右のシャッター部材５３２,５３３が何れも開放位置に臨むことで、図５３に示す如く、前記ベース枠体５０２に画成される表示空間５０１は全体的に開放される。また、前述したように表示空間５０１は裏ユニット５０の開口部５２ａ略整合する大きさおよび形状に設定されているから、左右のシャッター部材５３２,５３３を開放位置に移動した際には、裏ユニット５０における開口部５２ａの裏側に臨む前記図柄表示装置１９の表示面１９ａを全体的に開放することができ、左右のシャッター部材５３２,５３３が表示面１９ａで行なわれる演出の妨げとなることはない。
【０２９７】
前記開放位置に臨む左シャッター部材５３２の後左遮蔽板５３６に連繋する左作動部材５６０が左駆動モータ５６１の回転により前記枢軸５６４を支点として右方に向けて揺動すると、後左遮蔽板５３６が後の上下レール溝５１５,５２４に沿って左シャッター収納部材５０７の収納空間から右方に移動して前記表示空間５０１が左側から徐々に遮蔽される。この後左遮蔽板５３６における上下の前閉鎖用係合片５４１,５４２が開放位置の中左遮蔽板５３５における上下の裏閉鎖用係合片５４３,５４４に左側から係合すると、後左遮蔽板５３６の移動に伴って該左遮蔽板５３６の左側に連なった状態で中左遮蔽板５３５も右方に中の上下レール溝５１４,５２３に沿って移動し、前記表示空間５０１は該中左遮蔽板５３５で徐々に遮蔽される。更に、中左遮蔽板５３５における上下の前閉鎖用係合片５４１,５４２が前左遮蔽板５３４における上下の裏閉鎖用係合片５４３,５４４に左側から係合すると、中左遮蔽板５３５の移動に伴って該中左遮蔽板５３５の左側に連なった状態で前左遮蔽板５３４も右方に前の上下レール溝５１３,５２２に沿って移動し、前記表示空間５０１は該前左遮蔽板５３４で徐々に遮蔽される。
【０２９８】
前記左駆動モータ５６１は、前記検出手段５４７で検出片５４６を検出した位置を原点として、予め設定されている回転角度だけ回転したときに停止し、このとき左シャッター部材５３２の後左遮蔽板５３６の右側端縁は、表示空間５０１の左右方向の中央に到来し、該表示空間５０１の左半分が遮蔽される。同様に、前記右駆動モータ５６３は、前記検出手段５４７で検出片５４６を検出した位置を原点として、予め設定されている回転角度だけ回転したときに停止し、このとき右シャッター部材５３３の後右遮蔽板５３９の左側端縁は、表示空間５０１の左右方向の中央に到来し、該表示空間５０１の右半分が遮蔽される。そして、後の左右遮蔽板５３６,５３９の対向する側端縁および前記当接面５５２,５５５が表示空間５０１の左右方向の中央で当接した際に、後の左右遮蔽板５３６,５３９に設けた永久磁石５５３,５５６が磁着することで、側端縁および当接面５５２,５５５が当接状態で保持される(図５１参照)。なお、左右の駆動モータ５６１,５６３における後の左右遮蔽板５３６,５３９を遮蔽位置に向けて移動するために設定される回転角度は、両左右遮蔽板５３６,５３９の側端縁が確実に当接するように、各側端縁が左右方向の中央から僅かに他方の領域に移動するよう設定されている。また、両左右遮蔽板５３６,５３９の側端縁が左右方向の中央で当接した状態で更に他方の領域側に移動させようとする駆動モータ５６１,５６３の力は、左右の遮蔽板５３６,５３９と左右の作動部材５６０,５６２との連繋部に設定されるクリアランス等により過負荷とならないようにしてある。
【０２９９】
前記左シャッター部材５３２の遮蔽位置においては、前述したように３枚の左遮蔽板５３４,５３５,５３６が相互に隙間なく左右方向に連なると共に、前左遮蔽板５３４の左側端部が前記左シャッター収納部材５０７の後側に重なって隙間は生じない。同様に、前記右シャッター部材５３３の遮蔽位置においても、３枚の右遮蔽板５３７,５３８,５３９が相互に隙間なく左右方向に連なると共に、前右遮蔽板５３７の右側端部が前記右シャッター収納部材５０８の後側に重なって隙間は生じない。従って、左右のシャッター部材５３２,５３３の遮蔽位置においては、表示空間５０１は全体が遮蔽され、前記裏ユニット５０における開口部５２ａの裏側に臨む図柄表示装置１９の表示面１９ａを全体的に覆うことができる。
【０３００】
前記ベース枠体５０２に配設されている上弧状装飾体５８６の下壁および下弧状装飾体５８８の上壁５８９は、前記左右のシャッター部材５３２,５３３を遮蔽位置に位置決めしたときに、前、中、後の各遮蔽板５３４,５３５,５３６,５３７,５３８,５３９の前側に形成される階段形状に対応する階段状に形成されている。従って、左右のシャッター部材５３２,５３３を遮蔽位置に位置決めしたときには、左右の遮蔽板５３４,５３５,５３６,５３７,５３８,５３９の前側に位置する前記上レール部材５０５の下面および下レール部材５０６における案内部５１９の上面は、何れも上下の弧状装飾体５８６,５８８で略覆われて直に見えない。従って、左右のシャッター部材５３２,５３３で前記表示空間５０１を遮蔽している状態においての見栄えの低下を防止し得る。
【０３０１】
(磁石について)
前述したように、実施例に係るシャッター装置５００では、前記左右の駆動モータ５６１,５６３の駆動により前記左シャッター部材５３２の後左遮蔽板５３６および右シャッター部材５３３の後右遮蔽板５３９が開放位置から遮蔽位置に移動して、夫々の側端縁および当接面５５２,５５５が当接した際に、後の左右遮蔽板５３６,５３９に設けた永久磁石５５３,５５６が磁着することで、側端縁および当接面５５２,５５５が当接状態で保持される。従って、左右の駆動モータ５６１,５６３の駆動により移動した後左遮蔽板５３６および後右遮蔽板５３９の当接時に生ずる反発力により、後の左右遮蔽板５３６,５３９が離間するのを防止できる。すなわち、後左遮蔽板５３６と後右遮蔽板５３９との間に不自然な隙間が生ずるのを防止でき、６枚の遮蔽板５３４,５３５,５３６,５３７,５３８,５３９に施されている装飾により構成される１つの絵柄を綺麗に表示し得る。また、左右のシャッター部材５３２,５３３の遮蔽位置において表示空間５０１における左右方向の中央に隙間を生じないから、図柄表示装置１９の表示面１９ａでの演出との関係で、意図しない演出が隙間から視認されることで演出の低下を招くこともない。
【０３０２】
実施例では、左右のシャッター部材５３２,５３３を遮蔽位置に臨ませた状態で、表示空間５０１を遮蔽している透明合成樹脂製の遮蔽板５３４,５３５,５３６,５３７,５３８,５３９の全体には装飾が施されておらず、装飾が施されていない部分を介して図柄表示装置１９の表示面１９ａで行なわれる図柄組み合わせゲームを遊技者側から視認できる。すなわち、左右のシャッター部材５３２,５３３で表示空間５０１を遮蔽している状態であっても、図柄表示装置１９の表示面１９ａで行なわれる演出を楽しむことができる。一方で、後左遮蔽板５３６および後右遮蔽板５３９において、前記永久磁石５５３,５５６や固定部材５５４,５５７に対応する前面には装飾が施されているから、遊技演出に直接関わりのない永久磁石５５３,５５６や固定部材５５４,５５７が遊技者側から視認されることはなく、シャッター装置５００の意匠性を低下させるのを防止し得る。
【０３０３】
(検出片について)
前記左側の検出手段５４７で検出される後左遮蔽板５３６の検出片５４６は、図５１に示す如く、該後左遮蔽板５３６における左端縁の下部において左方に延出するように設けられて、該検出片５４６は、遮蔽位置において左側に隣り合う中左遮蔽板５３５の装飾が施されている部位の裏側に臨むようになっている。すわわち、後左遮蔽板５３６に設けられる検出片５４６は、該後左遮蔽板５３６が遮蔽位置と開放位置の間を移動する間は常に前側に位置する中左遮蔽板５３５で隠れるようになっているから、遊技演出に直接関わりのない検出片５４６が遊技者側から視認されることはなく、左シャッター部材５３２の遮蔽位置での意匠性のみならず該左シャッター部材５３２の作動時における意匠性についても低下することはない。なお、右シャッター部材５３３の検出片５４６についても、左シャッター部材５３２の検出片５４６と左右対称の関係であるから、後右遮蔽板５３９に設けられる検出片５４６は、該後右遮蔽板５３９が遮蔽位置と開放位置の間を移動する間は常に前側に位置する中右遮蔽板５３８で隠れ、遊技演出に直接関わりのない検出片５４６が遊技者側から視認されることはなく、右シャッター部材５３３の遮蔽位置での意匠性のみならず該右シャッター部材５３３の作動時における意匠性についても低下することはない。
【０３０４】
(作動手段について)
前記シャッター装置５００において、左駆動モータ５６１の駆動により揺動される左作動部材５６０は、図５１に示す如く、後左遮蔽板５３６における上下方向の中間に連繋されているから、該後左遮蔽板５３６を介して他の２枚の左遮蔽板５３４,５３５を移動する際に左駆動モータ５６１に加わる負荷を小さくすることができる。すなわち、図柄表示装置１９の大型化に伴い大きな表示空間５０１を開閉するための大きな左遮蔽板を採用した場合であっても、該左遮蔽板５３４,５３５,５３６を出力の小さな左駆動モータ５６１で移動することが可能となり、低コストで図柄表示装置１９の大型化に対応し得る。また、各左遮蔽板５３４,５３５,５３６の上下端部は上下のレール溝５１３,５２２,５１４,５２３,５１５,５２４で案内されるから、該左遮蔽板５３４,５３５,５３６の安定した移動を確保し、左シャッター部材５３２を円滑に開閉することができる。更に、各左遮蔽板５３４,５３５,５３６における４つの角部にロールベアリング５４０を夫々配設したから、左遮蔽板５３４,５３５,５３６と上下のレール部材５０５,５０６との接触抵抗を低減することができ、左駆動モータ５６１に加わる負荷をより低減し得ると共に、左遮蔽板５３４,５３５,５３６の円滑な移動を達成し得る。
【０３０５】
前記左シャッター部材５３２を移動させる左作動部材５６０は、図６２に示す如く、前記後左遮蔽板５３６との連繋部と前記枢軸５６４による枢支部との間に臨む該後左遮蔽板５３６と平行な連繋アーム部５６６が、前記下レール部材５０６に設けた前後のガイド部材５７７,５７８で挟まれた状態で支持されるから、該左作動部材５６０を安定して揺動させることができ、左シャッター部材５３２のより円滑な開閉を達成し得る。しかも、左作動部材５６０は、後左遮蔽板５３６との連繋部においては該後左遮蔽板５３６に設けた前フランジ５７２に左作動部材５６０に突設した突部５７０のみが摺接し、かつ前後のガイド部材５７７,５７８とはリブ５７９,５８２が平坦面に摺接する構成であるから、左作動部材５６０と後左遮蔽板５３６との接触面積は少なく、両者５６０,５３６の摩擦抵抗を小さく抑えて、左遮蔽板５３４,５３５,５３６の円滑な移動に寄与し得ると共に左駆動モータ５６１に加わる負荷をより低減し得る。なお、左作動部材５６０の前面を支持する前ガイド部材５７７の前リブ５７９の後端は、前記下レール部材５０６における案内部５１９の裏面より僅かに後方に延出しているから、左作動部材５６０が案内部５１９に接触して抵抗が増えるのは防止されている。
【０３０６】
前記左作動部材５６０は、図５１に示す如く、左シャッター部材５３２の遮蔽位置において、後左遮蔽板５３６および中左遮蔽板５３５の後側に位置し、かつ両左遮蔽板５３６,５３５における左作動部材５６０の前側に臨む部分には装飾が施されて、左作動部材５６０は遊技者側から視認されないよう構成してあるから、左シャッター部材５３２の遮蔽位置での意匠性が低下することはない。また左作動部材５６０は、図５２に示す如く、左シャッター部材５３２の開放位置において、後左遮蔽板５３６の後側に位置し、かつ該後遮蔽板５３６における左作動部材５６０の前側に臨む部分には装飾が施されて、左作動部材５６０は遊技者側から視認されないよう構成してあるから、左シャッター部材５３２の開放位置での意匠性が低下することはない。更に、左作動部材５６０は、左シャッター部材５３２を遮蔽位置と開放位置との間を移動させる間においても、常に左遮蔽板５３４,５３５,５３６の後側に隠れる形状に形成されているので、当該左シャッター部材５３２の作動時に左作動部材５６０が遊技者側に露出して見栄えが低下するのは防止される。すなわち、左作動部材５６０は、常に左シャッター部材５３２の後側に隠れる構成であるから、左シャッター部材５３２を移動させるための左作動部材５６０に見栄えを良くするための各種装飾を施す必要はなく、製造コストを低減し得ると共に意匠性を低下させることもない。なお、右シャッター部材５３３を移動させる右作動部材５６２についても、右作動部材５６０と同様に、右シャッター部材５３３の遮蔽位置、開放位置および両位置の移動中に何れにおいても、常に右遮蔽板５３７,５３８,５３９の後側に隠れる形状に形成されているので、右作動部材５６２が遊技者側に露出して見栄えが低下することはない。
【０３０７】
(透明保護板について)
前記透明保護板６０９は、左右両端部に設けた複数の前記位置決め突部６１０を、前記左右のシャッター収納部材５０７,５０８に形成されている対応する挿通孔５２８ｃに夫々挿通することで、該透明保護板６０９は左右両端部が前記段部５２８,５２８の段差面５２８ａ,５２８ａの前面に当接した状態で仮に位置決めされる(図６４,図６５,図６６参照)。この状態で、各位置決め突部６１０におけるシャッター収納部材５０７,５０８の前板裏側に臨む位置に臨む通孔６１０ａに挿通したネジを前記保護板用ボス５２９のネジ孔に螺挿することで、透明保護板６０９はシャッター収納部材５０７,５０８間に固定される。すなわち、前記透明板３１の貫通口３１ａと左右のシャッター部材５３２,５３３との間に臨んでパチンコ球から左右のシャッター部材５３２,５３３を保護する透明保護板６０９を、シャッター装置５００を構成するベース枠体５０２に配設してあるから、透明板３１に、透明保護板６０９を位置決めしたり固定する手段を形成する必要はなく、透明板３１の構成を簡略化し得る。また、透明保護板６０９についても、各種部品と干渉しないような複雑な形状とする必要はないから、構造が簡単になって製造コストを低廉に抑えることができる。
【０３０８】
前記透明保護板６０９は、左右のシャッター収納部材５０７,５０８の前面より後方に一段低くなっている段差面５２８ａ,５２８ａに当接する状態で配設されて、左右のシャッター収納部材５０７,５０８の前板５２５,５２５の前面より前方に突出していない。従って、前記裏ユニット５０に透明板３１を配設した際に、該透明板３１に配設されてシャッター部材５０３の前側に臨む前記枠状装飾体２００に、当該透明保護板６０９との干渉を回避するための加工を施す必要はなく、製造コストを低減し得る。また、枠状装飾体２００と透明保護板６０９との干渉を防止するために、透明板３１とシャッター装置５００とを離間させる必要もなく、遊技盤３０の前後寸法が大きくなるのも抑制し得る。
【０３０９】
しかも、実施例ではシャッター装置５００の表示空間５０１を遮蔽および開放するシャッター部材５０３を、３枚の左遮蔽板５３４,５３５,５３６から構成されて表示空間５０１の左半分を遮蔽および開放する左シャッター部材５３２と、３枚の右遮蔽板５３７,５３８,５３９から構成されて表示空間５０１の右半分を遮蔽および開放する右シャッター部材５３３とから構成しているから、各シャッター部材５３２,５３３において３枚の左遮蔽板５３４,５３５,５３６および３枚の右遮蔽板５３７,５３８,５３９を前後方向に重ねた際の前後寸法を小さくできる。すなわち、前後方向に重なった状態の３枚の左遮蔽板５３４,５３５,５３６が開放位置で収納される左シャッター収納部材５０７の収納空間の前後寸法、および前後方向に重なった状態の３枚の右遮蔽板５３７,５３８,５３９が開放位置で収納される右シャッター収納部材５０８の収納空間の前後寸法を小さくし得る。従って、左右のシャッター収納部材５０７,５０８に透明保護板６０９を前方に突出させないための前記段部５２８,５２８を形成しても、該シャッター収納部材５０７,５０８の前後寸法を小さく抑えることが可能となる。
【０３１０】
また、前記シャッター装置５００が配設される裏ユニット５０に対して透明板３１を配設した状態で、前記枠状装飾体２００における左右の側部後端部を構成する前記第１内周壁２３０および球通路部２７４は、前記左右のシャッター収納部材５０７,５０８の段部５２８,５２８に収容される。すなわち、透明保護板６０９を前方に突出させないための段部５２８,５２８を利用して、透明板３１の裏面から突出する第１内周壁２３０および球通路部２７４を収容することで、シャッター収納部材５０７,５０８(ベース枠体５０２)自体を第１内周壁２３０および球通路部２７４と干渉しないように後退させる必要はなく、透明板３１の裏側に位置するシャッター収納部材５０７,５０８(ベース枠体５０２)の後方への突出寸法を抑えることができる。更に、実施例では左右のシャッター収納部材５０７,５０８の段差面５２８ａ,５２８ａに当接している透明保護板６０９の左右両端部に、前記第１内周壁２３０および球通路部２７４と対応する形状の切欠凹部６１１,６１１を形成してあるから(図４９参照)、該第１内周壁２３０および球通路部２７４を透明保護板６０９と干渉することなくより後方側に臨ませることができる。しかも、左右のシャッター収納部材５０７,５０８の段部５２８,５２８は、透明保護板６０９を取り付けるために機能するものであるから、枠状装飾体２００の第１内周壁２３０および球通路部２７４を収容する部分を別途形成する必要はなく、製造コストを抑え得る。
【０３１１】
なお、前記左右のシャッター収納部材５０７,５０８の段部５２８,５２８に収容される前記第１内周壁２３０および球通路部２７４には光拡散処理が施されているから、各段部５２８の側壁５２８ｂが枠状装飾体２００を介して見づらくなっており、意匠性が低下するのは防止されている。
【０３１２】
(上部発光演出装置とシャッター装置との関係について)
前記枠状装飾体２００における窓口２００ａを画成する上部内縁から垂下する前記上部発光演出装置３０２の下部が、前記シャッター装置５００における上弧状装飾体５８６に形成されている切欠部５８７を介して前記表示空間５０１内に延出している。すなわち、表示空間５０１を遮蔽および開放する左右のシャッター部材５３２,５３３と上部発光演出装置３０２とが前後の関係で重なっているから(図６１参照)、該シャッター部材５３２,５３３の動作による演出と上部発光演出装置３０２の発光による演出とを前後に重ねた状態で行なうことができ、総合的な演出効果の向上が図られる。しかも、上部発光演出装置３０２は可動するものではないので、ＬＥＤ３４２,３４４を制御したり給電するための配線の処理は簡単であり、構造が複雑化することなく演出効果を高めることができる。
【０３１３】
また、前述したように上部発光演出装置３０２の一部は上弧状装飾体５８６の切欠部５８７内に臨んでいるから、左右のシャッター部材５３２,５３３および上部発光演出装置３０２を前後に重ねて配設するために必要となる前後寸法を小さくすることができ、遊技盤３０(パチンコ機１０)の薄型化に寄与し得る。しかも、上弧状装飾体５８６の切欠部５８７は、左右のシャッター部材５３２,５３３において最後部に位置する後左遮蔽板５３６および後右遮蔽板５３９が表示空間５０１の左右方向の中央で当接する位置に対応して設けられているから、該切欠部５８７を、前の左右遮蔽板５３４,５３７および中の左右遮蔽板５３５,５３８の位置より後方に設けることが可能となる。すなわち、左右のシャッター部材５３２,５３３による表示空間５０１の遮蔽を阻害することなく上部発光演出装置３０２をより後方に位置させることができ、シャッター部材５３２,５３３および上部発光演出装置３０２を配設するために必要となる前後寸法をより小さくすることが可能となる。
【０３１４】
前記上部発光演出装置３０２が左右のシャッター部材５３２,５３３と重なる位置に臨む前記透明保護板６０９には、上部発光演出装置３０２の外形形状に略倣う形状の凹部６１２が下側に凹むように形成されており、該凹部６１２の前側に上部発光演出装置３０２が臨んでいる(図６１参照)。すなわち、左右のシャッター部材５３２,５３３の前側に位置する透明保護板６０９が、上部発光演出装置３０２を後方に配置するための障害となることはない。また、凹部６１２の存在により、上部発光演出装置３０２の下部裏側の全体が透明保護板６０９で塞がれることはないから、上部発光演出装置３０２と透明保護板６０９との間に該上部発光演出装置３０２から発する熱がこもることもなく、透明保護板６０９が熱影響を受けるのも防止し得る。
【０３１５】
(駆動モータと始動入賞装置との関係について)
前記シャッター装置５００では、前述したように表示空間５０１を遮蔽および開放するシャッター部材５０３を、表示空間５０１の左半分を遮蔽および開放する左シャッター部材５３２と、表示空間５０１の右半分を遮蔽および開放する右シャッター部材５３３とに分け、各シャッター部材５３２,５３３を移動させる左駆動モータ５６１および右駆動モータ５６３を、前記枠状装飾体２００の下方に位置する始動入賞装置３８を挟む左右両側に配置してある。すなわち、始動入賞装置３８との干渉を回避するために駆動モータ５６１,５６３を始動入賞装置３８の後方に配置する必要はないから、前記ベース枠体５０２に配設される駆動モータ５６１,５６３の後方への突出寸法を小さくし得る。また、ベース枠体５０２の取付盤部５２０に対して駆動モータ５６１,５６３は、出力軸を後方に向けた後向き姿勢で配設されて本体部が該取付盤部５２０の前面から所定長さだけ前側に突出している。そして、駆動モータ５６１,５６３の取付盤部５２０から前側に突出する部分が、前記始動入賞装置３８における透明板３１から後方に突出する部位と側方視においオーバーラップするようになっており、透明板３１と裏ユニット５０とを近接して配設することができ、パチンコ機の薄型化に寄与し得る。なお、シャッター装置５００の駆動モータ５６１,５６３を表示空間５０１の下方に配置する構成としたから、前記枠状装飾体２００の上側部分についての計計の自由度は高くなる。すなわち、遊技者が注目する枠状装飾体２００の上側部分に、シャッター装置５００の作動手段５０４を配設することを考慮して他の可動体や発光演出装置の配置を考える必要はなく、効果的な演出効果が得られるように可動体や発光演出装置を配置することが可能となる。
【０３１６】
前記後の左右遮蔽板５３６,５３９に連繋されて左右の駆動モータ５６１,５６３により揺動される左右の作動部材５６０,５６２は板状に形成されているから、該作動部材の前記ベース枠体から後方への突出寸法は小さく抑えられている(図６０参照)。すなわち、前記ステージ部２７１の後方に臨む左右の作動部材５６０,５６２の後方への突出寸法が小さく抑えられるから、シャッター装置５００自体の前後寸法も小さくすることが可能となる。また、左右の駆動モータ５６１,５６３と左右の作動部材５６０,５６２とは、駆動歯車５７６と従動歯車５６５とを噛合して動力を伝達するよう構成してあるから、この動力伝達部における前後寸法も小さく抑えることができる。更に、左右の作動部材５６０,５６２は、後の左右遮蔽板５３６,５３９の後側に臨む連繋アーム部５６６に対し、前記枢軸５６４に枢支される枢支アーム部５６７が後方に変位するよう連設されているから(図６２参照)、枢支アーム部５６７の従動歯車５６５と駆動歯車５７６との噛合位置に関係なく、連繋アーム部５６６を後の左右遮蔽板５３６,５３９に近接して配置することができ、最後部に位置する後の左右遮蔽板５３６,５３９から後方への連繋アーム部５６６の突出寸法を小さくし得る。すなわち、前記ベース枠体５０２における表示空間５０１の後方に臨む図柄表示装置１９の表示面１９ａとシャッター部材５０３との間隔を小さくすることができ、遊技盤自体の前後寸法を小さくすることに寄与し得る。
【０３１７】
(下レール部材に対する下弧状装飾体の取付けについて)
前記下レール部材５０６の案内部５１９と同一の曲率の円弧形状に形成された前下弧状装飾体５８８は、案内部５１９に前側から嵌合されて組付けられる。このとき、下弧状装飾体５８８の下壁５９０に設けた左右の固定脚５９１,５９１が、下レール部材５０６の取付盤部５２０に設けた対応する嵌凹部５９２,５９２に嵌合することで、該下レール部材５０６に対して下弧状装飾体５８８は位置決めされる。また、各嵌凹部５９２に突設されたピン５９２ａが、対応する固定脚５９１のピン孔５９１ａに嵌挿されて、固定脚５９１、すなわち下弧状装飾体５８８は下レール部材５０６に対して正確に位置に決めされる。なお、下弧状装飾体５８８の下壁５９０に設けた複数の第２被規制部５９６が、取付盤部５２０の前面に当接することによっても、該下弧状装飾体５８８は下レール部材５０６に対して位置決めされる。そして、前記各固定脚５９１に設けた通孔５９１ｂに前側から挿通したネジを、対応する嵌凹部５９２のネジ孔５９２ｂに螺挿することで、下レール部材５０６に対して下弧状装飾体５８８が正しい位置に固定される。すなわち、下レール部材５０６に対して下弧状装飾体５８８を位置決め固定した状態で、図４９および図６３に示す如く、下弧状装飾体５８８に設けた前記第１被規制部５９５が、前記係合片５９５ａを前側に向けた状態で取付盤部５２０に設けた前記収容部５９４に収容される。
【０３１８】
前記取付盤部５２０における下弧状装飾体５８８の前面には、左右方向の中央に形成されている前記第１位置決め凹部５９３を挟む両側の夫々に、前記飾り用ＬＥＤ基板６０７が、コネクタ受け部を対応する前記コネクタ挿通口６０８に前側から挿通した状態で位置決め固定される。
【０３１９】
(下レール部材に対する飾り部材の取付けについて)
前記飾り部材５９７は、前記取付盤部５２０の第１位置決め凹部５９３に、前記嵌合突部６０４を前側から嵌合すると共に、該飾り部材５９７の左右両側に設けられる前記各固定板部６０１の各ピン孔６０１ａおよび通孔６０１ｂに、取付盤部５２０に設けた対応する飾り用ピン６０２および飾り用ボス６０３を挿通することで、当該飾り部材５９７は取付盤部５２０の前面に前記飾り用ＬＥＤ基板６０７,６０７を収容した状態で位置めされる。このとき、飾り部材５９７の上側壁５９９に形成される複数の前記位置決め用切欠５９９ａの夫々が、下弧状装飾体５８８の対応する前記第２被規制部５９６に夫々係合することでも、飾り部材５９７の左右方向の移動は規制される。すなわち、嵌合突部６０４を第１位置決め凹部５９３に嵌合した状態において、左右の固定板部６０１のピン孔６０１ａおよび通孔６０１ｂに対応する飾り用ピン６０２および飾り用ボス６０３を挿通すると共に、左右方向に離間して形成される複数の位置決め用切欠５９９ａの夫々を対応する第２被規制部５９６に係合することで、下レール部材５０６の取付盤部５２０に対して飾り部材５９７は、左右方向に位置ずれすることなく正確に位置決めされる。
【０３２０】
また、前記嵌合突部６０４を第１位置決め凹部５９３に嵌合した状態において、飾り部材５９７に設けた前記規制片６０４ａが、図６３に示す如く、前記下弧状装飾体５８８の第１被規制部５９５における係合片５９５ａの上側に係合して、飾り部材５９７の下方への移動は規制される。更に、飾り部材５９７の上側壁５９９が下弧状装飾体５８８の下壁５９０に略全面的に当接することでも、該飾り部材５９７の上方への移動も規制される。すなわち、下レール部材５０６の取付盤部５２０に対して飾り部材５９７は、嵌合突部６０４と第１位置決め凹部５９３との嵌合、ピン孔６０１ａおよび通孔６０１ｂと飾り用ピン６０２および飾り用ボス６０３との嵌挿、規制片６０４ａと下弧状装飾体５８８の第１被規制部５９５との係合、位置決め用切欠５９９ａと下弧状装飾体５８８の第２被規制部５９６との係合により、上下左右の何れの方向にも位置ずれすることなく確実に位置決めされる。そして、前記左側部発光装飾装置１２０の第２左側部ＬＥＤ基板１２３および右側部発光装飾装置１４５の第２右側部ＬＥＤ基板１４８を取付盤部５２０の前側に配置し、該両ＬＥＤ基板１２３,１４８における固定板部６０１,６０１の前側に重なる位置に設けた通孔に前側から挿通したネジを、対応する飾り用ボス６０３,６０３のネジ孔に螺挿することで、飾り部材５９７は左右両側で側部ＬＥＤ基板１２３,１４８を介して取付盤部５２０に固定される。
【０３２１】
(飾り部材とステージ部との位置決めについて)
前記枠状装飾体２００が配設された前記透明板３１を裏ユニット５０に配設することにより、前記ステージ部２７１に設けられている通路形成部２８８が前記飾り部材５９７の第２位置決め凹部６０５に前側から嵌合する。また、ステージ部２７１における通路形成部２８８を挟む左右両側に設けられてい位置決めボス２７３,２７３が飾り部材５９７の前記位置決め挿通孔６０６,６０６に前側から嵌挿されることで、ステージ部２７１と飾り部材５９７との相対的な位置決めがなされる。前述したように、裏ユニット５０に配設されるシャッター装置５００のベース枠体５０２(下レール部材５０６)に対し、前記飾り部材５９７は正確に位置決めされているから、該飾り部材５９７に設けられている前記第２位置決め凹部６０５も裏ユニット５０に対して正確な位置(左右方向の中央)に位置している。従って、第２位置決め凹部６０５に嵌挿される通路形成部２８８も正確に左右方向の中央に位置決めされる。
【０３２２】
前記透明板３１に配設されるステージ部２７１に球通路部２７４を介して通入して第１ステージ(球転動部)２６９からステージ口２８７を介してＬ字型通路(球排出通路)２９１の垂直通路２８９に通入したパチンコ球は、前記球出口２５０を介して前記遊技領域３２に排出される。この場合において、前記垂直通路２８９を画成する通路形成部２８８は、前述したように飾り部材５９７を介して左右方向の中央に位置決めされるから、球出口２５０から排出されるパチンコ球は、透明板３１の左右方向の中央に配置されている前記始動入賞装置３８の上部始動入賞口４０ａの真上に排出され、該始動入賞装置３８に対し、ステージ部２７１の球出口２５０から排出されるパチンコ球を定められた確率で入賞させることができ、遊技の興趣の低下を防止し得る。
【０３２３】
(変更例)
なお、遊技機の構成としては、実施例のものに限らず、種々の変更が可能である。
(１)  実施例では、透明板のアウト口(排出口)の上方に始動入賞装置および特別入賞装置を配設して、両入賞装置の配線を、透明板に形成した配線挿通用切欠き部を介して裏ユニットの裏側に導出するようにしたが、何れか一方の入賞装置のみをアウト口(排出口)の上方に備る構成であってもよい。
(２)  実施例では、透明板の上部に設けた演出ユニットの配線を裏ユニットの裏側に導出する配線挿通口を前後に開口するよう形成したが、裏ユニット(箱状本体)の上方および前後に開口する切欠き部を裏ユニットの上部に形成して、演出ユニットの配線を裏ユニットの裏側に導出するよう構成することも可能である。
(３)  実施例では、透明板の上部に位置する電気部品として、上部発光演出装置および可動演出装置を備えた演出ユニットを採用したが、発光演出装置や可動演出装置を単体で設けるようにしてもよく、また透明板の上部に入賞装置を設けて電気部品とすることもできる。また、透明板の上部に設ける発光演出装置や可動演出装置の構成は、実施例のものに限られるものでないことは当然である。
(４)  実施例では、前記裏ユニットの箱状本体の上画壁部から上固定部に亘って連続して開口する照明用窓部を１つ形成したが、上画壁部から上固定部に亘って連続して開口する複数の照明用窓部を形成することもできる。また、照明用窓部の形状や大きさも実施例のものに限定されるものではなく、任意に変更することが可能である。
(５)  実施例では、発光装飾装置の装飾カバーを、透明な取付台および光透過性のカバー本体の２つの部材から構成したが、これに限らず、単一の部材とすることもできる。
(６)  実施例では、前記裏ユニットに複数の発光演出装置を配設して、シャッター装置の外周を囲繞するよう構成したが、単一の発光装飾装置によりシャッター装置の外周を囲繞することも可能である。すなわち、この場合には単一の発光体基板(ＬＥＤ基板)によりシャッター装置の外周を囲繞して、該発光体基板の前側を単一の装飾カバーで覆うよう構成される。また、シャッター装置を省略して、裏ユニット(対向面部)の開口部の開口縁に沿って発光演出装置を設けて、該開口部を囲繞するようにしてもよい。
(７)  実施例では、左右の透明パネルを設けて、前記裏ユニットの対向面部に形成した開口部(透明板の貫通口)の略全周を囲繞するよう構成したが、単一の透明パネルにより該対向面部に形成した開口部(透明板の貫通口)の略全周を囲繞するようにしてもよい。また、前記透明パネルを３つ以上の複数設けて、前記対向面部に形成した開口部(透明板の貫通口)の略全周を囲繞することも可能である。
(８)  実施例では、透明パネルの左右の側端面から光を照射するよう構成したが、該透明パネルの上下の端面から光を照射するよう構成してもよい。
(９)  実施例では、側部発光演出装置の遮蔽部材を構成する遮蔽部の厚み分だけ透明パネルを透明板の裏側から離間させるようにしたが、該透明パネルを裏ユニット(箱状本体)における各画壁部の開口前端部と完全に同一面に位置させて、該透明板の裏面に対して透明パネルを平行となるよう配置することもできる。
(１０)  実施例では、前記裏ユニットの箱状本体に配設された発光装飾装置の前側を、前記側部発光演出装置の透明パネルで被覆するよう構成したが、該側部発光演出装置を省略して、発光装飾装置の装飾カバーを前記透明板の裏面に対向させるようにしてもよい。同様に、実施例では、前記側部発光演出装置の透明パネルの裏側に、発光により透明板を裏側から照明する発光装飾装置を配設した構成を示したが、該透明パネルの裏側に、可動体を備えた可動演出装置を配設するよう構成してもよい。
(１１)  実施例では、左右のシャッター部材を、夫々３枚の遮蔽板で構成した場合で説明したが、該遮蔽板の数は３枚に限られるものでなく、表示空間の大きさに応じて適宜に設定すればよい。
(１２)  実施例では、透明合成樹脂製の遮蔽板の一部に装飾を施し、表示空間の全体を遮蔽したときであっても遮蔽板を介して図柄表示装置の表示部が一部見えるようにしたが、遮蔽板の全体に装飾を施して、表示空間の全体を遮蔽したときには完全に図柄表示装置の表示部を隠すようにしてもよい。
(１３)  実施例では、表示空間を遮蔽および開放するシャッター部材を、表示空間の左半分を遮蔽および開放する左シャッター部材と、表示空間の右半分を遮蔽および開放する右シャッター部材とで構成したが、１基のシャッター部材により表示空間の全体の遮蔽および開放を行なう構成を採用し得る。すなわち、ベース枠体の左側または右側に位置するシャッター収納部材の収納空間に収納されている開放位置における最後部の作動用の遮蔽板を作動手段により右側または左側に引き出すように移動して、表示空間の全体を遮蔽し、また逆方向に移動することで表示空間の全体を開放するよう構成する。
(１４)  実施例では、遮蔽板に配設される回転体としてボールベアリングを採用したが、レール部材に接触して転動するものであればローラであってもよい。
(１５)  実施例では、後の左右遮蔽板に、永久磁石を夫々配設して、後の左右遮蔽板が当接した際に永久磁石同士が磁着するよう構成したが、少なくとも一方の遮蔽板側に磁石が配設されると共に、他方の遮蔽板側に磁石が磁着可能な磁着部材を配設するようにすればよい。例えば、前記磁着部材としては、鉄、コバルト、ニッケル等の金属や鉄酸化物等の強磁性体により構成されて、作動手段の作動により後の左右遮蔽板の側端縁および当接面が当接した際に、前記磁石が磁着部材に磁着する構成を採用し得る。
(１６)  左右のシャッター部材で表示空間の遮蔽および開放を行なう実施例のシャッター装置における両シャッター部材の動作については、両シャッター部材を同時に移動させたり、あるは各シャッター部材を単独で移動させる等、図柄表示装置の表示部で行なわれる図柄組合わせゲームの内容に応じて設定することができる。
(１７)  実施例では上レール部材の前側に上弧状装飾体を配設し、該上弧状装飾体に上部発光演出装置の一部が臨む切欠部を形成した場合で説明したが、上弧状装飾体を省略し、所要の装飾が施された上レール部材自体に前記切欠部を形成する構成を採用し得る。
(１８)  実施例では、下レール部材に下弧状装飾体を配設し、該下弧状装飾体に、飾り部材の規制片と係合する第１被規制部を設けた場合で説明したが、下弧状装飾体を省略し、下レール部材自体に前記第１被規制部を形成する構成を採用し得る。また第１被規制部としては、規制片が係脱自在に係合し得るものであれば、実施例の係合片に代えて規制片が挿脱可能な通孔を形成したものであってもよい。
(１９)  実施例では、作動部材を支持する前後のガイド部材に２本のリブを設けた場合で説明したが、該リブの数は１本であっても３本以上であってもよい。
(２０)  シャッター部材を構成する各遮蔽板に設けられる閉鎖用係合片および開放用係合片の配設位置は、実施例の位置に限定されるものでなく、作動用の遮蔽板の移動に伴って他の遮蔽板の閉鎖用または開放用の係合片が順次係合するものであればよい。なお、閉鎖用係合片および開放用係合片については、前側から視認し得ないよう設けるのが好適である。
(２１)  実施例では、上部発光演出装置が光通過部材および円形透明パネルを備え、光の文字による発光演出と、円形透明パネルの反射光による発光演出を行なう構成とした。しかしながら、上部発光演出装置は、必ずしも光通過部材および円形透明パネルの両部材を備え、二種類の発光演出を行なうものとする必要はなく、何れか一方の発光演出を行なう構成としてもよい。例えば、円形透明パネルのみを備える構成とした場合、該パネルを円盤状ベース部材内に適正な姿勢で保持すれば、光通過部材や第１発光手段を設ける必要はない。また、実施例では、円形透明パネルの後面に設けた図柄を該後面全体に設けた凹凸により円形の図柄を構成したが、当該図柄を文字や図形、キャラクター等のデザインとしてもよい。また、円形透明パネル自体の形状を、例えば、星形等に成形して、当該形状の光を演出カバー部材に投影させるようにしてもよい。なお、実施例では、光反射シートを円形透明パネルと保持基板との間に挟む構成としたが、必ずしも光反射シートを設ける必要はない。
(２２)  実施例では、パネル用ＬＥＤを４つ設けた場合を例示したが、パネル用ＬＥＤの設置数を適宜増減してもよい。なお、パネル用ＬＥＤの設置数を変更した場合にあっても、円形透明パネルで光をバランス良く反射させるため、パネル用ＬＥＤを円形透明パネルに対し周方向に等間隔で設置するのが好適である。また、実施例では、光通過部材の収容孔部を複数設けて、複数画の文字「天」を表したが、複数の収容孔部により文字以外の図柄等を表したり、一つの収容孔部により一画の文字や図柄等を表してもよい。なお、一画の単純な文字等であれば、光通過部材に光通孔のみを設けて、光案内壁を省略することも可能である。
(２３)  実施例では、上部発光演出装置を円盤状ベース部材の３つのベース固定ボスにより取付ベースの演出装置固定部に取付ける構成としたが、ベース固定ボスを３つ以上設けてもよい。また、実施例では、ベース固定ボスを円盤状ベース部材の後面における上部側に偏倚して設けたが、ベース固定ボスを該後面の中央部に設置してもよい。また、実施例では、演出ユニットを上部発光演出装置および２つの可動演出装置から構成したが、演出ユニットを上部発光演出装置のみで構成したり、可動演出装置を１つまたは３つ以上備えていてもよい。
(２４)  実施例では、枠状装飾体に第１配線通路および第２配線通路を設けた場合を示したが、枠状装飾体に１つの配線通路を設けてもよい。また、実施例では、後枠部材および前枠部材を組付けることで、上部外周壁および第２内周壁(央部内周壁)により第２配線通路が画成される構成としたが、例えば、後枠部材または前枠部材に第２配線通路を直接成形してもよい。実施例では、第２配線通路を上枠体の中央上部位置(第１通出切欠)まで挿通案内するようにしたが、例えば、球検出センサの配線を上枠体の右側部まで送って後方へ通出させるようにしてもよい。また、配線通路を下枠体に設けることも可能である。実施例では、第２配線通路を覆う被覆部として前枠部材に取付けられる上装飾カバーを採用したが、例えば、前枠部材の外側延出部２３２の全体を不透明とすることで、該外側延出部を被覆部として機能させてもよい。
(２５)  実施例では、遊技機としてパチンコ機を例示して説明したが、これに限られるものではなく、アレンジボール機やピンボール機等の従来公知の各種遊技機を採用し得る。また、図柄表示装置としても液晶パネルを用いたものに限らず、ドラム式やベルト式、その他の形式の図柄表示装置も採用可能である。
【符号の説明】
【０３２４】
１１  外枠
１２  中枠
１９  図柄表示装置
２４  遊技盤保持部
２６  球タンク
３０  遊技盤
３１  透明板
３２  遊技領域
３５  外レール(レール)
５０  裏ユニット
５１  箱状本体
５２  対向面部
５３ａ  上画壁部
５３ｂ  下画壁部
５３ｃ  左画壁部
５３ｄ  右画壁部
５４  上固定部(固定部)
８４  照明用窓部
８９  ＬＥＤ(発光体)
９３  左上部装飾カバー(装飾カバー)
９４  取付台
９５ａ  位置決め孔
９５ｂ  通孔
９９  装飾板部
１０１  前側取付ボス(取付ボス)
１０１ａ  ネジ孔
１０２  位置決め突部
１０８  右上部装飾カバー(装飾カバー)
１０９  取付台
１１０ａ  位置決め孔
１１０ｂ  通孔
１１５  装飾板部
１１７  前側取付ボス(取付ボス)
１１７ａ  ネジ孔
１１８  位置決め突部
【図１】
2010162230.tif 000003
【図２】
2010162230.tif 000004
【図３】
2010162230.tif 000005
【図４】
2010162230.tif 000006
【図５】
2010162230.tif 000007
【図６】
2010162230.tif 000008
【図７】
2010162230.tif 000009
【図８】
2010162230.tif 000010
【図９】
2010162230.tif 000011
【図１０】
2010162230.tif 000012
【図１１】
2010162230.tif 000013
【図１２】
2010162230.tif 000014
【図１３】
2010162230.tif 000015
【図１４】
2010162230.tif 000016
【図１５】
2010162230.tif 000017
【図１６】
2010162230.tif 000018
【図１７】
2010162230.tif 000019
【図１８】
2010162230.tif 000020
【図１９】
2010162230.tif 000021
【図２０】
2010162230.tif 000022
【図２１】
2010162230.tif 000023
【図２２】
2010162230.tif 000024
【図２３】
2010162230.tif 000025
【図２４】
2010162230.tif 000026
【図２５】
2010162230.tif 000027
【図２６】
2010162230.tif 000028
【図２７】
2010162230.tif 000029
【図２８】
2010162230.tif 000030
【図２９】
2010162230.tif 000031
【図３０】
2010162230.tif 000032
【図３１】
2010162230.tif 000033
【図３２】
2010162230.tif 000034
【図３３】
2010162230.tif 000035
【図３４】
2010162230.tif 000036
【図３５】
2010162230.tif 000037
【図３６】
2010162230.tif 000038
【図３７】
2010162230.tif 000039
【図３８】
2010162230.tif 000040
【図３９】
2010162230.tif 000041
【図４０】
2010162230.tif 000042
【図４１】
2010162230.tif 000043
【図４２】
2010162230.tif 000044
【図４３】
2010162230.tif 000045
【図４４】
2010162230.tif 000046
【図４５】
2010162230.tif 000047
【図４６】
2010162230.tif 000048
【図４７】
2010162230.tif 000049
【図４８】
2010162230.tif 000050
【図４９】
2010162230.tif 000051
【図５０】
2010162230.tif 000052
【図５１】
2010162230.tif 000053
【図５２】
2010162230.tif 000054
【図５３】
2010162230.tif 000055
【図５４】
2010162230.tif 000056
【図５５】
2010162230.tif 000057
【図５６】
2010162230.tif 000058
【図５７】
2010162230.tif 000059
【図５８】
2010162230.tif 000060
【図５９】
2010162230.tif 000061
【図６０】
2010162230.tif 000062
【図６１】
2010162230.tif 000063
【図６２】
2010162230.tif 000064
【図６３】
2010162230.tif 000065
【図６４】
2010162230.tif 000066
【図６５】
2010162230.tif 000067
【図６６】
2010162230.tif 000068
【図６７】
2010162230.tif 000069
【図６８】
2010162230.tif 000070
【図６９】
2010162230.tif 000071
【図７０】
2010162230.tif 000072
【図７１】
2010162230.tif 000073
【図７２】
2010162230.tif 000074
【図７３】
2010162230.tif 000075
【図７４】
2010162230.tif 000076
【図７５】
2010162230.tif 000077
【図７６】
2010162230.tif 000078
【図７７】
2010162230.tif 000079
【図７８】
2010162230.tif 000080
【図７９】
2010162230.tif 000081
【図８０】
2010162230.tif 000082
【図８１】
2010162230.tif 000083
【図８２】
2010162230.tif 000084
【図８３】
2010162230.tif 000085
【図８４】
2010162230.tif 000086
【図８５】
2010162230.tif 000087
【図８６】
2010162230.tif 000088